(57)【要約】  調整可能な光学レンズ及びカメラモジュール、並びにその製造方法及び応用が開示される。カメラモジュールは、光学センサ及び調整可能な光学レンズを含む。調整可能な光学レンズは、光学構造部材及び少なくとも２つのレンズを含み、レンズのそれぞれは光学構造部材の内部空間に配置される。光学構造部材の垂直方向に沿って、少なくとも１つのレンズが、調整可能なレンズとしての機能を果たす光学構造部材の内部空間に調整可能に事前に取り付けられるように適応される。光学構造部材の側壁は、調整可能なレンズに対応して位置決めされる少なくとも１つの調整チャネルを備え、これにより調整可能なレンズの組付け位置は、調整可能な光学レンズの中心軸線を光学センサの中心軸線と整列させるために調整チャネルを通して調整できる。
2018533074.tif 000002
【特許請求の範囲】
【請求項１】
カメラモジュールであって、
光学センサと、
前記光学センサの感光性経路に位置する調整可能な光学レンズであって、
光学構造部材と、
少なくとも２つの光学レンズであって、前記各光学レンズが前記光学構造部材の前記垂直方向に沿って前記光学構造部材の前記内部空間内に配置され、少なくとも１つの光学レンズが前記光学構造部材の前記内部に調整可能に事前に取り付けられるように適応され、前記光学構造部材の前記側壁が、前記光学構造部材の前記内部空間及び前記外部環境を連絡する少なくとも１つの調整チャネルを備え、前記調整チャネルが前記事前に組み付けられた光学レンズに対応し、これにより前記光学レンズの前記位置が、前記調整可能な光学レンズの前記中心軸線及び前記光学センサを整列させるために前記調整チャネルによって調整できる、少なくとも２つの光学レンズと
を備える前記調整可能な光学レンズと
を備える、カメラモジュール。
【請求項２】
前記カメラモジュールに事前に組み付けられた前記光学レンズが、糊付け工程によって前記光学構造部材の前記内部に事前に組み付けられ、前記事前組付けに使用される前記接着剤が、前記事前組付けを達成するために紫外線曝露後に半凝固になるＵＶ接着剤及び熱硬化性接着剤の混合接着剤であり、加熱処理後、前記接着剤が、前記調整可能な光学レンズ全体を固着するために完全に凝固する、請求項１に記載のカメラモジュール。
【請求項３】
前記調整可能な光学レンズが、前記光学構造部材の上部に設置され、感光性経路に沿って前記光学レンズと整列するアパーチャ部材を備え、調整可能に配置されるように適応され、前記アパーチャ部材が前記接着剤を半凝固させることにより事前に組み付けられる、請求項２に記載のカメラモジュール。
【請求項４】
前記アパーチャ部材が接着剤注入チャネルをその上に配置させ、前記接着剤注入チャネルが、前記接着剤注入チャネルを介して前記接着剤を注入することにより、調整された前記光学レンズを固着するために、調整されるように適応可能である前記光学レンズに対応している、請求項３に記載のカメラモジュール。
【請求項５】
カメラモジュールであって、
感光装置であって、光学センサを含む前記感光装置と、
前記光学センサの前記感光性経路に配置された調整可能な光学レンズであって、前記調整可能な光学レンズが、それぞれ第１の光学レンズ、第２の光学レンズ、第３の光学レンズ、第４の光学レンズ、及び第５の光学レンズである５つの光学レンズを備え、前記５つの光学レンズが、前記光学センサの前記感光性経路に沿って前記光学構造部材に順序正しく重複して設置され、前記第１の光学レンズ及び前記第２の光学レンズが前記光学構造部材で調整可能に事前に組み付けられ、前記光学構造部材が、それぞれ前記光学構造部材の前記内部空間に外部環境と連絡するために、及び前記第１の光学レンズ及び前記第２の光学レンズにそれぞれ対応して、調整チャネルを通して、前記光学構造部材の前記内部空間内で前記第１の光学レンズ及び前記第２の光学レンズの前記空間位置を調整するために、前記光学構造部材上に２つの前記調整チャネルを備える、調整可能な光学レンズと
を備える、
カメラモジュール。
【請求項６】
前記カメラモジュールに事前に組み付けられた前記光学レンズが、糊付け工程によって前記光学構造部材の前記内部で事前に組み付けられ、前記事前組付けに使用される前記接着剤が、前記事前組付けを達成するために紫外線曝露後に半凝固になるＵＶ接着剤及び熱硬化性接着剤の混合接着剤であり、加熱処理後、前記接着剤が、前記調整可能な光学レンズ全体を固着するために完全に凝固する、請求項５に記載のカメラモジュール。
【請求項７】
前記光学構造部材の前記内壁は、それぞれ前記第１の光学レンズ、前記第２の光学レンズ、前記第３の光学レンズ、前記第４の光学レンズ、及び前記第５の光学レンズを支えるそれぞれ第１の制限構造、第２の制限構造、第３の制限構造、第４の制限構造、及び第５の制限構造である、内壁の上に配置されたそれぞれ５つの制限構造を備える、請求項６に記載のカメラモジュール。
【請求項８】
前記調整可能な光学レンズが、前記光学構造部材の上部に設置され、感光性経路に沿って前記光学レンズと整列するアパーチャ部材を備え、調整可能に配置されるように適応され、前記アパーチャ部材が前記接着剤を半凝固させることにより事前に組み付けられる、請求項７に記載のカメラモジュール。
【請求項９】
接着剤注入チャネルが前記カメラモジュールの前記アパーチャ部材にセットされ、前記接着剤注入チャネルが、前記接着剤注入チャネルを介して前記接着剤を注入することにより、調整された前記光学レンズを固着するために、調整されるように適応可能である前記光学レンズに対応している、請求項８に記載のカメラモジュール。
【請求項１０】
カメラモジュールであって、
調整可能な光学レンズと、
光学センサを備える感光装置であって、前記調整可能な光学レンズが前記光学センサの感光性経路に配置される、感光装置と
を備え、前記調整可能な光学レンズが、
それぞれ第１の光学レンズ、第２の光学レンズ、第３の光学レンズ、及び第４の光学レンズである４つの光学レンズ
を備え、
光学構造部材が、前記光学構造部材の前記内部空間内に順序正しく、重複して、及び間隔を置いて設置される４つの前記光学レンズを有し、前記光学構造部材が、前記光学構造部材の上部に配置された少なくとも１つの調整チャネルを備え、前記調整チャネルが前記光学構造部材の前記内部空間を前記外部環境と連絡し、前記調整チャネルが前記第１の光学レンズに向かい、これにより前記第１のレンズは前記調整チャネルを通じて調整することができ、前記第１のレンズは前記調整チャネルを通して接着剤を注入することによって固着することもできる、
カメラモジュール。
【請求項１１】
前記接着剤が、前記第１の光学レンズの側面を前記光学構造部材の前記内壁と固着することにより前記第１の光学レンズを固着するために、前記調整チャネルを通して、前記第１の光学レンズの前記側面及び前記光学構造部材の前記対応する内壁に注入される、請求項１０に記載のカメラモジュール。
【請求項１２】
前記接着剤が、前記第１の光学レンズの上面を前記光学構造部材の前記内壁と固着することにより前記第１の光学レンズを固着するために、前記調整チャネルを通して、前記第１の光学レンズの前記上面に注入される、請求項１０に記載のカメラモジュール。
【請求項１３】
前記感光装置が、フィルタ、回路基板、及びレンズマントを備え、前記フィルタが前記レンズマウントに取り付けられ、前記光学センサの上方に配置され、前記光学センサが前記回路基板に付着され、前記回路基板が、前記光学センサを前記レンズマウントの前記内壁によって画定された空洞内に位置させるために前記レンズマウントの前記底部に取り付けられる、請求項１１から１２のいずれかに記載のカメラモジュール。
【請求項１４】
前記光学構造部材が、前記光学構造部材の前記外側で周辺方向に沿って１２０度互いから別々に配置された３つの調整チャネルを備える、請求項１３に記載のカメラモジュール。
【請求項１５】
前記第１の光学レンズが、前記調整チャネルに対応する前記第１の光学レンズの上面に配置された少なくとも２つの調整溝を備える、請求項１４に記載のカメラモジュール。
【請求項１６】
カメラモジュールであって、
調整可能な光学レンズと、
光学センサを備える感光装置であって、前記調整可能な光学レンズが前記光学センサの感光性経路に配置される、感光装置と
を備え、前記調整可能な光学レンズが、
それぞれ第１の光学レンズ、第２の光学レンズ、第３の光学レンズ、及び第４の光学レンズである４つの光学レンズ
を備え、
光学構造部材が、前記光学構造部材の前記内部空間内に順序正しく、重複して、及び間隔を置いて設置される４つの前記光学レンズを有し、前記光学構造部材が、前記光学構造部材の側面に配置された少なくとも１つの調整チャネル、及び前記光学構造部材の上部に配置された少なくとも１つの固着チャネルを備え、前記調整チャネル及び前記固着チャネルが前記光学構造部材の前記内部空間を前記外部環境と連絡し、前記調整チャネルが前記第１の光学レンズの前記側面に向かい、これにより前記第１のレンズが前記調整チャネルを通じて調整することができ、前記固着チャネルが前記第１の光学レンズの前記上面に向かい、これにより前記第１のレンズが前記固着チャネルを通して接着剤を注入することによって固着することもできる、
カメラモジュール。
【請求項１７】
前記光学構造部材が、前記第１の光学レンズの外側に対応する前記光学構造部材の前記外側で周辺方向に沿って１２０度互いから別々に配置された３つの調整チャネルを備える、請求項１３に記載のカメラモジュール。
【請求項１８】
前記感光装置が、フィルタ、回路基板、及びレンズマントを備え、前記フィルタが前記レンズマウントに取り付けられ、前記光学センサの上方に配置され、前記光学センサが前記回路基板に付着され、前記回路基板が、前記光学センサを前記レンズマウントの前記内壁によって画定された空洞内に位置させるために前記レンズマウントの前記底部に取り付けられる、請求項１６に記載のカメラモジュール。
【請求項１９】
カメラモジュールであって、
カメラモジュールレンズと、
光学センサを備える感光装置と
を備え、前記カメラモジュールレンズが、前記光学センサの感光性経路に配置され、前記カメラモジュールレンズが、
３つの内部光学レンズと、
少なくとも１つの外部光学レンズと、
円錐水晶体構成部品であって、３つの前記内部光学レンズがそれぞれ第１の内部光学レンズ、第２の内部光学レンズ、第３の光学レンズであり、前記円錐水晶体構成部品が収容空洞を有し、３つの前記内部光学レンズが前記収容空洞内に配置され、前記外部光学レンズが前記円錐水晶体構成部品の前記底部及び前記外部に配置され、前記円錐水晶体構成部品の前記側壁が、前記第１の内部光学レンズに対応する前記側壁の上に配置された少なくとも１つの調整チャネルを有し、前記第１の内部光学レンズが前記円錐水晶体構成部品で調整可能に事前に組み付けられる、前記円錐水晶体構成部品と
を備える、カメラモジュール。
【請求項２０】
前記各外部光学レンズが、その前記外側全体を完全に覆うために前記外部光学レンズの前記外側に配置されたシェーディング層を有する、請求項１９に記載のカメラモジュール。
【請求項２１】
前記円錐水晶体構成部品が、その上部に配置された、前記第１の内部光学レンズに対応している少なくとも１つの固着チャネルを有し、これにより前記第１の内部光学レンズが前記固着チャネルを通した糊計量配分によって固着できる、請求項２０に記載のカメラモジュール。
【請求項２２】
前記円錐水晶体構成部品が、９０度で互いから別々に配置された４つの調整チャネルを備える、請求項２１に記載のカメラモジュール。
【請求項２３】
前記カメラモジュールの前記第２の内部光学レンズ及び前記第３の内部光学レンズが、互いと埋め込まれてレンズユニット全体を形成する、請求項２２に記載のカメラモジュール。
【請求項２４】
前記感光装置が、フィルタ、回路基板、及びレンズマウントをさらに備え、前記フィルタが前記レンズマウントに取り付けられ、前記光学センサの上方に配置され、前記光学センサが前記回路基板に付着され、前記回路基板が、前記光学センサを前記レンズマウントの内部の前記空洞に位置させるために前記レンズマウントの前記底部に取り付けられ、前記外部光学レンズが前記円錐水晶体構成部品と前記レンズマウントとの間に配置される、請求項２３に記載のカメラモジュール。
【請求項２５】
調整可能な光学レンズであって、
光学構造部材と、
少なくとも２つの光学レンズであって、前記各光学レンズが、前記光学構造部材の軸方向に沿って前記光学構造部材の内部空間内に配置され、前記光学構造部材の前記内部空間内の少なくとも１つの前記光学レンズの位置が調整されるように適応される、少なくとも２つの光学レンズと
を備える、調整可能な光学レンズ。
【請求項２６】
前記光学構造部材が、前記光学構造部材の前記内部空間を前記外部環境と連絡するように適応された少なくとも１つの調整チャネルを有し、事前に組み付けられている前記レンズが、前記調整チャネルに対応する前記光学構造部材の前記内部空間内に配置され、前記光学構造部材の前記内部空間内で事前に組み付けられている銭レンズが、前記調整チャネルを通して調整できる、請求項２５に記載の調整可能な光学レンズ。
【請求項２７】
カメラモジュールであって、
光学センサと、
調整可能な光学レンズであって、前記調整可能な光学レンズが前記光学センサの光受容の前記経路内に配置され、前記調整可能な光学レンズが、光学構造部材及び少なくとも２つのレンズを備え、前記各レンズは前記光学構造部材の前記垂直方向に沿って前記光学構造部材の前記内部空間内に配置され、前記カメラレンズの前記中心軸線及び前記光学センサの前記中心軸線が、前記カメラモジュールの前記画質を改善するために、前記調整可能な光学レンズ及び前記光学センサが実装される前に、前記光学構造部材の前記内部空間内の前記光学レンズの内の少なくとも１つの前記位置を調整することにより一致させられる、調整可能な光学レンズと
を備える、カメラモジュール。
【請求項２８】
前記光学構造部材が、前記光学構造部材の前記内部空間を前記外部環境と連絡するように適応された少なくとも１つの調整チャネルを有し、事前に組み付けられている前記光学レンズが、前記調整チャネルに対応する前記光学構造部材の前記内部空間に配置され、前記光学構造部材の前記内部空間内で事前に組み付けられている前記光学レンズが、前記調整チャネルを通して調整できる、請求項２７に記載のカメラモジュール。
【請求項２９】
カメラモジュールを製造するための方法であって、
（ａ）光学センサの感光性経路に調整可能な光学レンズを配置するステップと、
（ｂ）前記調整可能な光学レンズの前記中心軸線及び前記光学センサの延期中心軸線を一致させるために、前記調整可能な光学レンズの内の前記光学レンズの内の少なくとも１つの位置を調整するステップと、
（ｃ）前記調整可能な光学レンズ及び前記光学センサを実装して前記カメラモジュールを形成するステップと
を含む、製造方法。
【請求項３０】
前記ステップ（ｂ）では、前記調整可能な光学レンズの前記中心軸線及び前記光学センサの前記中心軸線は、前記調整可能な光学レンズの内の前記光学レンズの１つの前記位置を調整することによって一致する、請求項２９に記載の製造方法。
【請求項３１】
前記ステップ（ｂ）では、前記調整可能な光学レンズの前記中心軸線及び前記光学センサの前記中心軸線は、前記調整可能な光学レンズの内の前記最外部の光学レンズの前記位置を調整することによって一致する、請求項３０に記載の製造方法。
【請求項３２】
前記ステップ（ｂ）では、前記光学レンズの前記水平方向、前記垂直方向、前記傾斜方向、及び前記周辺方向の内の少なくとも１つが調整される、請求項２９から３１のいずれかに記載の製造方法。
【請求項３３】
前記ステップ（ｂ）では、調整された光学レンズ及び光学構造部材が、光学構造部材の前記内部空間内の前記光学レンズの前記位置が調整された後、実装される、請求項２９から３１のいずれかに記載の製造方法。
【請求項３４】
前記ステップ（ｂ）では、前記光学構造部材の側面部分が、前記光学構造部材の前記内部空間内に配置された前記光学レンズに対応する位置に形成された少なくとも１つの調整チャネルを有し、これにより前記光学構造部材の前記外部環境からの前記光学構造部材の銭内部空間内の前記光学レンズの前記位置は、前記調整チャネルを通して調整できる、請求項３３に記載の製造方法。
【請求項３５】
調整可能な光学レンズであって、
光学構造部材と、
少なくとも２つの光学レンズであって、前記光学レンズのそれぞれが、前記光学構造部材の軸方向に沿って前記光学構造部材の内部空間内に配置され、前記光学構造部材の前記内部空間内の前記光学レンズの内の少なくとも１つの位置が調整されるように配置される、少なくとも２つのレンズと
を備える、調整可能な光学レンズ。
【請求項３６】
前記光学構造部材が、前記光学構造部材の前記内部空間を前記外部安協と連絡する少なくとも１つの調整チャネルを有し、調整されるように適応された前記光学レンズが、前記調整チャネルに対応する前記光学構造部材の前記内部空間内に配置され、これにより前記光学構造部材の前記光学レンズの前記空間位置が、前記調整チャネルを通して調整されるように適応される、請求項３５に記載の調整可能な光学レンズ。
【請求項３７】
前記光学構造部材の前記内部空間内で調整されるように適応可能な前記光学レンズの位置が、少なくとも一方向で調整されるように適応可能である、請求項３６に記載の調整可能な光学レンズ。
【請求項３８】
調整されるように適応可能な前記光学レンズが、接着剤で前記光学構造部材の前記内部で事前に組み付けられ、前記接着剤が半凝固状態にある、請求項３５に記載の調整可能な光学レンズ。
【請求項３９】
調整されるように適応可能な前記光学レンズが、接着剤で前記光学構造部材の前記内部で事前に組み付けられ、前記接着剤が半凝固状態にある、請求項３７に記載の調整可能な光学レンズ。
【請求項４０】
前記光学構造部材が少なくとも１つの制限構造を有し、前記光学レンズが、それぞれ対応する前記制限構造で支えられる、請求項３６に記載の調整可能な光学レンズ。
【請求項４１】
前記調整可能な光学レンズが、前記光学構造部材の前記上部で事前に組み付けられ、感光性経路に沿って前記光学レンズと整列されるアパーチャ部材をさらに備え、前記アパーチャ部材の前記組付け位置が調整されるように適応される、請求項３５から４０のいずれかに記載の調整可能な光学レンズ。
【請求項４２】
前記アパーチャ部材の組付け位置が、少なくとも一方向での前記光学構造部材の前記位置と相対的に調整されるように適応可能である、請求項４１に記載の調整可能な光学レンズ。
【請求項４３】
前記アパーチャ部材が、接着剤を半凝固させることにより事前に組み付けられる、請求項４２に記載の調整可能な光学レンズ。
【請求項４４】
事前組付けで使用される前記接着剤が、ＵＶ接着剤、及び前記事前組付けを達成するために紫外線曝露後に半凝固になる熱硬化性接着剤の混合接着剤であり、前記加熱処理後、前記接着剤が、前記調整可能な光学レンズ全体を固着するために完全に凝固する、請求項４３に記載の調整可能な光学レンズ。
【請求項４５】
接着剤注入チャネルが前記アパーチャ部材の前記位置にセットされ、前記接着剤注入チャネルが、前記接着剤注入チャネルを介して前記接着剤を注入することにより、調整された前記光学レンズを固着するために、調整されるように適応可能である前記光学レンズに対応している、請求項４３に記載の調整可能な光学レンズ。
【請求項４６】
調整可能な光学レンズであって、
光学構造部材と、
少なくとも１つのレンズであって、前記光学レンズが前記光学構造部材の前記軸方向に沿って前記光学構造部材の前記内部空間内でセットされ、固着される少なくとも１つのレンズと、
前記光学構造部材の上部及び前記光学レンズの上面で事前に組み付けられるアパーチャ部材であって、前記アパーチャ部材の組付け位置が、前記光学構造部材の前記空間位置に対応して調整されるように適応可能である、アパーチャ部材と
を備える、調整可能な光学レンズ。
【請求項４７】
前記アパーチャ部材が、接着剤を半凝固させることにより事前に組み付けられる、請求項４６に記載の調整可能な光学レンズ。
【請求項４８】
事前組付けで使用される前記接着剤が、ＵＶ接着剤、及び前記事前組付けを達成するために紫外線曝露後に半凝固になる熱硬化性接着剤の混合接着剤であり、前記加熱処理後、前記接着剤が、前記アパーチャ部材を固着するために完全に凝固する、請求項４７に記載の調整可能な光学レンズ。
【請求項４９】
前記アパーチャ部材の組付け位置が、少なくとも一方向で調整されるように適応可能である、請求項４６から４７のいずれかに記載の調整可能な光学レンズ。
【請求項５０】
前記光学構造部材の前記内壁が、前記光学レンズを支持するために適応される少なくとも１つの制限構造を有する、請求項４９に記載の調整可能な光学レンズ。
【請求項５１】
カメラモジュールであって、
感光装置であって、光学センサを含む前記感光装置と、
前記光学センサの光受容の前記経路に配置された調整可能な光学レンズであって、前記調整可能な光学レンズが、光学構造部材、少なくとも１つの光学レンズ、及びアパーチャ部材を備え、前記各光学レンズが、前記光学構造部材の前記軸方向に沿って前記光学構造部材の前記内部空間内に配置され、前記アパーチャ部材が、前記光学構造部材の上部に及び前記光学レンズの前記上面に配置され、少なくとも１つの前記光学レンズが、前記光学構造部材の前記内部空間内で事前に組み付けられ、前記調整可能な光学レンズ及び前記感光装置を実装する前に、事前に組み付けられた前記レンズの前記光学構造部材の内部での前記組付け位置が調整されるように適応可能であり、調整後、前記カメラモジュールの撮像が前記解像度要件を満たすために回転される、調整可能な光学レンズと
を備える、カメラモジュール。
【請求項５２】
前記光学構造部材が、前記光学構造部材の前記内部空間を前記外部環境と連絡するように適応された少なくとも１つの調整チャネルを有し、事前に組み付けられている前記光学レンズが、前記調整チャネルに対応する前記光学構造部材の前記内部空間で配置され、前記光学構造部材の前記内部空間内で事前に組み付けられている前記光学レンズが、前記調整チャネルを通して調整できる、請求項５１に記載のカメラモジュール。
【請求項５３】
前記光学構造部材の前記内部空間内の前記調整可能な光学レンズの前記光学レンズが、少なくとも一方向で調整することができ、前記調整可能な光学レンズの前記中心軸線及び前記光学センサの前記中心軸線が、前記光学レンズの調整後、一致する又は偏差の許容範囲内である、請求項５１に記載のカメラモジュール。
【請求項５４】
前記光学構造部材の前記内部空間内の前記調整可能な光学レンズの前記光学レンズが、少なくとも一方向で調整することができ、前記調整可能な光学レンズの前記中心軸線及び前記光学センサの前記中心軸線が、前記光学レンズの調整後、一致する又は偏差の許容範囲内である、請求項５２に記載のカメラモジュール。
【請求項５５】
前記光学構造部材が、その側壁で１２０度互いからそれぞれ別々に分離された事前に組み付けられた前記光学レンズのそれぞれに対応して位置する３つの調整チャネルを有し、前記調整チャネルが、そこでそれぞれ事前に組み付けられた前記光学レンズの前記水平位置及び前記垂直位置を調整するように適応可能である、請求項５２に記載のカメラモジュール。
【請求項５６】
前記光学構造部材が、その側壁で１２０度互いからそれぞれ別々に分離された事前に組み付けられた前記光学レンズのそれぞれに対応して位置する３つの調整チャネルを有し、前記調整チャネルが、そこでそれぞれ事前に組み付けられた前記光学レンズの前記水平位置及び前記垂直位置を調整するように適応可能である、請求項５４に記載のカメラモジュール。
【請求項５７】
事前に組み付けられた前記光学レンズが、接着剤を半凝固させることにより事前に組み付けられる、請求項５６に記載のカメラモジュール。
【請求項５８】
事前組付けで使用される前記接着剤が、ＵＶ接着剤、及び前記事前組付けを達成するために紫外線曝露後に半凝固になる熱硬化性接着剤の混合接着剤であり、前記加熱処理後、前記接着剤が、前記調整可能な光学レンズ全体を固着するために完全に凝固する、請求項５７に記載の調整可能な光学レンズ。
【請求項５９】
前記光学装置が、フィルタ、レンズマウント、及び回路基板をさらに備え、前記フィルタが前記レンズマウントに固着され、前記光学センサが前記回路基板に付着され、、前記フィルタの下方に位置決めされ、前記光学構造部材が前記レンズマウントの上面に固着される、請求項５１から５８のいずれかに記載のカメラモジュール。
【請求項６０】
前記光学装置が、フィルタ及び回路基板をさらに備え、前記フィルタが前記光学構造部材に設置され、前記光学レンズの下方に位置決めされ、前記光学センサが前記回路基板に付着され、前記フィルタの下方に位置決めされ、前記光学構造部材と前記光学センサとの間の空間距離が固定されている、請求項５１から５８のいずれかに記載のカメラモジュール。
【請求項６１】
カメラモジュールであって、
感光装置であって、光学センサを含む前記感光装置と、
前記光学センサの光受容の前記経路に配置された調整可能な光学レンズであって、前記調整可能な光学レンズが光学構造部材、少なくとも１つの光学レンズ、及びアパーチャ部材を備え、前記各光学レンズが、前記光学構造部材の前記軸方向に沿って前記光学構造部材の前記内部空間内に配置され、前記アパーチャ部材が前記光学構造部材の前記上部で事前に組み付けられ、前記調整可能な光学レンズ及び前記感光装置を実装する前に、前記アパーチャ部材の前記組付け位置が前記光学構造部材の前記空間位置に対応して調整されるように適応可能であり、調整後、前記カメラモジュールの撮像が前記解像度要件を満たすために回転される、調整可能な光学レンズと
を備える、カメラモジュール。
【請求項６２】
少なくとも１つの前記光学レンズが、前記光学構造部材の前記内部空間内で事前に組み付けられ、前記調整可能な光学レンズ及び前記感光装置を実装する前に、前記光学構造部材の内部の事前に組み付けられた前記光学レンズが調整されるように適応可能である、請求項６１に記載のカメラモジュール。
【請求項６３】
前記レンズの前記組付け位置が、少なくとも一方向で調整されるように適応され、前記調整可能な光学レンズの前記中心軸線及び前記光学センサの前記中心軸線が、前記調整後、一致する又は偏差の許容範囲内である、請求項６２に記載のカメラモジュール。
【請求項６４】
前記光学構造部材が、前記光学構造部材の前記内部空間を前記外部環境と連絡するように適応された少なくとも１つの調整チャネルを有し、事前に組み付けられている前記光学レンズは、前記調整チャネルに対応する前記光学構造部材の前記内部空間内に配置され、前記光学構造部材の前記内部空間内で事前に組み付けられている前記光学レンズが前記調整チャネルを通して調整できる、請求項６３に記載のカメラモジュール。
【請求項６５】
前記光学構造部材が、その側壁で１２０度互いからそれぞれ分離される事前に組み付けられた前記光学レンズのそれぞれに対応して位置する３つの調整チャネルを有し、前記調整チャネルが、そこでそれぞれ事前に組み付けられた前記光学レンズの前記水平位置及び前記垂直位置を調整するように適応可能である、請求項６３に記載のカメラモジュール。
【請求項６６】
前記アパーチャ部材が、そこに接着剤注入チャネルを配置させ、前記接着剤注入チャネルが、前記接着剤注入チャネルを介して前記接着剤を注入し、凝固させることにより、調整された前記額レンズを固着するために、調整されるように適応可能である前記光学レンズに対応している、請求項６３に記載のカメラモジュール。
【請求項６７】
前記アパーチャ部材の前記組付け位置が、少なくとも一方向で調整されるように適応され、前記調整可能な光学レンズの前記中心軸線及び前記光学センサの前記中心軸線が、調整後、一致する又は偏差の許容範囲内である、請求項６１に記載のカメラモジュール。
【請求項６８】
前記アパーチャ部材の前記組付け位置が、少なくとも一方向で調整されるように適応され、前記調整可能な光学レンズの前記中心軸線及び前記光学センサの前記中心軸線が、調整後、一致する又は偏差の許容範囲内である、請求項６３に記載のカメラモジュール。
【請求項６９】
前記アパーチャ部材が、接着剤を半凝固させることにより前記光学構造部材の前記上部で事前に組み付けられる、請求項６７に記載のカメラモジュール。
【請求項７０】
前記アパーチャ部材が、接着剤を半凝固させることにより前記光学構造部材の前記上部で事前に組み付けられる、請求項６８７に記載のカメラモジュール。
【請求項７１】
事前に組み付けられた前記光学レンズが、接着剤を半凝固させることにより前記光学構造部材の前記内部空間内で事前に組み付けられる、請求項７０に記載のカメラモジュール。
【請求項７２】
事前組付けで使用される前記接着剤が、ＵＶ接着剤、及び前記事前組付けを達成するために紫外線曝露後に半凝固になる熱硬化性接着剤の混合接着剤であり、前記加熱処理後、前記接着剤が、前記調整可能な光学レンズ全体を固着するために完全に凝固する、請求項７１に記載のカメラモジュール。
【請求項７３】
前記光学装置が、フィルタ、レンズマウント、及び回路基板をさらに備え、前記フィルタが前記レンズマウントに固着され、前記光学センサが前記回路基板に付着され、前記フィルタの下方に位置決めされ、前記光学構造部材が前記レンズマウントの上面に固着される、請求項６１から７２のいずれかに記載のカメラモジュール。
【請求項７４】
前記光学装置が、フィルタ及び回路基板をさらに備え、前記フィルタが前記光学構造部材に設置され、前記光学レンズの下方に位置決めされ、前記光学センサが前記回路基板に付着され、前記フィルタの下方に位置決めされ、前記光学構造部材と前記光学センサとの間の空間距離が固定されている、請求項６１から７２のいずれかに記載のカメラモジュール。
【請求項７５】
カメラモジュールの製造方法であって、
（Ａ）光学装置によって含まれる光学センサの感光性経路に沿って調整可能な光学レンズを配置するステップと、
（Ｂ）前記カメラモジュールの事前組付けを完了するために前記調整可能な光学レンズで調整可能な光学部品を事前に組み付けるステップと、
（Ｃ）調整済みが解像度要件を満たした後に前記カメラモジュールの前記撮像を行うために前記調整可能な光学部品の組付け位置を調整するステップと、
（Ｄ）前記カメラモジュールを形成するために前記調整可能な光学レンズ及び前記光学装置を実装するステップと
を含む、カメラモジュールの製造方法。
【請求項７６】
前記調整可能な光学部品が少なくとも１つの光学レンズであり、前記ステップ（Ｂ）では、前記光学レンズの内の少なくとも１つが事前に組み付けられた光学レンズとして前記調整可能な光学レンズで事前に組み付けられ、前記事前に組み付けられた光学レンズの前記組付け位置を調整することによって、前記調整可能な光学レンズの前記中心軸線及び前記光学センサの前記中心軸線が、一致する又は偏差の許容範囲内にあるように調整される、請求項７５に記載の製造方法。
【請求項７７】
前記調整可能な光学部品がアパーチャ部材であり、前記ステップ（Ｂ）では、前記アパーチャ部材が前記調整可能な光学レンズの前記上部で事前に組み付けられ、前記アパーチャ部材の前記組付け位置を調整することによって、前記調整可能な光学レンズの前記中心軸線及び前記光学センサの前記中心軸線が一致する又は偏差の許容範囲内になるように調整される、請求項７５に記載の製造方法。
【請求項７８】
前記調整可能な光学部品はアパーチャ部材及び少なくとも１つのレンズであり、ステップ（Ｂ）では、前記アパーチャ部材及び前記光学レンズの内の少なくとも１つが、前記調整可能な光学レンズで事前に組み付けられ、前記事前に組み付けられたレンズ及び前記アパーチャ部材の前記組付け位置を調整することによって、前記調整可能な光学レンズの前記中心軸線及び前記光学センサの前記中心軸線が一致する又は偏差の許容範囲内になるように調整される、請求項７５に記載の製造方法。
【請求項７９】
前記調整可能な光学レンズによって含まれる光学構造部材の側壁は、前記光学構造部材の前記内部空間を前記外部環境に接続するために、側壁中に少なくとも１つの調整チャネルを有し、前記調整チャネルに対応する前記光学構造部材の前記内部空間内の前記事前に組み付けられた空間は、前記調整チャネルを通して前記光学構造部材の内部でその空間位置を調整するように適応可能である、請求項７６に記載の製造方法。
【請求項８０】
前記調整可能な光学レンズによって含まれる光学構造部材の側壁は、前記光学構造部材の前記内部空間を前記外部環境に接続するために、側壁中に少なくとも１つの調整チャネルを有し、前記調整チャネルに対応する前記光学構造部材の前記内部空間内の前記事前に組み付けられた空間は、前記調整チャネルを通して前記光学構造部材の内部でその空間位置を調整するように適応可能である、請求項７８に記載の製造方法。
【請求項８１】
前記ステップ（Ｄ）では、前記調整チャネルでの接着剤計量配分工程によって、前記調整チャネルが密封され、加熱工程を実施することによって、前記光学レンズを事前に組み付けるため及び前記接着剤計量配分工程のための前記接着剤が凝固し、これにより前記調整された光学レンズが、前記カメラモジュール全体をさらに固定するために固着される、請求項７９に記載の製造方法。
【請求項８２】
前記ステップ（Ｄ）では、前記調整チャネルでの接着剤計量配分工程によって、前記調整チャネルが密封され、加熱工程を実施することによって、前記光学レンズを事前に組み付けるため及び前記接着剤計量配分工程のための前記接着剤が凝固し、これにより前記調整された光学レンズ及び前記アパーチャ部材が、前記カメラモジュール全体をさらに固定するために固着される、請求項７９に記載の製造方法。
【請求項８３】
前記ステップ（Ｄ）では、前記アパーチャ部材がその上に少なくとも１つの接着剤注入チャネルを有し、前記接着剤注入チャネルが前記事前に組み付けられた光学レンズに対応しており、接着剤を前記接着剤注入チャネルに注入し、事前組付けのための前記接着剤及び接着剤計量配分のための前記接着剤を凝固させるために加熱工程を実施することによって、前記調整された光学レンズが、前記カメラモジュール全体を固定するために固着される、請求項７９に記載の製造方法。
【請求項８４】
前記ステップ（Ｄ）では、前記アパーチャ部材がその上に少なくとも１つの接着剤注入チャネルを有し、前記接着剤注入チャネルが前記事前に組み付けられた光学レンズに対応しており、接着剤を前記接着剤注入チャネルに注入し、事前組付けのための前記接着剤及び接着剤計量配分のための前記接着剤を凝固させるために加熱工程を実施することによって、前記調整された光学レンズ及び前記アパーチャ部材が、前記カメラモジュール全体を固定するために固着される、請求項８０に記載の製造方法。
【請求項８５】
前記調整可能な光学部品の組付け位置が、前記調整可能な光学部品の前記水平方向、前記垂直方向、前記傾斜方向、及び前記周辺方向の内の少なくとも任意の１つの方向を調整することにより調整される、請求項７４から８４のいずれかに記載の製造方法。
【請求項８６】
前記調整可能な光学部品が接着剤で事前に組み付けられ、事前組付けのために使用される前記接着剤が、前記ステップ（Ｂ）では前記調整可能な光学部品の前記事前組付けを達成するために紫外線曝露後に半凝固になるＵＶ接着剤及び熱硬化性接着剤の混合接着剤であり、前記ステップ（Ｄ）では、前記加熱工程後、前記接着剤が前記カメラモジュール全体を固定するために完全に凝固する、請求項８５に記載の製造方法。
【請求項８７】
前記ステップ（Ｃ）が、
（Ｃ１）前記事前に組み付けられたカメラモジュールの撮像を取り込むステップと、
（Ｃ２）前記カメラモジュールの前記撮像に基づいて、ソフトウェアを用いて前記調整可能な光学部品のための較正測定を計算するステップと、
（Ｃ３）前記較正測定に従って前記調整可能な光学部品の組付け位置を調整するステップと
を含む、請求項７５から８４のいずれかに記載の製造方法。
【請求項８８】
前記ステップ（Ｃ）が、
（Ｃ１）前記事前に組み付けられたカメラモジュールの撮像を取り込むステップと、
（Ｃ２）前記カメラモジュールの前記撮像に基づいて、ソフトウェアを用いて前記調整可能な光学部品のための較正測定を計算するステップと、
（Ｃ３）前記較正測定に従って前記調整可能な光学部品の組付け位置を調整するステップと
を含む、請求項８６に記載の製造方法。
【請求項８９】
前記ステップ（Ｃ）では、前記カメラモジュールの前記撮像が、前記調整可能な光学部品が調整された後、前記解像度要件を満たすことができない場合、前記ステップ（Ｃ１）から（Ｃ３）が、前記調整されたカメラモジュールの前記撮像が前記解像度要件を満たすまで繰り返される必要がある、請求項８７に記載の製造方法。
【請求項９０】
前記ステップ（Ｃ）では、前記事前に組み付けられたカメラモジュールが電源を投入され、前記カメラモジュールの撮像が取り込まれ、前記カメラモジュールの前記撮像の前記取込みは前記カメラモジュールを用いてＭＴＦ試験チャートを撮像することに基づき、前記ＭＴＦ値は前記カメラモジュールの前記画質を表すために適用され、より大きいＭＴＦ値が、前記カメラモジュールのより高い画質を示し、前記カメラモジュールの前記撮像が取り込まれるたびに、前記撮像に対応するＭＴＦ値が計算される必要があり、前記ＭＴＦ値は、次いで、それが前記標準よりも大きいかどうかを判断するためにチェックされ、前記ＭＴＦ値が前記標準以上である場合、前記取込みは完了し、前記ＭＴＦ値が前記標準より低い場合、別の取込み及び調整が必要とされる、請求項８８に記載の製造方法。
【請求項９１】
毎回撮像を取り込む工程で、光の前記パラメータ及び前記ＭＴＦ試験チャートと前記カメラモジュールとの間の距離を含む、前記カメラモジュールの前記撮影のための環境パラメータが、以後の調整ステップを実施するための撮像取込みの前記確度及び一貫性を保証するために厳しく制御される、請求項９０に記載の製造方法。
【請求項９２】
前記ステップ（Ｃ２）では、前記調整可能な光学部品の前記組付け位置を調整するために適用されるソフトウェアは、光学レンズの光学設計の感受性の研究に基づくように適応可能であり、前記調整可能な光学部品の組付け位置の前記較正測定を計算するためにソフトウェアを適用する前記方法は、（１）較正前に、ＭＴＦ値、前記光軸の偏心度、前記光軸の傾斜角、及び像面湾曲を含む前記カメラモジュールの光学特性を測定することと、（２）それぞれ、前記光軸の前記偏心度の前記感受性、前記光軸の傾斜角、及び前記調整可能な光学部品の前記組付け位置の像面湾曲に基づいて前記調整可能な光学部品の前記組付け位置によって必要とされる前記較正測定を計算することとを含む、請求項８７に記載の製造方法。
【請求項９３】
前記ステップ（Ｃ２）では、前記調整可能な光学部品の前記組付け位置を調整するために適用されるソフトウェアは、光学レンズの光学設計の感受性の研究に基づくように適応可能であり、前記調整可能な光学部品の組付け位置の前記較正測定を計算するためにソフトウェアを適用する前記方法は、（１）較正前に、ＭＴＦ値、前記光軸の偏心度、前記光軸の傾斜角、及び像面湾曲を含む前記カメラモジュールの光学特性を測定することと、（２）それぞれ、前記光軸の前記偏心度の前記感受性、前記光軸の傾斜角、及び前記調整可能な光学部品の前記組付け位置の像面湾曲に基づいて前記調整可能な光学部品の前記組付け位置によって必要とされる前記較正測定を計算することとを含む、請求項９０に記載の製造方法。
【請求項９４】
前記ステップ（Ａ）では、前記カメラモジュールによって含まれる前記光学部品のパーツのための前記固定組付けを達成するために前記調整可能な光学レンズ及び前記感光装置を組み付けることによって、前記感光装置がフィルタ、レンズマウント、及び回路基板をさらに備え、前記フィルタが前記レンズマウントに固定してセットされ、前記光学センサが、前記回路基板の前記上面及び前記フィルタの前記底面の両方で付着され、前記調整可能な光学部品以外の前記調整可能な光学レンズのすべての要素が、前記レンズマウントの前記上面に固定され、前記組付け及び固定の工程で、前記要素の前記組付け公差が許容範囲内で制御される、請求項９３に記載の製造方法。
【請求項９５】
前記ステップ（Ａ）では、前記カメラモジュールによって含まれる前記光学部品のパーツのための前記固定組付けを達成するために前記調整可能な光学レンズ及び前記感光装置を組み付けることによって、前記感光装置がフィルタ及び回路基板をさらに含み、前記フィルタが前記調整可能な光学レンズによって構成された光学構造部材に固定してセットされ、前記光学レンズの前記底面上にあり、前記光学センサが、前記回路基板の前記上面及び前記フィルタの前記底面の両方で付着され、前記光学構造部材は光学センサとの間の前記空間距離に対応して固着され、前記組付け及び固定の工程で、前記要素の前記組付け公差が許容範囲内で制御される、請求項９３に記載の製造方法。
【請求項９６】
調整可能な光学レンズであって、
少なくとも１つのレンズ
を備え、
光学構造部材が、その前記内部空間内に順序正しく、重複して、及び間隔を置いて設置された前記光学レンズを有し、少なくとも１つの前記光学レンズが、前記調整可能なレンズとしての機能を果たし、組付け位置は調整されるために適切であり、前記光学構造部材は、それぞれ前記調整チャネル及び前記固着チャネルを通して前記調整可能なレンズを調整し、固着するために適応可能な、少なくとも１つの調整チャネル及び固着チャネルも備える、請求項９６に記載の調整可能な光学レンズ。
【請求項９７】
前記固着チャネル及び前記調整チャネルが、前記光学構造部材上の前記同じ位置に配置され、前記調整チャネル及び前記固着チャネルの両方とも前記調整可能なレンズに対応し、前記光学構造部材の前記内部空間を外部環境に連絡し、これにより前記調整可能なレンズは、調整され、固着されるために前記調整チャネル及び前記固着チャネルを通して前記光学構造部材の前記外部環境に連絡できる、請求項９６に記載の調整可能な光学レンズ。
【請求項９８】
前記固着チャネル及び前記調整チャネルが、前記光学構造部材上の異なる位置に配置され、前記調整チャネル及び前記固着チャネルの両方とも前記調整可能なレンズに対応し、前記光学構造部材の前記内部空間を前記外部環境に連絡し、これにより前記調整可能なレンズが、調整され、固着されるために前記調整チャネル及び前記固着チャネルを通して前記光学構造部材の外部環境に連絡できる、請求項９６に記載の調整可能な光学レンズ。
【請求項９９】
前記調整可能なレンズが、前記光学構造部材の上部に配置された前記調整可能な光学レンズの内の前記光学レンズの最初の１個である、請求項９７に記載の調整可能な光学レンズ。
【請求項１００】
前記調整可能なレンズが、前記光学構造部材の上部に配置された前記調整可能な光学レンズの内の前記光学レンズの最初の１個である、請求項９８に記載の調整可能な光学レンズ。
【請求項１０１】
前記調整可能なレンズが、前記光学構造部材の前記中央に配置された前記光学レンズの任意の１つ以上である場合がある、請求項９７に記載の調整可能な光学レンズ。
【請求項１０２】
前記調整可能なレンズが、前記光学構造部材の前記中央に配置された前記光学レンズの任意の１つ以上である場合がある、請求項９８に記載の調整可能な光学レンズ。
【請求項１０３】
前記調整チャネル及び前記固着チャネルがともに前記光学構造部材の上部に配置される、請求項９９に記載の調整可能な光学レンズ。
【請求項１０４】
前記調整チャネル及び前記固着チャネルがともに前記光学構造部材の上部に配置される、請求項１００に記載の調整可能な光学レンズ。
【請求項１０５】
前記調整チャネル及び前記固着チャネルがともに前記光学構造部材の側面に配置される、請求項９９に記載の調整可能な光学レンズ。
【請求項１０６】
前記調整チャネルが前記光学構造部材の側面に配置され、前記固着チャネルが前記光学構造部材の上部に配置される、請求項１００に記載の調整可能な光学レンズ。
【請求項１０７】
前記調整チャネルが前記光学構造部材の上部に配置され、前記固着チャネルが前記光学構造部材の側面に配置される、請求項１００に記載の調整可能な光学レンズ。
【請求項１０８】
前記調整チャネル及び前記固着チャネルがともに前記光学構造部材の側面に配置される、請求項１０１に記載の調整可能な光学レンズ。
【請求項１０９】
前記調整チャネル及び前記固着チャネルがともに前記光学構造部材の側面に配置される、請求項１０２に記載の調整可能な光学レンズ。
【請求項１１０】
前記調整可能なレンズの前記組付け位置が、前記調整可能なレンズと接するために外部調整装置を前記調整チャネルの中に挿入することにより調整することができ、前記調整可能なレンズの前記組付け位置が少なくとも一方向で調整されるように適応可能であり、これにより前記調整可能な光学レンズの前記光路が較正できる、請求項９６から１０９のいずれかに記載の調整可能な光学レンズ。
【請求項１１１】
前記外部調整装置が、前記調整可能なレンズの前記調整方法及び較正測定を記録するように適応可能である自動化機能を有する、又は前記調整可能なレンズの前記調整方法及び較正測定を前記外部調整装置に入力することが適応可能である、請求項１１０に記載の調整可能な光学レンズ。
【請求項１１２】
前記調整された調整可能なレンズが、糊計量配分装置で前記調整可能なレンズの前記端縁の上に接着剤を注入し、次いで前記接着剤を凝固させることにより固着できる、請求項９６から９９のいずれかに記載の調整可能な光学レンズ。
【請求項１１３】
前記接着剤が、前記調整可能なレンズの上面を前記光学構造部材の前記内壁と固着することにより前記調整可能なレンズを固着するために、前記調整可能なレンズの前記上面に注入されるように適応可能である、請求項１１２に記載の調整可能な光学レンズ。
【請求項１１４】
前記接着剤が、前記調整可能なレンズの側面を前記光学構造部材の前記内壁と固着することにより前記調整可能なレンズを固着するために、前記調整可能なレンズの前記側面に注入されるように適応可能である、請求項１１２に記載の調整可能な光学レンズ。
【請求項１１５】
前記調整可能なレンズが、前記調整可能なレンズの前記端縁に配置された少なくとも１つの調整溝を有し、前記調整可能なレンズが、前記調整チャネルを通して外部調整装置を前記調整溝の中に挿入して、前記調整可能なレンズの前記組付け位置を調整するように適応可能である、請求項９９、１００、１０３、１０４、及び１０７のいずれかに記載の調整可能な光学レンズ。
【請求項１１６】
カメラモジュールであって、
光学センサと、
前記光学センサの前記感光性経路に配置された調整可能な光学レンズであって、前記調整可能な光学レンズが少なくとも１つのレンズ及び少なくとも１つの光学構造部材を備え、前記光学レンズが、前記光学構造部材の前記内部空間内に順序正しく、重複して、且つ間隔を置いて設置され、少なくとも１つの前記光学レンズが前記調整可能なレンズとしての機能を果たし、組付け位置が調整されるために適切であり、前記光学構造部材が、それぞれ前記調整チャネル及び前記固着チャネルを通して前記調整可能なレンズを調整し、固着するために適応可能な少なくとも１つの調整チャネル及び固着チャネルも備える調整可能な光学レンズと
を備える、カメラモジュール。
【請求項１１７】
前記固着チャネル及び前記調整チャネルが、前記光学構造部材上の前記同じ位置に配置され、前記調整チャネル及び前記固着チャネルの両方とも前記調整可能なレンズに対応し、前記光学構造部材の前記内部空間を前記外部環境に連絡し、これにより前記調整可能なレンズが、調整され、固着されるために前記調整チャネル及び前記固着チャネルを通して前記光学構造部材の前記外部環境に連絡できる、請求項１１６に記載のカメラモジュール。
【請求項１１８】
前記固着チャネル及び前記調整チャネルが、前記光学構造部材上の異なる位置に配置され、前記調整チャネル及び前記固着チャネルの両方とも前記調整可能なレンズに対応し、前記光学構造部材の内部空間を前記外部環境に連絡し、これにより前記調整可能なレンズは、調整され、固着されるために前記調整チャネル及び前記固着チャネルを通して前記光学構造部材の前記外部環境に連絡できる、請求項１１６に記載のカメラモジュール。
【請求項１１９】
前記調整可能なレンズが、前記光学構造部材の上部に配置された前記調整可能な光学レンズの内の前記光学レンズの最初の１個である、請求項１１７に記載のカメラモジュール。
【請求項１２０】
前記調整可能なレンズが、前記光学構造部材の上部に配置された前記調整可能な光学レンズの内の前記光学レンズの最初の１個である、請求項１１８に記載のカメラモジュール。
【請求項１２１】
前記調整可能なレンズが、前記光学構造部材の前記中央に配置された前記光学レンズの任意の１つ以上である場合がある、請求項１１７に記載のカメラモジュール。
【請求項１２２】
前記調整可能なレンズが、前記光学構造部材の前記中央に配置された前記光学レンズの任意の１つ以上である場合がある、請求項１１８に記載のカメラモジュール。
【請求項１２３】
前記調整チャネル及び前記固着チャネルがともに前記光学構造部材の上部に配置される、請求項１１９に記載のカメラモジュール。
【請求項１２４】
前記調整チャネル及び前記固着チャネルがともに前記光学構造部材の上部に配置される、請求項１２０に記載のカメラモジュール。
【請求項１２５】
前記調整チャネル及び前記固着チャネルがともに前記光学構造部材の側面に配置される、請求項１１９に記載のカメラモジュール。
【請求項１２６】
前記調整チャネルが前記光学構造部材の側面に配置され、前記固着チャネルが前記光学構造部材の上部に配置される、請求項１２０に記載のカメラモジュール。
【請求項１２７】
前記調整チャネルが前記光学構造部材の上部に配置され、前記固着チャネルが前記光学構造部材の側面に配置される、請求項１２０に記載のカメラモジュール。
【請求項１２８】
前記調整チャネル及び前記固着チャネルがともに前記光学構造部材の側面に配置される、請求項１２１に記載のカメラモジュール。
【請求項１２９】
前記調整チャネル及び前記固着チャネルがともに前記光学構造部材の側面に配置される、請求項１１２に記載のカメラモジュール。
【請求項１３０】
前記調整可能なレンズの前記組付け位置が、前記調整可能なレンズに接触するために外部調整装置を前記調整チャネルの中に挿入することにより調整することができ、前記調整可能なレンズの前記組付け位置が少なくとも一方向で調整されるように適応可能であり、調整後、前記調整可能な光学レンズの前記中心軸線及び前記光学センサの前記中心軸線が一致する、又は逸脱の許容範囲内にある、請求項１１６から１２９のいずれかに記載のカメラモジュール。
【請求項１３１】
前記外部調整装置が、前記調整可能なレンズの前記調整方法及び較正測定を記録するように適応可能である自動化機能を有する、又は前記調整可能なレンズの前記調整方法及び較正測定を前記外部調整装置に入力することが適応可能である、請求項１３０に記載のカメラモジュール。
【請求項１３２】
前記調整された調整可能なレンズが、糊計量配分装置で前記調整可能なレンズの前記端縁の上に接着剤を注入し、次いで前記接着剤を凝固させることにより固着できる、請求項１１６から１２９のいずれかに記載のカメラモジュール。
【請求項１３３】
前記接着剤が、前記調整可能なレンズの上面を前記光学構造部材の前記内壁と固着することにより前記調整可能なレンズを固着するために、前記調整可能なレンズの前記上面に注入されるように適応可能である、請求項１３２に記載のカメラモジュール。
【請求項１３４】
前記接着剤が、前記調整可能なレンズの側面を前記光学構造部材の前記内壁と固着することにより前記調整可能なレンズを固着するために、前記調整可能なレンズの前記側面に注入されるように適応可能である、請求項１３３に記載のカメラモジュール。
【請求項１３５】
前記調整可能なレンズが、前記調整可能なレンズの前記端縁に配置された少なくとも１つの調整溝を有し、前記調整可能なレンズが、前記調整チャネルを通して外部調整装置を前記調整溝の中に挿入して、前記調整可能なレンズの前記組付け位置を調整するように適応可能である、請求項１１９、１２０、１２３、１２４、及び１２７のいずれかに記載のカメラモジュール。
【請求項１３６】
カメラモジュールのための較正方法であって、
（Ａ）光学構造部材の内部空間内に、及び光学センサの前記感光性経路内に少なくとも１つの光学レンズを設置するステップであって、前記調整可能なレンズとしての機能を果たす前記光学レンズの内の少なくとも１つが事前に組み付けられ、その組付け位置が、調整可能な光学レンズの前記事前組付けを完了するために、前記光学レンズの残りが固着される間に調整可能である、１つ以上のレンズを設置するステップと、
（Ｂ）前記カメラモジュールの撮像に解像度要件を満たさせるために、前記光学構造部材に配置された少なくとも１つの調整チャネルを通して前記調整可能なレンズを調整するステップと、
（Ｃ）前記カメラモジュールの前記較正を完了するために、前記光学構造部材に配置された少なくとも１つの固着チャネルを通して前記調整可能なレンズを調整するステップと
を含む、カメラモジュールの較正方法。
【請求項１３７】
前記ステップ（Ａ）では、それが、前記事前に組み付けられた調整可能なレンズを感光装置と組み付ける、又は前記光学構造部材が前記感光装置で組み付けられた後に前記光学レンズを組み付けるかのどちらかでよい、請求項１３６に記載の方法。
【請求項１３８】
前記ステップ（Ｂ）が、以下の（Ｂ１）前記事前に組み付けられたカメラモジュールの電源を投入し、前記カメラモジュールの前記撮像を取り込むステップと、（Ｂ２）前記カメラモジュールの前記撮像に基づいて、前記調整可能なレンズのための前記調整方法及び較正測定を計算するステップと、（Ｂ３）前記較正測定に基づいて前記調整可能なレンズを調整するステップとを含む、請求項１３６に記載の方法。
【請求項１３９】
前記ステップ（Ｂ）が、以下の（Ｂ１）前記事前に組み付けられたカメラモジュールの電源を投入し、前記カメラモジュールの前記撮像を取り込むステップと、（Ｂ２）前記カメラモジュールの前記撮像に基づいて、前記調整可能なレンズのための前記調整方法及び較正測定を計算するステップと、（Ｂ３）前記較正測定に基づいて前記調整可能なレンズを調整するステップとを含む、請求項１３７に記載の方法。
【請求項１４０】
前記ステップ（Ｂ３）では、外部調整装置が、前記調整可能なレンズと接触し、少なくとも一方向で前記調整可能なレンズの前記組付け位置を調整するために前記調整チャネルに挿入され、調整後、前記調整可能な光学レンズの前記中心軸線及び前記光学センサの前記中心軸線が一致する、又は逸脱の許容範囲内にある、請求項１３８に記載の方法。
【請求項１４１】
前記ステップ（Ｂ３）では、外部調整装置が、前記調整可能なレンズと接触し、少なくとも一方向で前記調整可能なレンズの前記組付け位置を調整するために前記調整チャネルに挿入され、調整後、前記調整可能な光学レンズの前記中心軸線及び前記光学センサの前記中心軸線が一致する、又は逸脱の許容範囲内にある、請求項１３９に記載の方法。
【請求項１４２】
前記外部調整装置が、前記調整可能なレンズの前記調整方法及び較正測定を記録するように適応可能である自動化機能を有する、又は外部調整装置が、前記調整可能なレンズの前記調整方法及び較正測定を前記外部調整装置に入力して前記調整可能なレンズを正確に調整するように適応可能である、請求項１４１に記載の方法。
【請求項１４３】
前記外部調整装置が、機械保持又は真空吸引により前記調整可能なレンズを調整する、請求項１４０から１４２のいずれかに記載の方法。
【請求項１４４】
前記ステップ（Ｃ）では、前記調整された調整可能なレンズが、糊計量配分装置を用いて前記調整可能なレンズの前記端縁の上に接着剤を注入し、次いで前記接着剤を凝固させることにより固着できる、請求項１３７から１４２のいずれかに記載の方法。
【請求項１４５】
前記ステップ（Ｃ）では、接着剤が、前記調整可能なレンズの上面を光学構造部材の内壁と固着することにより調整可能なレンズを固着するために、調整可能なレンズの上面に注入される、請求項１３７から１４２のいずれかに記載の方法。
【請求項１４６】
前記ステップ（Ｃ）では、接着剤が、前記調整可能なレンズの側面を前記光学構造部材の前記内壁と固着することにより前記調整可能なレンズを固着するために、前記調整可能なレンズの側面に注入される、請求項１４４に記載の方法。
【請求項１４７】
前記調整チャネル及び前記固着チャネルがともに前記光学構造部材の上部に配置される、請求項１４４に記載の方法。
【請求項１４８】
前記調整チャネル及び前記固着チャネルがともに前記光学構造部材の側面に配置される、請求項１４４に記載の方法。
【請求項１４９】
前記調整チャネルが前記光学構造部材の側面に配置され、前記固着チャネルが前記光学構造部材の上部に配置される、請求項１４４に記載の方法。
【請求項１５０】
カメラモジュールのための較正方法であって、
（ａ）感光装置で光学構造部材を組み付けるステップと、
（ｂ）前記光学構造部材の前記中央又は前記底部の前記内部空間内で少なくとも１つの光学レンズを組み付け、固着するステップと、
（ｃ）前記カメラモジュールの前記事前組付けを完了するために、前記光学構造部材の上部の前記内部空間内で調整可能なレンズを事前に組み付けるステップと、
（ｄ）前記調整されたカメラモジュールの前記撮像に前記解像度要件を満たさせるために前記事前に組み付けられたカメラモジュールを較正するステップと、
（ｅ）前記調整可能なレンズを固着することによって前記カメラモジュールの較正を完了するステップと
を含む、カメラモジュールの較正方法。
【請求項１５１】
前記ステップ（ｄ）が、（ｄ１）前記事前に組み付けられたカメラモジュールの電源を投入し、前記カメラモジュールの前記撮像を取り込むステップと、（ｄ２）前記カメラモジュールの前記撮像に基づいて、前記調整可能なレンズのための前記調整方法及び較正測定を計算するステップと、及び（ｄ３）前記カメラモジュールを較正するために、前記較正測定に基づいて前記調整可能なレンズを調整するステップと
を含む、請求項１５０に記載の方法。
【請求項１５２】
前記調整可能なレンズが、前記光学構造部材の前記上部の前記光入射位置から外部調整装置によって接触され、これにより前記調整可能なレンズの前記組付け位置が少なくとも一方向で調整できる、請求項１５０から１５１のいずれかに記載の方法。
【請求項１５３】
前記外部調整装置が、機械保持又は真空吸引により前記調整可能なレンズを調整する、請求項１５２に記載の方法。
【請求項１５４】
前記ステップ（ｅ）では、接着剤が、前記光学構造部材の前記上部の前記光入射位置から注入され、前記調整可能なレンズが、前記接着剤を凝固させることにより前記光学構造部材の前記内部空間内で固着される、請求項１５０から１５１のいずれかに記載の方法。
【請求項１５５】
前記ステップ（ｅ）では、接着剤が、前記光学構造部材の前記上部の前記光入射位置から注入され、前記調整可能なレンズが、前記接着剤を凝固させることにより前記光学構造部材の前記内部空間内で固着される、請求項１５２に記載の方法。
【請求項１５６】
カメラモジュールレンズであって、
少なくとも１つの内部レンズと、
少なくとも１つの外部レンズと、
円錐水晶体構成部品であって、前記内部光学レンズが予め設計された順序に従って前記円錐水晶体構成部品の内部に配置され、前記外部光学レンズが、前記円錐水晶体構成部品の前記垂直方向に沿って前記円錐水晶体構成部品の前記外部で用意し、前記内部光学レンズ及び前記外部光学レンズが、すべて前記カメラモジュールレンズの前記光路に配置される、円錐水晶体構成部品と
を備える、カメラモジュールレンズ。
【請求項１５７】
前記内部光学レンズが接合され、前記円錐水晶体構成部品で固着される全体の中に組み付けられる、請求項１５６に記載のカメラモジュールレンズ。
【請求項１５８】
隣接する前記内部光学レンズは、スペーサリング又は接着剤によって埋め込まれる、又は互いと統合される、請求項１５７に記載のカメラモジュールレンズ。
【請求項１５９】
少なくとも１個の前記内部光学レンズが、調整可能なレンズとしての機能を果たすために前記円錐水晶体で事前に組み付けられ、前記調整可能なレンズの前記組付け位置が、少なくとも一方向で前記円錐水晶体構成部品の前記空間位置に対応して調整されるように適応可能である、請求項１５６に記載のカメラモジュールレンズ。
【請求項１６０】
前記円錐水晶体構成部品が、その外側の前記周辺方向に沿って配置された少なくとも１つの調整チャネルを有し、前記調整チャネルが、前記円錐水晶体構成部品の前記内部空間及び前記外部環境を連絡し、それぞれ前記調整可能なレンズに対応し、これにより前記カメラモジュールレンズの前記光路は、前記調整チャネルを通して前記調整可能なレンズの前記組付け位置を調整することによって調整されるように適応される。
【請求項１６１】
前記調整可能なレンズが、前記調整チャネルも密封する糊計量配分装置によって前記調整チャネルを通して注入される接着剤によって前記円錐水晶体構成部品の前記内壁に固着される、請求項１６０に記載のカメラモジュールレンズ。
【請求項１６２】
前記内部光学レンズの前記最初の１個が前記調整可能なレンズとしての機能を果たし、前記円錐水晶体構成部品の前記上部の前記内部空間内に配置されるとき、前記円錐水晶体構成部品の前記上部が、固着チャネルを通して接着剤を注入することによって前記調整可能なレンズを固着することを適切にするために、前記調整可能なレンズの前記端縁を前記外部環境と連絡するために前記調整可能なレンズの前記端縁に対応する少なくとも１つの前記固着チャネルを有する、請求項１５９に記載のカメラモジュールレンズ。
【請求項１６３】
前記内部レンズの前記最初の１個が前記調整可能なレンズとしての機能を果たし、前記円錐水晶体構成部品の前記上部の前記内部空間内に配置されるとき、前記円錐水晶体構成部品の前記上部が、固着チャネルを通して接着剤を注入することによって前記調整可能なレンズを固着することを適切にするために、前記調整可能なレンズの前記端縁を前記外部環境と連絡するために前記調整可能なレンズの前記端縁に対応する少なくとも１つの前記固着チャネルを有する、請求項１６０に記載のカメラモジュールレンズ。
【請求項１６４】
前記円錐水晶体構成部品が、９０度で互いと間隔を置いて配置されたその前記周辺方向に沿って配置された４つの前記調整チャネル、及び９０度で互いと間隔を置いて配置されたその前記周辺方向に沿って配置された４つの固着チャネルを有する、請求項１６３に記載のカメラモジュールレンズ。
【請求項１６５】
前記外部光学レンズが前記円錐水晶体構成部品の前記底部に固着され、前記外部光学レンズの前記上面の前記端縁及び前記円錐水晶体構成部品の前記底面が接続される、請求項１５６から１６４のいずれかに記載のカメラモジュールレンズ。
【請求項１６６】
前記外部光学レンズが、調整可能なレンズとしての機能を果たすために前記円錐水晶体構成部品の前記底部で事前に組み付けられ、前記外部光学レンズの前記上面の前記端縁及び前記円錐水晶体構成部品の前記底面が接続され、前記外部光学レンズの前記組付け位置が、前記円錐水晶体構成部品の前記組付け位置に対応して少なくとも一方向で調整されるように適応可能である、請求項１５６から１６４のいずれかに記載のカメラモジュールレンズ。
【請求項１６７】
前記各外部光学レンズが、前記外部光学レンズの前記外側全体を完全に覆うために、前記外部光学レンズの前記外側にシェーディング層を配置させる、請求項１６５に記載のカメラモジュールレンズ。
【請求項１６８】
前記各外部光学レンズが、前記外部光学レンズの前記外側全体を完全に覆うために、前記外部光学レンズの前記外側にシェーディング層を配置させる、請求項１６６に記載のカメラモジュールレンズ。
【請求項１６９】
前記シェーディング層が、その上に黒い糊を塗ることにより前記各外部光学レンズの前記外側に形成される、請求項１６７に記載のカメラモジュールレンズ。
【請求項１７０】
前記黒い糊が熱硬化性接着剤である、請求項１６９に記載のカメラモジュールレンズ。
【請求項１７１】
カメラモジュールであって、
感光装置であって、光学センサ及びレンズマウントを含む前記感光装置と、
前記光学センサの前記感光性経路に配置されたカメラモジュールレンズであって、前記カメラモジュールレンズが少なくとも１つの内部光学レンズ、少なくとも１つの外部光学レンズ、及び円錐水晶体構成部品を備え、前記内部光学レンズが予め設計され順序で前記円錐水晶体構成部品の前記内部空間内に配置され、前記外部光学レンズが前記円錐水晶体構成部品と前記レンズマウントとの間に配置され、前記内部光学レンズ及び前記外部光学レンズがすべて前記光学センサの前記感光性経路に配置される、カメラモジュールレンズと
を備える、カメラモジュール。
【請求項１７２】
前記内部光学レンズが接合され、前記円錐水晶体構成部品で固着される全体の中に組み付けられる、請求項１７１に記載のカメラモジュール。
【請求項１７３】
隣接する前記内部光学レンズは、スペーサリング又は接着剤によって埋め込まれる、又は互いと統合される、請求項１５７に記載のカメラモジュール。
【請求項１７４】
少なくとも１個の前記内部光学レンズが、調整可能なレンズとしての機能を果たすために前記円錐水晶体で事前に組み付けられ、前記調整可能なレンズの前記組付け位置が、少なくとも一方向で前記円錐水晶体構成部品の前記空間位置に対応して調整されるように適応可能である、請求項１７１に記載のカメラモジュール。
【請求項１７５】
前記円錐水晶体構成部品が、その外側の前記周辺方向に沿って配置された少なくとも１つの調整チャネルを有し、前記調整チャネルが、前記円錐水晶体構成部品の前記内部空間及び前記外部環境を連絡し、前記調整チャネルを通して前記調整可能なレンズの前記組付け位置を調整するために、それぞれ前記調整可能なレンズに対応し、これにより調整後、前記カメラモジュールレンズの前記中心軸線及び前記光学センサの前記中心軸線が一致する又は逸脱の許容範囲内にある、請求項１７４に記載のカメラモジュール。
【請求項１７６】
前記調整可能なレンズが、前記調整チャネルも密封する糊計量配分装置によって前記調整チャネルを通して注入される接着剤によって前記円錐水晶体構成部品の前記内壁に固着される、請求項１７５に記載のカメラモジュール。
【請求項１７７】
前記内部光学レンズの前記最初の１個が前記調整可能なレンズとしての機能を果たし、前記円錐水晶体構成部品の前記上部の前記内部空間内に配置されるとき、前記円錐水晶体構成部品の前記上部が、固着チャネルを通して接着剤を注入することによって前記調整可能なレンズを固着することを適切にするために、前記調整可能なレンズの前記端縁を前記外部環境と連絡するために前記調整可能なレンズの前記端縁に対応する少なくとも１つの前記固着チャネルを有する、請求項１７４に記載のカメラモジュール。
【請求項１７８】
前記内部レンズの前記最初の１個が前記調整可能なレンズとしての機能を果たし、前記円錐水晶体構成部品の前記上部の前記内部空間内に配置されるとき、前記円錐水晶体構成部品の前記上部が、固着チャネルを通して接着剤を注入することによって前記調整可能なレンズを固着することを適切にするために、前記調整可能なレンズの前記端縁を前記外部環境と連絡するために前記調整可能なレンズの前記端縁に対応する少なくとも１つの前記固着チャネルを有する、請求項１７５に記載のカメラモジュール。
【請求項１７９】
前記円錐水晶体構成部品が、９０度で互いと間隔を置いて配置されたその前記周辺方向に沿って配置された４つの前記調整チャネル、及び９０度で互いと間隔を置いて配置されたその前記周辺方向に沿って配置された４つの固着チャネルを有する、請求項１７８に記載のカメラモジュール。
【請求項１８０】
前記各外部光学レンズが、前記外部光学レンズの前記外側全体を完全に覆うために、前記外部光学レンズの前記外側にシェーディング層を配置させる、請求項１７４から１７９のいずれかに記載のカメラモジュール。
【請求項１８１】
前記シェーディング層が、その上に黒い糊を塗ることにより前記各外部光学レンズの前記外側に形成される、請求項１８０に記載のカメラモジュール。
【請求項１８２】
前記黒い糊が熱硬化性接着剤である、請求項１８１に記載のカメラモジュール。
【請求項１８３】
前記外部光学レンズが前記円錐水晶体構成部品と前記レンズマウントとの間で固着され、前記外部光学レンズの前記上面の前記端縁及び前記底面の前記端縁がそれぞれ固着して前記円錐水晶体構成部品の前記底面及び前記レンズマウントの前記上面と接続される、請求項１８０に記載のカメラモジュール。
【請求項１８４】
前記調整可能なレンズとしての機能を果たす前記外部光学レンズが、前記円錐水晶体構成部品と前記レンズマウントとの間で事前に組み付けられ。前記外部光学レンズの前記上面の前記端縁及び前記底面の前記端縁は、それぞれ前記円錐水晶体構成部品の前記底面及び前記レンズマウントの前記上面と移動できるように接続され、前記外部光学レンズ及び前記円錐水晶体構成部品の前記組付け位置は、前記光学センサの前記組付け位置と対応して、少なくとも一方向で調整されるようにともに適応可能であり、調整後、前記カメラモジュールレンズの前記中心軸線及び前記光学センサの前記中心軸線が一致する、又は逸脱の許容範囲内にある、請求項１８０に記載のカメラモジュール。
【請求項１８５】
前記外部光学レンズが、前記円錐水晶体構成部品と前記レンズマウントとの間で事前に組み付けられ、前記外部光学レンズの前記上面の前記端縁が、前記円錐水晶体構成部品の前記底面と固着して接続され、一方前記外部光学レンズの前記底面の前記端縁及び前記円錐水晶体構成部品の前記底面は移動できるように事前に組み付けられ、これにより前記カメラモジュールレンズの前記組付け位置は、前記光学センサの前記組付け位置に対応して、少なくとも一方向で調整されるように適応可能であり、調整後、前記カメラモジュールレンズの前記中心軸線及び前記光学センサの前記中心軸線が一致する、又は逸脱の許容範囲内にある、請求項１８０に記載のカメラモジュール。
【請求項１８６】
前記外部光学レンズが、接着剤によって前記レンズマウント上で事前に組み付けられ、前記事前組付けで使用される接着剤は、ＵＶ接着剤、及び事前組付けを達成するために紫外線曝露後に半凝固になる熱硬化性接着剤の混合接着剤であり、接着剤は、調整後前記外部光学レンズを固着するために完全に凝固する、請求項１８４に記載のカメラモジュール。
【請求項１８７】
前記外部光学レンズが、接着剤によって前記レンズマウント上で事前に組み付けられ、前記事前組付けで使用される接着剤は、ＵＶ接着剤、及び事前組付けを達成するために紫外線曝露後に半凝固になる熱硬化性接着剤の混合接着剤であり、接着剤は、調整後前記外部光学レンズを固着するために完全に凝固する、請求項１８５に記載のカメラモジュール。
【請求項１８８】
カメラモジュールレンズの組付け方法であって、以下の
（Ａ）予め設計された順序で円錐水晶体構成部品の前記内部空間内に少なくとも１つの内部光学レンズを配置するステップと、
（Ｂ）前記円錐水晶体構成部品の垂直方向で前記円錐水晶体構成部品の前記底部の前記拡張空間に少なくとも１つの外部光学レンズを配置するステップと、
（Ｃ）前記カメラモジュールレンズの組付けを完了するステップと
を含む、方法。
【請求項１８９】
前記ステップ（Ａ）では、前記内部光学レンズが接合され、前記円錐水晶体構成部品の前記内部空間で次いで固着される全体の中に予め設計された順序で組み付けられる、請求項１８８に記載の方法。
【請求項１９０】
前記ステップ（Ａ）では、前記内部光学レンズが、予め設計された順序で前記円錐水晶体構成部品の前記内部空間で固着される、請求項１８８に記載の方法。
【請求項１９１】
前記ステップ（Ａ）では、前記調整可能なレンズとしての機能を果たす少なくとも１個の内部光学レンズが、前記円錐水晶体構成部品の前記内部空間内で事前に組み付けられ、前記調整可能なレンズの前記組付け位置が、前記円錐水晶体構成部品の前記内部空間に対応して少なくとも一方向で調整されるように適応可能である、請求項１８８に記載の方法。
【請求項１９２】
前記円錐水晶体構成部品が、その上に配置される少なくとも１つの調整チャネルを有し、前記円錐水晶体構成部品の前記内部空間及び前記外部環境を連絡し、前記調整可能なレンズに対応し、これにより前記カメラモジュールレンズの前記光路が、前記調整チャネルを通して前記調査委可能なレンズの前記外側に接触し、前記調整可能なレンズの前記組付け位置を調整するために、外部調整装置を活用することにより、調整されるように適応可能である、請求項１９１に記載の方法。
【請求項１９３】
前記調整可能なレンズが、糊計量配分装置によって前記調整チャネルを通して注入される接着剤によって前記円錐水晶体構成部品の前記内壁に固着され、これが前記カメラモジュールの前記組付けを完了するために前記調整チャネルも密封する、請求項１９２に記載の方法。
【請求項１９４】
前記内部光学レンズの前記最初の１個が前記調整可能なレンズとしての機能を果たし、前記円錐水晶体構成部品の前記上部の前記内部空間内に配置されるとき、前記円錐水晶体構成部品の前記上部が、前記カメラモジュールの前記組付けを完了するために、固着チャネルを通して接着剤を注入することによって前記調整可能なレンズを固着することを適切にするために、前記調整可能なレンズの前記端縁を前記外部環境と連絡するために前記調整可能なレンズの前記端縁に対応する少なくとも１つの前記固着チャネルを有する、請求項１９２に記載の方法。
【請求項１９５】
前記ステップ（Ｂ）では、前記外部光学レンズが前記円錐少々体構成部品の前記底部で固着され、前記外部光学レンズの上面の前記端縁及び前記円錐水晶体構成部品の前記底面が、そのどちらかに接着剤を塗布することにより固着して接続される、請求項１８８から１９４のいずれかに記載の方法。
【請求項１９６】
前記ステップ（Ｂ）では、前記外部光学レンズが、前記調整可能なレンズとしての機能を果たすために前記円錐水晶体構成部品の前記底部で事前に組み付けられ、前記外部光学レンズの前記上面の前記端縁及び前記円錐水晶体構成部品の前記底面がそのどちらかに接着剤を塗布することにより事前に組み付けられ、前記外部光学レンズの前記組付け位置が、前記円錐水晶体格子部品の前記組付け位置に対応して少なくとも一方向で調整されるように適応可能である、請求項１８８から１９４のいずれかに記載の方法。
【請求項１９７】
前記外部光学レンズの前記外側にシェーディング層を配置するステップであって、前記シェーディング層の前記配置が、前記外部レンズの組付けの前又は後のどちらかに実施されるように適応可能である、配置するステップ（Ｄ）をさらに含む、請求項１８８から１９４のいずれかに記載の方法。
【請求項１９８】
前記外部光学レンズの前記外側にシェーディング層を配置するステップであって、前記シェーディング層の前記配置が、前記外部レンズの組付けの前又は後のどちらかに実施されるように適応可能である、配置するステップ（Ｄ）をさらに含む、請求項１９５に記載の方法。
【請求項１９９】
前記外部光学レンズの前記外側にシェーディング層を配置するステップであって、前記シェーディング層の前記配置が、前記外部レンズの組付けの前又は後のどちらかに実施されるように適応可能である、配置するステップ（Ｄ）をさらに含む、請求項１９６に記載の方法。
【請求項２００】
前記ステップ（Ｄ）では、前記シェーディング層が、その上に黒い糊を塗ることにより前記各外部光学レンズの前記外側に形成され、前記シェーディング層が前記外部光学レンズの前記側面全体を完全に覆う、請求項１９７に記載の方法。
【請求項２０１】
前記ステップ（Ｄ）では、前記シェーディング層が、その上に黒い糊を塗ることにより前記各外部光学レンズの前記外側に形成され、前記シェーディング層が前記外部光学レンズの前記側面全体を完全に覆う、請求項１９８に記載の方法。
【請求項２０２】
前記ステップ（Ｄ）では、前記シェーディング層が、その上に黒い糊を塗ることにより前記各外部光学レンズの前記外側に形成され、前記シェーディング層が前記外部光学レンズの前記側面全体を完全に覆う、請求項１９９に記載の方法
【請求項２０３】
カメラモジュールレンズのための組付け方法であって、以下の
（ａ）予め設計された順序で円錐水晶体構成部品の内部空間内に少なくとも１つの内部光学レンズを配置するステップと、
（ｂ）前記円錐水晶体構成部品の垂直方向で前記円錐水晶体構成部品の前記外部空間に少なくとも１つの外部光学レンズを配置するステップと、
（ｃ）前記カメラモジュールレンズの前記組付けを完了するために前記外部光学レンズの前記外側にシェーディング層を配置するステップと、
（ｄ）光学センサの感光性経路にカメラモジュールレンズを配置するステップと、
（ｅ）前記カメラモジュールの前記事前組付けを完了するステップと、
（ｆ）前記カメラモジュールの前記組付けを完了するために前記カメラモジュールレンズ及び前記光学センサを実装するステップと
を含む、カメラモジュールレンズのための組付け方法。
【請求項２０４】
前記ステップ（ａ）では、前記内部光学レンズが接合され、前記円錐水晶体構成部品の前記内部空間内に次いで固着される全体の中に予め設計された順序で組み付けられる、請求項２０３に記載の方法。
【請求項２０５】
前記ステップ（ａ）では、前記内部光学レンズが、予め設計された順序で次々と前記円錐水晶体構成部品の前記内部空間で固着される、請求項２０４に記載の方法。
【請求項２０６】
前記ステップ（ａ）では、前記調整可能なレンズとしての機能を果たす少なくとも１個の内部光学レンズが、前記円錐水晶体構成部品の前記内部空間で事前に組み付けられ、前記調整可能なレンズの前記組付け位置は、前記円錐水晶体構成部品の前記内部空間に対応して少なくとも一方向で調整されるように適応可能である、請求項２０４に記載の方法。
【請求項２０７】
前記円錐水晶体構成部品が、その中に少なくとも１つの調整チャネルを配置させ、前記円錐水晶体構成部品の前記内部空間及び前記外部環境を連絡し、外部調整装置が、前記調整可能なレンズの前記組付け位置を調整するために、前記調整チャネルを通して前記調整可能なレンズの前記外側に接触するために適応可能であるために前記調整可能なレンズに対応し、前記調整後、前記カメラモジュールレンズの前記中心軸線及び前記光学センサの前記中心軸線が一致する、又は偏差の許容範囲内なる、請求項２０５に記載の方法。
【請求項２０８】
前記調整可能なレンズが、糊計量配分装置によって前記調整チャネルを通して注入された接着剤によって前記円錐水晶体構成部品の前記内壁に固着され、これが前記調整チャネルも密封する、請求項２０７に記載の方法。
【請求項２０９】
前記内部光学レンズの前記最初の１個が前記調整可能なレンズとしての機能を果たし、前記円錐水晶体構成部品の前記上部の前記内部空間内に配置されるとき、前記円錐水晶体構成部品の前記上部が、固着チャネルを通して接着剤を注入することによって前記調整可能なレンズを固着することを適切にするために、前記調整可能なレンズの前記端縁を前記外部環境と連絡するために前記調整可能なレンズの前記端縁に対応する少なくとも１つの前記固着チャネルを有する、請求項２０８に記載の方法。
【請求項２１０】
前記ステップ（ｂ）及び前記ステップ（ｄ）では、前記外部光学レンズが、前記円錐水晶体構成部品とレンズマウントとの間で固着され、前記外部光学レンズ及び前記円錐水晶体構成部品が、前記外部光学レンズの前記上面の前記端縁及び前記円錐水晶体構成部品の前記底面に接着剤を塗布することにより固着して接続され、前記外部光学レンズ及び前記レンズマウントが、前記外部光学レンズの前記底面の前記端縁及び前記レンズマウントの前記上面に接着剤を塗布することにより固着して接続される、請求項２０３から２０９のいずれかに記載の方法。
【請求項２１１】
前記ステップ（ｂ）及び前記ステップ（ｄ）では、前記外部光学レンズが、調整可能なレンズとしての機能を果たすために前記円錐水晶体構成部品とレンズマウントとの間で事前に組み付けられ、前記外部光学レンズ及び前記円錐水晶体構成部品が、前記外部光学レンズの前記上面の前記端縁と前記円錐水晶体構成部品の前記底面との間に接着剤を塗布することにより事前に組み付けられ、前記外部光学レンズ及び前記レンズマウントが、前記外部光学レンズの前記底面の前記端縁及び前記レンズマウントの前記上面に接着剤を塗布することにより事前に組み付けられ、前記外部光学レンズ及び前記円錐水晶体構成部品の前記組付け位置が、前記光学センサに対応してともに少なくとも一方向で調整されるように適応可能である、請求項２０３から２０９のいずれかに記載の方法。
【請求項２１２】
前記ステップ（ｂ）及び前記ステップ（ｄ）では、前記外部光学レンズは、調整可能なレンズとしての機能を果たすために前記円錐水晶体構成部品と前記レンズマウントとの間で事前に組み付けられ、前記外部光学レンズ及び前記円錐水晶体構成部品は、前記外部光学レンズの前記上面の前記端縁と前記円錐水晶体構成部品の前記底面との間に接着剤を塗布することにより固着して接続され、前記外部光学レンズ及び前記レンズマウントは、前記外部光学レンズの前記底面の前記端縁及び前記レンズマウントの前記上面に接着剤を塗布することにより事前に組み付けられ、前記外部光学レンズ及び前記円錐水晶体構成部品の前記組付け位置は、前記光学センサに対応して、ともに少なくとも一方向で調整されるように適応可能である、請求項２０３から２０９のいずれかに記載の方法。
【請求項２１３】
前記ステップ（ｂ）及び前記ステップ（ｄ）では、前記外部光学レンズは、調整可能なレンズとしての機能を果たすために前記円錐水晶体構成部品と前記レンズマウントとの間で事前に組み付けられ、前記外部光学レンズ及び前記円錐水晶体構成部品は、前記外部光学レンズの前記上面の前記端縁と前記円錐水晶体構成部品の前記底面との間に接着剤を塗布することにより事前に組み付けられ、前記外部光学レンズ及び前記レンズマウントは、前記外部光学レンズの前記底面の前記端縁及び前記レンズマウントの前記上面に接着剤を塗布することにより固着して接続され、前記円錐水晶体構成部品の前記組付け位置は、前記光学センサに対応して、少なくとも一方向で調整されるように適応可能である、請求項２０３から２０９のいずれかに記載の方法。
【請求項２１４】
前記ステップ（ｅ）は、以下の（ｅ１）前記事前に組み付けられたカメラモジュールの電源を投入し、前記カメラモジュールの前記撮像を取り込むステップと、（ｅ２）前記カメラモジュールの前記撮像に基づいて、前記調整可能なレンズのための前記調整方法及び較正測定を計算するステップと、（ｅ３）前記カメラモジュールの撮像に解像度要件を満たさせるために、前記較正測定に基づいて前記調整可能なレンズを調整するステップとを含む、請求項２０３から２０９のいずれかに記載の方法。
【請求項２１５】
前記ステップ（ｅ）は、以下の（ｅ１）前記事前に組み付けられたカメラモジュールの電源を投入し、前記カメラモジュールの前記撮像を取り込むステップと、（ｅ２）前記カメラモジュールの前記撮像に基づいて、前記調整可能なレンズのための前記調整方法及び較正測定を計算するステップと、（ｅ３）前記カメラモジュールの撮像に解像度要件を満たさせるために、前記較正測定に基づいて前記調整可能なレンズを調整するステップとを含む、請求項２１１に記載の方法。
【請求項２１６】
前記ステップ（ｅ）は、以下の（ｅ１）前記事前に組み付けられたカメラモジュールの電源を投入し、前記カメラモジュールの前記撮像を取り込むステップと、（ｅ２）前記カメラモジュールの前記撮像に基づいて、前記調整可能なレンズのための前記調整方法及び較正測定を計算するステップと、（ｅ３）前記カメラモジュールの撮像に解像度要件を満たさせるために、前記較正測定に基づいて前記調整可能なレンズを調整するステップとを含む、請求項２１２に記載の方法。
【請求項２１７】
前記ステップ（ｆ）では、前記調整可能なレンズが、前記カメラモジュールの前記組付けを完了するために、糊計量配分を通して固着される、請求項２１４に記載の方法。
【請求項２１８】
前記ステップ（ｆ）では、前記調整可能なレンズが、前記カメラモジュールの前記組付けを完了するために、糊計量配分を通して固着される、請求項２１５に記載の方法。
【請求項２１９】
前記ステップ（ｆ）では、前記調整可能なレンズが、前記カメラモジュールの前記組付けを完了するために、糊計量配分を通して固着される、請求項２１６に記載の方法。
【請求項２２０】
前記ステップ（ｃ）では、前記シェーディング層の前記配置は、前記外部光学レンズの前記組付けの前又は後のどちらかに実施されるように適応可能である、請求項２０３から２０９のいずれかに記載の方法。
【請求項２２１】
前記ステップ（ｃ）では、前記シェーディング層の前記配置は、前記外部光学レンズの前記組付けの前又は後のどちらかに実施されるように適応可能である、請求項２１５に記載の方法。
【請求項２２２】
前記ステップ（ｃ）では、前記シェーディング層の前記配置は、前記外部光学レンズの前記組付けの前又は後のどちらかに実施されるように適応可能である、請求項２１６に記載の方法
【請求項２２３】
前記ステップ（ｃ）では、前記シェーディング層は、その上に黒色の糊を塗ることにより、前記外部光学レンズのそれぞれの前記外側に形成され、前記シェーディング層は、前記外部光学レンズの前記側面全体を完全に覆う、請求項２１７に記載の方法。
【請求項２２４】
前記ステップ（ｃ）では、前記シェーディング層は、その上に黒色の糊を塗ることにより、前記外部光学レンズのそれぞれの前記外側に形成され、前記シェーディング層は、前記外部光学レンズの前記側面全体を完全に覆う、請求項２２１に記載の方法。
【請求項２２５】
前記ステップ（ｃ）では、前記シェーディング層は、その上に黒色の糊を塗ることにより、前記外部光学レンズのそれぞれの前記外側に形成され、前記シェーディング層は、前記外部光学レンズの前記側面全体を完全に覆う、請求項２２２に記載の方法。
【発明の詳細な説明】
【技術分野】
【０００１】
著作権の表示
本特許文書の本開示の一部分には、著作権保護の対象となる資料が含まれている。本特許開示は米国特許商標局のファイル及び記録に表示されているので、著作権者は本特許開示の何者かによるいかなる複製に対しても異議を唱えないが、それ以外の場合すべてのいかなる著作権も留保する。
【０００２】
本発明は、カメラモジュールの分野に関し、より詳細には調整可能な光学レンズ及びカメラモジュール並びにその製造方法及び応用に関する。
【背景技術】
【０００３】
携帯電子機器が普及するにつれ、ユーザ向けの画像取込み（例えば、ビデオ又はピクチャ）用の携帯電子機器に適用されるカメラモジュール関係の技術が急速に開発され、改善されてきた。一方、カメラモジュールは、最近及び広範囲に、医療、安全性及びセキュリティ、並びに工業生産分野等を含む種々の分野に適用されている。
【発明の概要】
【発明が解決しようとする課題】
【０００４】
従来のカメラモジュールはレンズ及び光学センサを含む。レンズは鏡胴の中で光学センサの感光性経路に沿って配置され、被写体から反射される光はレンズを通ってカメラモジュールの内部に入射し、光電変換を続けるために光学センサによって受光され、これにより被写体に対する画像は後でカメラモジュールによって取り込むことができる。カメラモジュール技術はすべての産業及び分野でさらに活用されてきたので、市場のユーザはカメラモジュールの画質に対してより多くを厳しく要求している。しかしながら、カメラモジュールの成形技術及び実装技術の制限並びにカメラモジュールのレンズの製造工程のため、市場における現在のカメラモジュールは市場向けの高品質カメラモジュールの応用の必要性をかろうじて達成できている。より詳細には、従来の光学レンズは、通常、互いと重複して整列され、ともに成形された複数のレンズを含む。レンズでは、レンズの中心軸線は各レンズの中心軸線の位置によって影響を及ぼされる場合がある。最も理想的な状態は、各レンズの中心軸線が互いと一致していることである。しかしながら、実装技術の制限により、各レンズの中心軸線の間で生じる特定の偏差がある。また、各レンズは糊付け工程又は溶接工程を通して光学レンズのケースに配置される必要があるため、各レンズの位置及び傾きは糊付け材料及び溶接材料によって影響を及ぼされ、これによりレンズの中心軸線は、カメラケースにそれぞれ重複したレンズを実装することによってより大きい偏差を有する。実装の工程で、レンズ及び光学センサはともにカメラモジュールを形成し、レンズの中心軸線及び光学センサの中心軸線が整列していることを保証することは困難である。レンズの中心軸線と光学センサの中心軸線との間に偏差があると、カメラモジュールの画質は確実に影響を及ぼされる。したがって、カメラモジュールを生産する工程では、生産されたカメラモジュールの画質を保証する方法、及びカメラモジュールの生産中に画質を保証する一方、上述されたように発生する一連の問題は解決されるべき主要な技術的問題になる。
【０００５】
カメラモジュールの分野の主要な製造業者は、カメラモジュールの拡大する応用及び市場競合の急増として、その技術を絶え間なく改善している。製造業者の目標及び市場競合におけるカギは、より低い生産コスト、より高い生産効率、及びカメラモジュールのより優れた撮像画質を含む。
【０００６】
標準的な携帯電話カメラモジュールは、多くの場合材料の傾斜又は組付けに起因するぼやけた撮像の問題を有している。材料の傾斜又は組付けによって引き起こされるぼやけた撮像の問題を解決するために、１個のカメラレンズ又はカメラレンズのセットを調整することによりカメラレンズの光路を調整する技術が提供される。つまり、組み付けられたカメラモジュールのカメラレンズの可動部分は水平方向、垂直方向、傾斜方向、回転方向の内の少なくとも１つで調整でき、これによりカメラレンズの光軸は、ぼやけた撮像の問題を解決するためにチップに垂直となる、又は逸脱の供与範囲内となることができる。しかしながら、低コスト及びカメラモジュールの容易な組付けを保ちながら優れた画質を保証するためのレンズをよりうまく調整し、調整後にレンズを固着する方法は、カメラモジュールの分野では差し迫った要望になっている。
【０００７】
上述されたように、カメラモジュールの応用が広がるとき、カメラモジュールの必要性は多くの産業で継続的に高まり、カメラモジュールに対する品質要件はより高くなっている。より低コストのより優れた画質のカメラモジュールの製造業者に対するより厳しい要望がある。
【０００８】
標準的なカメラモジュール組付け手順では、カメラレンズは独立して組み付けられるパーツである。カメラレンズは、（アパーチャ部材を含む）円錐水晶体、レンズ（複数可）、スペーサリング、ストッパ等を含む。組付け工程は、順序正しく、円錐水晶体にスペーサリング及びレンズ（複数可）を設置すること、並びに糊又はストッパを活用してカメラレンズの組付けを完了するために最後のレンズを定位置に固着することを含む。上記組付け方法の組付け公差は、レンズ及びスペーサリングの組付け公差並びにレンズ及びカメラレンズの組付け公差を含む。したがって、この組付け方法の組付け公差チェーンは長すぎ、これが高組付けコスト及びレンズの組付け位置の低い確度をもたらし、カメラレンズの品質に影響を及ぼす。その結果として、カメラモジュール全体及び係るカメラモジュールを設置された製品の品質は悪影響を受けるだろう。
【０００９】
したがって、カメラモジュール組付けを改善し、組付け公差チェーンを短縮し、生産コストを引き下げ、画質を高める方法は、解決すべき差し迫った問題となっている。
【課題を解決するための手段】
【００１０】
本発明は、本発明が調整可能な光学レンズ及びカメラモジュール、並びにその製造方法及び応用を提供するという点で有利であり、調整可能な光学レンズは、１つの光学構造部材及び少なくとも２つのレンズを含む。レンズは、光学構造部材の内部空間に重複して且つ間隔を置いて配置され、光学構造部材の内部空間内のレンズの内の少なくとも１つの位置は調整可能に配置される。
【００１１】
本発明の別の優位点は、調整可能な光学レンズ及びカメラモジュール、並びにその製造方法を提供することであり、調整可能な光学レンズの中心軸線は、光学構造部材の内部空間内のレンズセットの内の１つ以上のレンズの位置（複数可）を変更することにより調整できる。例えば、光学構造部材の内部空間内の１つ以上のレンズの位置は調整されるが、調整可能な光学レンズ及び各レンズによって形成されるレンズセットの中心軸線は、調整可能な光学レンズの歩留まり率を上げるために一致させられる。
【００１２】
本発明の別の優位点は、調整可能な光学レンズ及びカメラモジュール並びにその製造方法及び応用を提供することであり、光学構造部材の内部空間内の調整可能な光学レンズのレンズの位置は、少なくとも一方向に沿って調整できる。
【００１３】
本発明の別の優位点は、調整可能な光学レンズ及びカメラモジュール並びにその製造方法及び応用を提供することであり、光学構造部材の内部空間内の調整可能な光学レンズの１つ以上のレンズの水平位置（複数可）が調整できる。
【００１４】
本発明の別の優位点は、調整可能な光学レンズ及びカメラモジュール並びにその製造方法及び応用を提供することであり、光学構造部材の内部空間内の調整可能な光学レンズの１つ以上のレンズの垂直位置（複数可）が調整できる。
【００１５】
本発明の別の優位点は、光学レンズ及びカメラモジュール並びにその製造方法及び応用を提供することであり、光学構造部材の内部空間内の調整可能な光学レンズの内の１つ以上のレンズの傾斜位置（複数可）が調整できる。
【００１６】
本発明の別の優位点は、調整可能な光学レンズ及びカメラモジュール並びにその製造方法及び応用を提供することであって、光学構造部材の内部空間内の調整可能な光学レンズの各レンズは回転するよう調整できる。
【００１７】
本発明の別の優位点は、調整可能な光学レンズ及びカメラモジュール並びにその製造方法及び応用を提供することであって、光学構造部材は少なくとも１つの調整チャネルを有し、１つ以上のレンズが光学構造部材の内部空間内に詰め込まれて調整可能な光学レンズを形成するとき、１つ以上のレンズは、調整チャネルを基準とする光学構造部材の内部空間内に配置され、これにより光学構造部材の光学構造部材の内部空間内の１つ以上のレンズの内の少なくとも１つの位置は、操作工程を簡略化するために少なくとも１つの調整チャネルを通して外部環境から調整できる。
【００１８】
本発明の別の優位点は、調整可能な光学レンズ及びカメラモジュール並びにその製造方法及び応用を提供することであって、調整可能な光学レンズ及び光学センサを互いと実装することによるカメラモジュールの製造方法では、光学構造部材の内部空間内の調整可能な光学レンズのレンズの内の少なくとも１つの位置は、カメラモジュールの調整可能な光学レンズの中心軸線及び光学センサの中心軸線が一致することを保証するために調整できる。
【００１９】
本発明の別の優位点は、調整可能な光学レンズ及びカメラモジュール並びにその製造方法及び応用を提供することであって、光学構造部材の内部空間内のレンズの内の１つの位置が調整されるとき、調整されたレンズが最初に光学構造部材内に実装され、次いで調整可能な光学レンズ及び光学センサが実装される。調整された光学レンズと光学センサとの間に生じた偏位は、カメラモジュールの信頼性を保証するために、調整可能な光学レンズ及び光学センサを実装するこの工程で防ぐことができる。
【００２０】
本発明の別の優位点は、調整可能な光学レンズ及びカメラモジュール並びにその製造方法及び応用を提供することであって、カメラモジュールを実装する工程で、調整可能な光学レンズの中心軸線及び光学センサの中心軸線の偏差の範囲は、カメラモジュールのための歩留まり率及び画質を改善するために許容範囲の中で調整できる。
【００２１】
本発明の別の優位点は、調整可能な光学レンズ及びカメラモジュール並びにその製造方法及び応用を提供することであって、調整可能な光学レンズはアパーチャ部材を含む。アパーチャ部材は、光学構造部材の上部位置に配置され、光学構造部材の位置に対して調整できる。
【００２２】
本発明の別の優位点は、調整可能な光学レンズ及びカメラモジュール並びにその製造方法及び応用を提供することであって、これが、固定されたカメラモジュールを形成するために解像度要件に到達するよう調整され、固着される光学構造部材の中に光学レンズを事前に組み付けることによってカメラモジュールの現在の製造方法を変更する。これは製造手順を削減し、カメラモジュールの製造方法を用いて組み付けることからの過剰な公差、及び組付けにおける過剰な長さ（ｏｖｅｒｌｅｎｇｔｈ）の公差チェーンの工程欠陥という現在の問題を解決できる。
【００２３】
本発明の別の優位点は、調整可能な光学レンズ及びカメラモジュール並びにその製造方法及び応用を提供することであって、これは連続する試験工程を削減し、試験コストを引き下げ、より低い生産コスト及びより高い効率を有する。
【００２４】
本発明の別の優位点は、調整可能な光学レンズ及びカメラモジュール並びにその製造方法及び応用を提供することであって、光学構造部材の内部空間内の調整可能な光学レンズのレンズの位置は、少なくとも１つの方向に沿って調整できる。
【００２５】
本発明の別の優位点は、調整可能な光学レンズ及びカメラモジュール並びにその製造方法及び応用を提供することであって、光学構造部材の内部空間内の調整可能な光学レンズの各レンズ及び／又はアパーチャ部材の水平位置が調整できる。
【００２６】
本発明の別の優位点は、調整可能な光学レンズ及びカメラモジュール並びにその製造方法及び応用を提供することであって、光学構造部材の内部空間内の調整可能な光学レンズの各レンズ及び／又はアパーチャ部材の垂直位置が調整できる。
【００２７】
本発明の別の優位点は、調整可能な光学レンズ及びカメラモジュール並びにその製造方法及び応用を提供することであって、光学構造部材の内部空間内の調整可能な光学レンズの各レンズ及び／又はアパーチャ部材の傾斜位置が調整できる。
【００２８】
本発明の別の優位点は、調整可能な光学レンズ及びカメラモジュール並びにその製造方法及び応用を提供することであって、光学構造部材の内部空間内の調整可能な光学レンズの各レンズの位置は回転するよう調整できる。
【００２９】
本発明の別の優位点は、調整可能な光学レンズ及びカメラモジュール並びにその製造方法及び応用を提供することであって、光学構造部材は少なくとも１つの調整チャネルを有し、１つ以上のレンズが光学構造部材の内部空間内で実装されて調整可能な光学レンズを形成するとき、１つ以上のレンズは調整チャネルに対して光学構造部材の内部空間内に配置され、これにより光学構造部材の光学構造部材の内部空間内の１つ以上のレンズの内の少なくとも１つの位置は、操作工程を簡略化するために調整チャネルを通して外部環境から調整できる。
【００３０】
本発明の別の優位点は、調整可能な光学レンズ及びカメラモジュール並びにその製造方法及び応用を提供することであって、調整可能な光学レンズ及び光学センサを互いと実装することによるカメラモジュールのための製造方法では、光学構造部材の内部空間内の調整可能な光学レンズのレンズの内の少なくとも１つの位置は、カメラモジュールの調整可能な光学レンズの中心軸線及び光学センサの中心軸線が一致することを保証するために調整できる。
【００３１】
本発明の別の優位点は、調整可能な光学レンズ及びカメラモジュール並びにその製造方法及び応用を提供することであって、光学構造部材の内部空間内の１つ以上のレンズの内の少なくとも１つの位置が調整されるとき、調整可能な光学レンズ及び光学センサは実装される。調整された光学レンズと光学センサとの間で生じた偏位は、カメラモジュールの信頼性を保証するために、調整可能な光学レンズ及び光学センサを実装するこの工程で防ぐことができる。
【００３２】
本発明の別の優位点は、調整可能な光学レンズ及びカメラモジュール並びにその製造方法及び応用を提供することであって、カメラモジュールを実装する工程で、調整可能な光学レンズの中心軸線及び光学センサの中心軸線の偏差の範囲は、カメラモジュールのための歩留まり率及び画質を改善するために許容できる範囲内で調整できる。
【００３３】
本発明の別の優位点は、調整可能な光学レンズ及びカメラモジュール並びにその製造方法及び応用を提供することであって、この方法を用いて作られたカメラモジュールは構造上より密着している。また、製造方法は簡略である。
【００３４】
本発明の別の優位点は、調整可能な光学レンズ及びカメラモジュール並びにその製造方法及び応用を提供することであって、それは、標準としてカメラモジュールの画質を有する調整可能な光学部品の組付け位置を補正することにより、より高い画質を有するカメラモジュールを作ることができる。
【００３５】
本発明の目的は、調整可能な光学レンズ及びカメラモジュール並びにその製造方法及び応用を提供することであって、これはおもにレンズ及び光学構造部材の設計についての問題を解決し、これにより内部の１個のレンズ又はレンズのセットを調整し、後で固定することができる。
【００３６】
本発明の目的は、調整可能な光学レンズ及びカメラモジュール並びにその製造方法及び応用を提供することであって、材料又は組付けによって引き起こされるモジュールの傾斜の問題は、カメラモジュールの光学系の１個のレンズ又は１セットのレンズを調整することにより解決でき、これによりカメラモジュールの歩留まり率を上げることができる。
【００３７】
本発明の目的は、調整可能な光学レンズ及びカメラモジュール並びにその製造方法及び応用を提供することであって、調整可能な光学レンズがレンズを調整することにより形成され、これが、カメラレンズの単位価格を削減し、製造業者がカメラモジュールの生産コストを引き下げ、業界での製品の競争力を高めるために、カメラレンズでの欠陥を効果的に回避できる。
【００３８】
本発明の目的は、調整可能な光学レンズ及びカメラモジュール並びにその製造方法及び応用を提供することであって、光学構造部材はその端面に配置された少なくとも１つの調整チャネルを有し、これにより光学構造部材の端面でのレンズは、較正確度を高めるために真空吸引又は工具固締によって光学的に調整できる。
【００３９】
本発明の目的は、調整可能な光学レンズ及びカメラモジュール並びにその製造方法及び応用を提供することであって、光学構造部材はその上部に配置された少なくとも１つの調整チャネルを有し、レンズは、外部から保持され、調整されるために調整チャネルに対応する位置で調整溝を有し、これが調整をより簡略且つより容易にする。
【００４０】
本発明の目的は、調整可能な光学レンズ及びカメラモジュール並びにその製造方法及び応用を提供することであって、光学構造部材は、光学構造部材のレンズの任意の１つ又は１つのセットを調整するために、その側面に配置された少なくとも１つの調整チャネルを有し、光学構造部材は調整可能なレンズの調整の量及び限度を拡大し、調整可能な光学レンズの光路をより正確に較正するのに役立つ。
【００４１】
本発明の目的は、調整可能な光学レンズ及びカメラモジュール並びにその製造方法及び応用を提供することであって、レンズを調整するための位置及びレンズを固着するための位置は選択的に同じである場合があり、これにより調整チャネルは較正された光学レンズを固着するために活用することもでき、生産コストをさらに削減できる。
【００４２】
本発明の目的は、調整可能な光学レンズ及びカメラモジュール並びにその製造方法及び応用を提供することであって、光学構造部材は、固着チャネルを通して調整された光学レンズを固着するために、光学構造部材の上に配置された少なくとも１つの固着チャネルを有し、固着チャネル及び調整チャネルは異なる位置に位置し、これがより多くの選択肢を提供し、それをさらに容易にする。
【００４３】
本発明の別の優位点は、調整可能な光学レンズ及びカメラモジュール並びにその製造方法及び応用を提供することであって、調整チャネルは、光学構造部材の内部空間を外部環境と連絡し、これにより光学構造部材の内部のレンズは光学構造部材の外部から調整することができ、これが調整確度を保証する。
【００４４】
本発明の別の優位点は、調整可能な光学レンズ及びカメラモジュール並びにその製造方法及び応用を提供することであって、固着チャネルは、光学構造部材の内部空間を外部環境と連絡し、調整された光学レンズは、固着チャネルを通して接着剤を注入することによって固着できる。
【００４５】
本発明の別の優位点は、調整可能な光学レンズ及びカメラモジュール並びにその製造方法及び応用を提供することであって、調整可能な光学レンズは、その上面又は側面上で接着剤を注入することにより固着できる。
【００４６】
本発明の別の優位点は、調整可能な光学レンズ及びカメラモジュール並びにその製造方法及び応用を提供することであって、調整可能なレンズは、光学構造部材の上部の光入射位置から調整されるために、光学構造部材の上部に事前に組み付けられ、調整方法は簡略且つ容易である。
【００４７】
本発明の別の優位点は、調整可能な光学レンズ及びカメラモジュール並びにその製造方法及び応用を提供することであって、レンズの最初の１個は真空吸引又は工具固締を通じて調整され、固着されるように適応可能な調整可能なレンズとして取り扱われ、調整方法はより簡略であり、光学構造部材に調整チャネル及び／又は固着チャネルを配置することを必要としない。
【００４８】
本発明の別の優位点は、調整可能な光学レンズ及びカメラモジュール並びにその製造方法及び応用を提供することであって、これはレンズ組付けの公差チェーンを減少させ、組付けコストを削減し、カメラモジュールの画質を向上させることができる。
【００４９】
本発明の別の優位点は、調整可能な光学レンズ及びカメラモジュール並びにその製造方法及び応用を提供することであって、内部光学レンズは埋め込まれ、互いと統合され、これは円錐水晶体構成部品の機械加工精度並びにレンズ及び円錐水晶体構成部品の中での組付けの確度要件を引き下げ、コストを削減するのに役立つ。
【００５０】
本発明の別の優位点は、調整可能な光学レンズ及びカメラモジュール並びにその製造方法及び応用を提供することであって、内部光学レンズは円錐水晶体構成部品に組み付けられる前に埋め込まれ、互いと統合され、これは１つずつの組付けの従来の技術を改善し、組付け公差チェーンを短縮し、組付け効率を高める。
【００５１】
本発明の別の優位点は、調整可能な光学レンズ及びカメラモジュール並びにその製造方法及び応用を提供することであって、レンズの最後の１個は、外部光学レンズとして、円錐水晶体構成部品に設置されるのではなく、円錐水晶体構成部品の外部と円錐水晶体構成部品の底部との間で接続され、これは、コストを削減し、画質を高めるために、円錐水晶体構成部品の機械加工精度及びレンズと円錐水晶体構成部品との間の接続の組付け確度に対する要件を事実上引き下げることができる。
【００５２】
本発明の別の優位点は、調整可能な光学レンズ及びカメラモジュール並びにその製造方法及び応用を提供することであって、シェーディング層は、光の入射のためではないチャネルを通して入射する外部光を遮断するために外部光学レンズとしての機能を果たし、カメラレンズの高品質を保証するためにカメラレンズの光の漏れを回避する最後の光学レンズの外側に配置される。加えて、より薄いシェーディング層もカメラモジュールレンズの重量を削減するために役立つ。
【００５３】
本発明の別の優位点は、調整可能な光学レンズ及びカメラモジュール並びにその製造方法及び応用を提供することであって、外部光学レンズは、円錐水晶体構成部品に設置される代わりに、レンズマウントに寄りかかり、これにより円錐水晶体構成部品とレンズマウントとの間の組付け公差はカメラモジュールの画質に影響を及ぼさず、これがレンズの組付け公差チェーンを短縮し、生産効率を改善する。
【００５４】
本発明の別の優位点は、調整可能な光学レンズ及びカメラモジュール並びにその製造方法及び応用を提供することであって、カメラレンズと光学センサとの間の距離は、最後の光学レンズを円錐水晶体の外部とレンズマウントとの間に配置することによって減少することができ、これにより背面焦点距離は短縮することができ、これはコンパクトなカメラモジュールの開発に役立つ。
【００５５】
本発明の別の優位点は、調整可能な光学レンズ及びカメラモジュール並びにその製造方法及び応用を提供することであって、少なくとも１つの内部光学レンズは、カメラモジュールの画質を較正し、生産されているカメラモジュールのより優れた画質を保証するために、カメラモジュールレンズの中心軸線及び光学センサの中心軸線を一致させる、又は逸脱の許容範囲内とさせるように調整されるための調整可能なレンズとして活用される。
【００５６】
本発明の別の優位点は、調整可能な光学レンズ及びカメラモジュール並びにその製造方法及び応用を提供することであって、外部光学レンズは、円錐水晶体構成部品とレンズマウントとの間で事前に取り付けられ、これによりそれは、カメラモジュールの撮像を較正するために外部光学レンズ及び／又は円錐水晶体構成部品を調整することによりカメラモジュールレンズの光路を調整するように適応可能であり、これはカメラモジュールの画質及び歩留まり率を上げるのに役立つ。
【００５７】
本発明の別の優位点は、調整可能な光学レンズ及びカメラモジュール並びにその製造方法及び応用を提供することであって、これは、カメラモジュールの歩留まり率及び製品性能を大幅に上げるために、レンズの背面焦点距離を較正し、調整可能なレンズを配置することによりカメラモジュールの画質を調整することを含む、組付け工程中に較正を完了できる。
【００５８】
本発明の別の優位点は、調整可能な光学レンズ及びカメラモジュール並びにその製造方法及び応用を提供することであって、カメラモジュールの較正は、調整可能なレンズを配置することにより製造の工程で完了することができ、これは連続焦点合わせステップを省き、作業手順を削減し、コストを削減し、効率を高める。
【００５９】
本発明の別の優位点は、調整可能な光学レンズ及びカメラモジュール並びにその製造方法及び応用を提供することであって、組付け方法は簡略で、実現可能であり、実施が容易で、普及及び活用に適している。
【００６０】
本発明の追加の優位点及び特徴は、続く説明から明らかになり、添付特許請求の範囲で特に指摘された手段及び組合せによって実現され得る。
【００６１】
上記の優位点、目的、及び特徴の内の少なくとも１つを達成するために、本発明の別の態様によれば、本発明は、
光学センサと、
光学センサの感光性経路に位置決めされた調整可能な光学レンズであって、
光学構造部材と、
少なくとも２つのレンズであって、レンズのそれぞれが光学構造部材の内部空間内に、及び光学構造部材の垂直方向に沿って配置され、レンズの内の少なくとも１つが、事前に取り付けられた光学レンズとして光学構造部材の内部に調整可能に事前に取り付けられるように適応され、光学構造部材の側壁が、事前に取り付けられた光学レンズに対応し、光学構造部材の内部空間及び外部環境を連絡する少なくとも１つの調整チャネルを設けさせ、これによりレンズの内の少なくとも１つの位置が、調整可能な光学レンズ及び光学センサの中心軸線を整列させるために調整チャネルを通して外部環境から調整できる、少なくとも２つのレンズと
を含む前記調整可能な光学レンズと
を含むカメラモジュールを提供する。
【００６２】
いくつかの実施形態によれば、カメラモジュールに事前に組み付けられた光学レンズは、糊付け工程によって光学構造部材の内部に組み付けられ、事前組付けで使用される接着剤は、ＵＶ接着剤、及び事前組付けを達成するために紫外線曝露後に半凝固になる熱硬化性接着剤の混合接着剤であり、加熱処理後、混合接着剤は、調整可能な光学レンズ全体を固着するために完全に凝固する。
【００６３】
いくつかの実施形態によれば、カメラモジュールの調整可能な光学レンズは、光学構造部材の上部に設置され、光学センサの感光性経路に沿ってレンズと整列するアパーチャ部材を含み、調整可能なように配置されるように適応され、アパーチャ部材は接着剤を半凝固させることにより事前に組み付けられる。
【００６４】
いくつかの実施形態によれば、接着剤注入チャネルがカメラモジュールのアパーチャ部材に設けられ、接着剤注入チャネルは、接着剤注入チャネルを介して接着剤を注入することにより調整された光学レンズ（複数可）を固着するために、調整されるように適応されるレンズに対応して位置決めされ、配置される。
【００６５】
別の態様によれば、本発明は、
光学センサを含む感光装置と、
光学センサの感応性経路に配置された調整可能な光学レンズであって、調整可能な光学レンズは、第１のレンズ、第２のレンズ、第３のレンズ、第４のレンズ、及び第５のレンズを含む５つのレンズを含み、第１のレンズから第５のレンズは、光学センサの感光性経路に沿って順序正しく且つ重複して設置され、第１のレンズ及び第２のレンズは光学構造部材で調整可能に事前に組み付けられる調整可能な光学レンズと
を含む、カメラモジュールを提供し、
調整チャネルを通じて光学構造部材の内部空間内での第１のレンズ及び第２のレンズの空間位置を調整するために、それぞれが第１のレンズ及び第２のレンズに対応し、光学構造部材の内部空間を外部環境と連絡する、２つの調整チャネルが光学構造部材に設けられる。
【００６６】
いくつかの実施形態によれば、カメラモジュール内の光学構造部材の内壁は、その上に空間を置いて配置され、それぞれ第１のレンズ、第２のレンズ、第３のレンズ、第４のレンズ及び第５のレンズを支持する第１の制限構造、第２の制限構造、第３の制限構造、第４の制限構造、及び第５の制限構造を含む５つの制限構造を含む。
【００６７】
いくつかの実施形態によれば、カメラモジュールの調整可能な光学レンズは、光学構造部材の上部に設置され、光学センサの感光性経路に沿ってレンズと整列し、調整可能なように配置されるように適応されるアパーチャ部材を含み、アパーチャ部材は半凝固接着剤で事前に組み付けられる。
【００６８】
いくつかの実施形態によれば、接着剤注入チャネルはカメラモジュールのアパーチャ部材に設けられ、接着剤注入チャネルは、接着剤注入チャネルを介して接着剤を注入することにより調整された光学レンズを固着するために、調整されるレンズに対応して形成される。
【００６９】
別の態様によれば、本発明は、
調整可能な光学レンズと、
光学センサを含む感光装置であって、調整可能な光学レンズが光学センサの感光性経路に配置される、感光装置と、
調整可能な光学レンズは第１のレンズ、第２のレンズ、第３のレンズ、及び第４のレンズを含み、
光学構造部材であって、第１のレンズから第４のレンズが、光学構造部材の内部空間内に順序正しく、重複して、及び間隔を置いて設置される、光学構造部材と
を含む、カメラモジュールを提供し、
前記光学構造部材は、その上部に配置された少なくとも１つの調整チャネルを含み、調整チャネルは光学構造部材の内部空間を外部環境と連絡し、調整チャネルは第１のレンズに向かい、これにより第１のレンズは調整チャネルを通じて調整することができ、第１のレンズは調整チャネルを通して接着剤を注入することによって固着することもできる。
【００７０】
いくつかの実施形態によれば、接着剤は、第１のレンズの側面を光学構造部材の内壁と固着することによって第１のレンズを定位置に固着するために、第１のレンズの側面と光学構造部材の対応する内壁との間に、カメラモジュールの調整チャネルを通して注入される。
【００７１】
いくつかの実施形態によれば、接着剤は、第１のレンズの上面を光学構造部材の内壁と固着することによって第１のレンズを定位置に固着するために、第１のレンズの上面にカメラモジュールの調整チャネルを通して注入される。
【００７２】
いくつかの実施形態によれば、カメラモジュールの感光装置は、フィルタ、回路基板、及びレンズマウントをさらに含む。フィルタはレンズマウント内に取り付けられ、光学センサの上方に配置される。光学センサは回路基板上に付着される。回路基板は、光学センサをレンズマウントの内壁によって画定された空洞内に位置させるためにレンズマウントの底部に取り付けられる。
【００７３】
いくつかの実施形態によれば、カメラモジュールの光学構造部材の外側で周辺方向に沿って１２０度で互いから別々に配置された３つの調整チャネルがある。
【００７４】
いくつかの実施形態によれば、カメラモジュールの第１のレンズの上面は、その上に調整チャネルに対応して少なくとも２つの調整溝を配置させる。
【００７５】
別の態様によれば、本発明は、
調整可能な光学レンズと、
光学センサを含む感光装置であって、調整可能な光学レンズが光学センサの感光性経路に配置される、感光装置と
を含む、カメラモジュールも提供する。
【００７６】
調整可能な光学レンズは、
それぞれ第１のレンズ、第２のレンズ、第３のレンズ、及び第４のレンズである４つのレンズ
を含む、及び。
【００７７】
光学構造部材は、その内部空間内に順序正しく、重複して、及び間隔を置いて設置されたレンズの内の４つを有する。光学構造部材は、その側面に配置された少なくとも１つの調整チャネル、及びその上部に配置された少なくとも１つの固着チャネルを含む。調整チャネル及び固着チャネルは、光学構造部材の内部空間を外部環境と連絡する。調整チャネルは第１のレンズの側面に向き、これにより第１のレンズは調整チャネルを通じて調整できる。固着チャネルは第１のレンズの上面に向き、これにより第１のレンズは固着チャネルを通して接着剤を注入することによって固着できる。
【００７８】
いくつかの実施形態によれば、カメラモジュールの第１のレンズの外側に対応する光学構造部材の周辺方向に沿って１２０度で互いから別々に配置された３つの調整チャネルがある。
【００７９】
いくつかの実施形態によれば、カメラモジュールの感光装置は、フィルタ、回路基板、及びレンズマウントを含む。フィルタはレンズマウントに取り付けられ、光学センサの上方に配置される。光学センサは回路基板上に付着される。回路基板は、光学センサをレンズマウントの内壁によって画定された空洞内に位置させるためにレンズマウントの底部に取り付けられる。
【００８０】
別の態様によれば、本発明は、
カメラモジュールレンズと、
光学センサを含む感光装置であって、カメラモジュールレンズが光学センサの感光性経路に配置される、感光装置と
を含む、カメラモジュールを提供し、
カメラモジュールレンズは、
３つの内部レンズと、
少なくとも１つの外部レンズと、
その中に収容空洞を有する円錐水晶体構成部品であって、３つの内部レンズが、収容空洞内に配置された第１の内部レンズ、第２の内部レンズ、及び第３の内部レンズを含み、外部レンズが円錐水晶体構成部品の外部の底部に配置され、円錐水晶体構成部品の側壁がその中に第１の内部レンズに対応する少なくとも１つの調整チャネルを有し、第１の内部レンズは円錐水晶体構成部品上で調整可能に事前に組み付けられる。
【００８１】
いくつかの実施形態によれば、カメラモジュールの各外部レンズのあらゆる外側は、外部レンズの側面全体を完全に覆うシェーディング層を有する。
【００８２】
いくつかの実施形態によれば、第１のレンズに対応して位置決めされ、カメラモジュールの円錐水晶体構成部品の上部に配置された少なくとも１つの固着チャネルがあり、これにより第１の内部レンズは、固着チャネルを通した糊の計量配分によって固着できる。
【００８３】
いくつかの実施形態によれば、カメラモジュールの円錐水晶体構成部品は、９０度で互いから別々に配置された４つの調整チャネルを含む。
【００８４】
いくつかの実施形態によれば、カメラモジュールの第２の内部レンズ及び第３の内部レンズは互いと埋め込まれてレンズユニット全体を形成する。
【００８５】
いくつかの実施形態によれば、カメラモジュールの感光装置は、フィルタ、回路基板、及びレンズマウントをさらに含む。フィルタはレンズマウント内に取り付けられ、光学センサの上方に配置される。光学センサは回路基板上に設けられる。回路基板は、レンズマウントの内部の空洞に位置決めされた光学センサを有するために、レンズマウントの底部に取り付けられる。外部レンズは、円錐水晶体構成部品とレンズマウントとの間に配置される。
【００８６】
本発明の別の態様によれば、本発明は、
光学構造部材と、
少なくとも２つのレンズであって、レンズのそれぞれが光学構造部材の軸方向に沿って光学構造部材の内部空間内に配置され、光学構造部材の内部空間のレンズの内の少なくとも１つの位置が調整されるように配置される、少なくとも２つのレンズと
を含む、調整可能な光学レンズを提供する。
【００８７】
本発明の好適実施形態によれば、光学構造部材は、光学構造部材の内部空間を外部環境と連絡するために設けられた少なくとも１つの調整チャネルを有し、事前に組み付けられているレンズの内の少なくとも１つは、調整チャネルに対応する光学構造部材の内部空間内に配置され、構造部材の内部空間で事前に組み付けられているレンズは、調整チャネルを通して調整できる。
【００８８】
本発明の別の態様によれば、本発明は、
光学センサと、
調整可能な光学レンズであって、調整可能な光学レンズは光学センサの光受容の経路内に配置され、調整可能な光学レンズは光学構造部材及び少なくとも２つのレンズを含み、各レンズは光学構造部材の垂直方向に沿って光学構造部材の内部空間内に配置され、調整可能な光学レンズの中心軸線及び光学センサの中心軸線が、カメラモジュールの画質を改善するために、調整可能な光学レンズ及び光学センサが実装される前に、光学構造部材の内部空間内でレンズの内の少なくとも１つの位置を調整することにより一致させられる調整可能な光学レンズと
を含むカメラモジュールを提供する。
【００８９】
本発明の好適実施形態によれば、光学構造部材は、光学構造部材の内部空間を外部環境と連絡するために設けられた少なくとも１つの調整チャネルを有し、事前に組み付けられているレンズは、調整チャネルに対応する光学構造部材の内部空間内に配置され、光学構造部材の内部空間内で事前に組み付けられているレンズは、調整チャネルを通して調整できる。
【００９０】
本発明の好適実施形態によれば、レンズの外壁と光学構造部材の内壁との間に隙間が設けられる。
【００９１】
本発明の好適実施形態によれば、レンズの外壁と光学構造部材の内壁との間に設けられた隙間の幅は３ミクロン以上である。
【００９２】
本発明の別の態様によると、本発明は、
（ａ）光学センサの感光性経路に調整可能な光学レンズを配置するステップと、
（ｂ）調整可能な光学レンズの中心軸線及び光学センサの中心軸線を一致させるために調整可能な光学レンズの内のレンズの少なくとも１つの位置を調整するステップと、
（ｃ）調整可能な光学レンズ及び光学センサを実装してカメラモジュールを形成するステップと
を含む、カメラモジュールの製造方法を提供する。
【００９３】
本発明の好適実施形態によれば、ステップ（ｂ）では、調整可能な光学レンズの中心軸線及び光学センサの中心軸線は、調整可能な光学レンズの内のレンズの１つの位置を調整することによって一致させることができる。
【００９４】
本発明の好適実施形態によれば、上記製造方法では、調整可能な光学レンズの中心軸線及び光学センサの中心軸線は、調整可能な光学レンズの最外部でレンズの位置を調整することによって一致させることができる。
【００９５】
本発明の実施形態によれば、上記製造方法では、レンズの水平方向、垂直方向、傾斜方向、及び周辺方向の内の少なくとも１つが調整される。
【００９６】
本発明の好適実施形態によれば、上記製造方法では、調整されたレンズ及び光学構造部材は、光学構造部材の内部空間内のレンズの位置が調整された後、実装される。
【００９７】
本発明の好適実施形態によれば、上述の製造方法では、光学構造部材の側面部分は、光学構造部材の内部空間内に配置されたレンズに対応する少なくとも１つの位置に形成された少なくとも１つの調整チャネルを有し、これにより光学構造部材の外部環境からの光学構造部材の内部空間内のレンズの位置は、調整チャネルを通して調整できる。
【００９８】
本発明の別の態様によれば、本発明は、以下の
（Ａ）感光性チップ等の光学センサの感光性経路に光学構造部材の半製品を配置するステップと、
（Ｂ）光学構造部材の半製品に少なくとも１つのレンズを配置して調整可能な光学レンズを形成するステップと、
（Ｃ）調整可能な光学レンズの中心軸線及び光学センサの中心軸線が一致するまで光学構造部材の内部空間内のレンズの１つ以上の位置を調整するステップと
を含む、カメラモジュールの製造方法も提供する。
【００９９】
本発明の好適実施形態によれば、製造方法は、
（Ｄ）調整可能な光学レンズ及び光学構造部材を固着して、カメラモジュールを形成するステップ
をさらに含む。
【０１００】
本発明の好適実施形態では、レンズ及び光学構造部材は、接着剤計量配分工程によって固着される。
【０１０１】
本発明の上述の好適実施形態によれば、ステップ（Ａ）に従って、光学構造部材は光学センサの感光性経路に配置される。また、ステップ（Ｂ）では、レンズは、光学構造部材の垂直方向に沿って光学構造部材の内部空間内に重複して且つ間隔を置いて配置される。
【０１０２】
本発明の好適実施形態によれば、光学センサの感光性経路に配置された光学構造部材の半製品は、ステップ（Ａ）では、１つの光学構造部材、及び光学構造部材の内部空間で事前に組み付けられるレンズの内の少なくとも１つを含み、レンズの残りは、ステップ（Ｂ）では光学構造部材の内部空間内に配置される。
【０１０３】
本発明の別の態様によれば、本発明は、
光学構造部材と、
少なくとも２つのレンズであって、レンズのそれぞれが、光学構造部材の軸方向に沿って光学構造部材の内部空間内に配置され、光学構造部材の内部空間内のレンズの内の少なくとも１つの位置が調整されるように配置される、少なくとも２つのレンズと
を含む、調整可能な光学レンズを提供する。
【０１０４】
本発明の実施形態によれば、光学構造部材は、光学構造部材の内部空間を外部環境と連絡するための少なくとも１つの調整チャネルを有し、光学構造部材の内部空間内のレンズは、調整チャネルに対応する位置に配置され、これにより光学構造部材の内部空間内のレンズの位置は、調整チャネルを通じて選択的に調整できる。
【０１０５】
本発明の実施形態によれば、光学構造部材の内部空間内で調整されるように適応可能なレズの位置は、少なくとも一方向で調整されるように適応される。
【０１０６】
本発明の実施形態によれば、調整されるように適応されるレンズは、接着剤を用いて光学構造部材の内部で事前に組み付けられ、接着剤は半凝固状態にある。
【０１０７】
本発明の実施形態によれば、調整可能な光学レンズは、光学構造部材の上部で及びレンズを有する同じ光路内で事前に組み付けられるアパーチャ部材をさらに含み、アパーチャ部材の組付け位置は調整されるように適応される。
【０１０８】
本発明の実施形態によれば、アパーチャ部材の組付け位置は、光学構造部材の位置に対応する少なくとも１つの方向で調整されるように適応される。
【０１０９】
本発明の実施形態によれば、アパーチャ部材は、半凝固接着剤により事前に組み付けられる。
【０１１０】
本発明の実施形態によれば、事前組付けで使用される接着剤は、ＵＶ接着剤、及び事前組付けを達成するために紫外線曝露後に半凝固になる熱硬化性接着剤の混合接着剤であり、加熱処理後、接着剤は、アパーチャ部材を固着するために完全に凝固する。
【０１１１】
本発明の実施形態によれば、接着剤注入チャネルはアパーチャ部材の位置に設けられ、接着剤注入チャネルは、接着剤注入チャネルを介して接着剤を注入することにより調整されたレンズを固着するために、調整されるように適応されたレンズに対応している。
【０１１２】
本発明の別の態様によれば、本発明は、
光学構造部材と、
少なくとも１つのレンズであって、レンズが光学構造部材の軸方向に沿って光学構造部材の内部空間内でセットされ、固着される少なくとも１つのレンズと、
光学構造部材の上部で事前に組み付けられ、レンズの上面に隣接して位置決めされるアパーチャ部材であって、アパーチャ部材の組付け位置が、光学構造部材の空間位置に対応して調整されるように適応される、アパーチャ部材と
を含む、調整可能な光学レンズを提供する。
【０１１３】
本発明の実施形態によれば、アパーチャ部材は半凝固接着剤によって事前に組み付けられる。
【０１１４】
本発明の実施形態によれば、事前組付けで使用される接着剤は、ＵＶ接着剤、及び事前組付けを達成するために紫外線曝露後に半凝固になる熱硬化性接着剤の混合接着剤であり、加熱処理後、混合接着剤は、アパーチャ部材を固着するために完全に凝固する。
【０１１５】
本発明の実施形態によれば、アパーチャ部材の組付け位置は、少なくとも一方向で調整されるように適応される。
【０１１６】
本発明の実施形態によれば、光学構造部材の内壁は、レンズを支持するために適応する少なくとも１つの制限構造を有する。
【０１１７】
本発明の別の態様によれば、本発明は、
光学センサを含む感光装置と、
調整可能な光学レンズであって、調整可能な光学レンズは光学センサの感光性経路に配置され、調整可能な光学レンズは、光学構造部材、少なくとも１つのレンズ、及びアパーチャ部材を含み、各レンズは、光学構造部材の軸方向に沿って光学構造部材の内部空間内に配置され、アパーチャ部材は光学構造部材の上部に配置され、レンズの上面に隣接して位置決めされ、レンズの内の少なくとも１つは光学構造部材の内部空間内で事前に組み付けられる、調整可能な光学レンズと
を含む、カメラモジュールを提供し、
調整可能な光学レンズ及び感光装置を実装する前に、光学構造部材の内部の事前に組み付けられたレンズの組付け位置は調整されるように適応され、調整後、カメラモジュールの撮像は、解像度要件を満たすために回転される。
【０１１８】
本発明の実施形態によれば、光学構造部材の側壁は、光学構造部材の内部空間を外部環境に接続する少なくとも１つの調整チャネルを有し、光学構造部材の内部空間内の事前に組み付けられたレンズは、調整チャネルを通じて光学構成部材の内部空間内のレンズの位置を調整するように適応可能である調整チャネルに対応している。
【０１１９】
本発明の実施形態によれば、光学構造部材の内部の事前に組み付けられたレンズの空間的な位置は、少なくとも一方向で調整されるように適応可能であり、調整後、調整可能な光学レンズの中心軸線及び光学センサの中心軸線は一致する、又は逸脱の許容範囲内にある。
【０１２０】
本発明の実施形態によれば、事前に組み付けられたレンズのそれぞれに対応する光学構造部材の側壁は、調整チャネルのそれぞれで事前に組み付けられたレンズの水平位置及び垂直位置を調整するように適応可能な、１２０度で互いから分離された３つの調整チャネルを有する。
【０１２１】
本発明の実施形態によれば、事前に組み付けられたレンズは、半凝固接着剤によって事前に組み付けられる。
【０１２２】
本発明の実施形態によれば、レンズ（複数可）の事前組付けで使用される接着剤は、ＵＶ接着剤、及び事前組付けを達成するために紫外線曝露後に半凝固になる熱硬化性接着剤の混合接着剤であり、加熱処理後、接着剤は、アパーチャ部材を固着するために完全に凝固する。
【０１２３】
本発明の実施形態によれば、感光装置は、フィルタ、レンズマウント、及び回路基板をさらに含み、フィルタはレンズマウントに固着され、光センサは回路基板の上面とフィルタの底面の両方に付着され、光学構造部材はレンズマウントの上面に固着される。
【０１２４】
本発明の実施形態によれば、感光装置はフィルタ及び回路基板をさらに含み、フィルタは光学構造部材に固着され、レンズの底面に位置し、光学センサは回路基板の上面とフィルタの底面の両方に付着され、光学構造部材は光学センサからの空間距離に対応して固着される。
【０１２５】
本発明の別の態様によれば、本発明は、
感光装置であって、光学センサを含む感光装置と、
調整可能な光学レンズであって、調整可能な光学レンズは光学センサの感光性経路に配置され、調整可能な光学レンズは光学構造部材、１つ以上のレンズ、及びアパーチャ部材を含み、レンズのそれぞれは光学構造部材の軸方向に沿って光学構成部材の内部空間内に配置され、アパーチャ部材は光学構成部材の上部で事前に組み付けられ、調整可能な光学レンズ及び感光装置を実装する前に、アパーチャ部材の組付け位置は、光学構造部材の空間位置に対応して調整されるように適応され、調整後、カメラモジュールの撮像は解像度要件を満たすために回転される、調整可能な光学レンズと
を含む、カメラモジュールを提供する。
【０１２６】
本発明の実施形態によれば、レンズの内の少なくとも１つは光学構造部材の内部空間に事前に取り付けられ、調整可能な光学レンズ及び感光装置を実装する前に、光学構造部材の内部に事前に取り付けられたレンズの空間位置は調整されるように適応される。
【０１２７】
本発明の実施形態によれば、レンズの組付け位置は少なくとも１つの方向で調整されるように適応され、調整後、調整可能な光学レンズの中心軸線及び光学センサの中心軸線は一致する、又は逸脱の許容範囲内にある。
【０１２８】
本発明の実施形態によれば、光学構造部材の側壁は、光学構造部材の内部空間を外部環境と連絡するために設けられた少なくとも１つの調整チャネルを有し、調整チャネルを通じて光学構造部材の内部空間内のレンズの位置を調整するように適応可能である調整チャネルに対応するために光学構造部材の内部空間内の事前に組み付けられたレンズ。
【０１２９】
本発明の実施形態によれば、事前に組み付けられたレンズのそれぞれに対応する光学構造部材の側壁は、１２０度で互いから分離され、調整チャネルのそれぞれを通じて事前に組み付けられたレンズの水平位置及び垂直位置を調整するように適応可能な３つの調整チャネルを有する。
【０１３０】
本発明の実施形態によれば、接着剤注入チャネルはアパーチャ部材の位置に設けられ、接着剤注入チャネルは調整されるように適応されたレンズに対応して位置決めされ、これにより調整後のレンズは、接着剤注入チャネルを介して凝固のための接着剤を注入することによって固着できる。
【０１３１】
本発明の実施形態によれば、アパーチャ部材の組付け位置は、少なくとも一方向で調整されるように適応可能であり、調整後、調整可能な光学レンズの中心軸線及び光学センサの中心軸線は一致する、又は偏差の許容範囲内にある。
【０１３２】
本発明の実施形態によれば、アパーチャ部材は半凝固接着剤により光学構造部材の上部で事前に組み付けられる。
【０１３３】
本発明の実施形態によれば、事前に組み付けられたレンズは半凝固接着剤により光学構造部材の内部空間内で事前に組み付けられる。
【０１３４】
本発明の実施形態によれば、事前組付けで使用される接着剤は、ＵＶ接着剤、及び事前組付けを達成するために紫外線曝露後に半凝固になる熱硬化性接着剤の混合接着剤であり、加熱処理後、接着剤は完全に凝固し、アパーチャ部材を固着する。
【０１３５】
本発明の実施形態によれば、感光装置は、フィルタ、レンズマウント、及び回路基板をさらに含み、フィルタはレンズマウントに固着され、光学センサは回路基板の上面及びフィルタの底面の両方に付着され、光学構造部材はレンズマウントの上面に固着される。
【０１３６】
本発明の実施形態によれば、感光装置は、フィルタ及び回路基板をさらに含み、フィルタは光学構造部材に固着され、レンズの底面に位置し、光学センサは回路基板の上面及びフィルタの底面の両方に付着され、光学構造部材は光学センサからの空間距離に対応して固着される。
【０１３７】
本発明の別の態様によると、本発明は、
（Ａ）光学装置によって含まれる光学センサの感光性経路に沿って調整可能な光学レンズを配置するステップと、
（Ｂ）カメラモジュールの事前組付けを完了するために調整可能な光学レンズで調整可能な光学部品を事前に組み付けるステップと、
（Ｃ）調整済みが解像度要件を満たした後にカメラモジュールの撮像を行うために調整可能な光学部品の組付け位置を調整するステップと、
（Ｄ）カメラモジュールを形成するために調整可能な光学レンズ及び光学装置を実装するステップと
を含む、カメラモジュールの製造方法を提供する。
【０１３８】
本発明の実施形態によれば、調整可能な光学部品は少なくとも１つのレンズであり、ステップ（Ｂ）では、少なくとも１つのレンズが事前に組み付けられたレンズとして調整可能な光学レンズで事前に組み付けられ、事前に組み付けられたレンズの組付け位置を調整することによって、調整可能な光学レンズの中心軸線及び光学センサの中心軸線が、一致する又はその間の偏差の許容範囲内にあるように調整される。
【０１３９】
本発明の実施形態によれば、調整可能な光学部品はアパーチャ部材であり、ステップ（Ｂ）では、アパーチャ部材は調整可能な光学レンズの上部で事前に組み付けられ、アパーチャ部材の組付け位置を調整することによって、調整可能な光学レンズの中心軸線及び光学センサの中心軸線が一致させられる又は偏差の許容範囲内にされる。
【０１４０】
本発明の実施形態によれば、調整可能な光学部品はアパーチャ部材及び少なくとも１つのレンズを含み、ステップ（Ｂ）では、アパーチャ部材及びレンズは調整可能な光学レンズで事前に組み付けられ、アパーチャ部材及び事前に組み付けられたレンズの組付け位置を調整することによって、調整可能な光学レンズの中心軸線及び光学センサの中心軸線が一致させられる、又は偏差の許容範囲内にされる。
【０１４１】
本発明の実施形態によれば、上記製造方法では、調整可能な光学レンズによって含まれる光学構造部材の側壁は、光学構造部材の内部空間を外部環境と連絡するために設けられた少なくとも１つの調整チャネルを有し、調整チャネルに対応する光学構造部材の内部空間内の事前に組み付けられたレンズは、調整チャネルを通して光学構造部材の内部のその空間位置を調整するように適応可能である。
【０１４２】
本発明の一実施形態によれば、ステップ（Ｄ）では、調整チャネルでの接着剤計量配分工程により、調整チャネルは密封され、加熱工程を実施することによって、レンズを事前に組み付けるため及び上記接着剤計量配分工程のための接着剤が凝固し、これにより調整されたレンズは、カメラモジュール全体をさらに固定するために固着される。
【０１４３】
本発明の実施形態によれば、ステップ（Ｄ）では、調整チャネルでの接着剤計量配分工程によって、調整チャネルは密封され、加熱工程を実施することによって、レンズ及びアパーチャ部材を事前に組み付けるため、及び上記接着剤計量配分工程のための接着剤が凝固し、調整されたレンズ及びアパーチャ部材が、カメラモジュール全体をさらに固定するために固定される。
【０１４４】
本発明の実施形態によれば、ステップ（Ｄ）では、アパーチャ部材は、少なくとも１つの接着剤注入チャネルを事前に組み付けられたレンズに対応して設けさせ、接着剤注入チャネルの中に接着剤を注入し、事前組付けのための接着剤及び接着剤計量配分のための接着剤を凝固させるために加熱工程を実施することによって、調整されたレンズは、カメラモジュール全体をさらに固定するために固着される。
【０１４５】
本発明の実施形態によれば、ステップ（Ｄ）では、アパーチャ部材は、少なくとも１つの接着剤注入チャネルを事前に組み付けられたレンズに対応して設けさせ、接着剤注入チャネルの中に接着剤を注入し、事前組付けのための接着剤及び接着剤計量配分のための接着剤を凝固させるために加熱工程を実施することによって、調整されたレンズ及びアパーチャ部材は、カメラモジュール全体をさらに固定するために固定される。
【０１４６】
本発明の実施形態によれば、上記製造方法では、調整可能な光学部品の組付け位置は、調整可能な光学部品の水平方向、垂直方向、傾斜方向、及び周辺方向の内の少なくとも任意の１つの方向を調整することにより調整される。
【０１４７】
本発明の実施形態によれば、上記製造方法では、調整可能な光学部品は接着剤で事前に組み付けられ、事前組付けのために使用される接着剤は、ＵＶ接着剤、及びステップ（Ｂ）では調整可能な光学部品の事前組付けを達成するために紫外線曝露後に半凝固になる熱硬化性接着剤の混合接着剤であり、ステップ（Ｄ）では、加熱工程後、接着剤はカメラモジュール全体を固定するために完全に凝固する。
【０１４８】
本発明の実施形態によれば、ステップ（Ｃ）は、
（Ｃ１）事前に組み付けられたカメラモジュールの撮像を取り込むステップと、
（Ｃ２）カメラモジュールの撮像に基づいて、ソフトウェアを用いて調整可能な光学部品のための較正測定を計算するステップと、
（Ｃ３）較正測定に従って調整可能な光学部品の組付け位置を調整するステップと
を含む。
【０１４９】
本発明の実施形態によれば、ステップ（Ｃ）では、カメラモジュールの撮像が、調整可能な光学部品が調整された後、解像度要件を満たすことができない場合、ステップ（Ｃ１）から（Ｃ３）は、調整されたカメラモジュールの撮像が解像度要件を満たすまで繰り返される必要がある。
【０１５０】
本発明の実施形態によれば、ステップ（Ｃ）では、事前に組み付けられたカメラモジュールは電源を投入され、カメラモジュールの撮像が取り込まれ、カメラモジュールの撮像の取込みはカメラモジュールを用いてＭＴＦ試験チャートを撮像することに基づき、ＭＴＦ値はカメラモジュールの画質を表すために適用される。より大きいＭＴＦ値は、カメラモジュールのより高い画質を示す。カメラモジュールの撮像が取り込まれるたびに、撮像に対応するＭＴＦ値が計算される必要がある。ＭＴＦ値は、次いで、それが標準よりも大きいかどうかを判断するためにチェックされる。ＭＴＦ値が標準以上である場合、取込みは完了する。ＭＴＦ値が標準より低い場合、別の取込み及び調整が必要とされる。
【０１５１】
本発明の実施形態によれば、毎回撮像を取り込む工程で、光のパラメータ及びＭＴＦ試験チャートとカメラモジュールとの間の距離を含む、カメラモジュールの撮影のための環境パラメータは、以後の調整ステップを実施するための撮像取込みの確度及び一貫性を保証するために厳しく制御される。
【０１５２】
本発明の実施形態によれば、ステップ（Ｃ２）では、調整可能な光学部品の組付け位置を調整するために適用されるソフトウェアは、レンズの光学設計の感受性の研究に基づくように適応可能である。調整可能な光学部品の組付け位置の較正測定を計算するためにソフトウェアを適用する方法は、（１）較正前に、ＭＴＦ値、光軸の偏心度、光軸の傾斜角、及び像面湾曲を含むカメラモジュールの光学特性を測定することと、（２）それぞれ、光軸の偏心度の感受性、光軸の傾斜角、及び調整可能な光学部品の組付け位置の像面湾曲に基づいて調整可能な光学部品の組付け位置によって必要とされる較正測定を計算することとを含む。
【０１５３】
本発明の実施形態によれば、ステップ（Ａ）では、カメラモジュールによって含まれる光学部品のパーツのための固定組付けを達成するために調整可能な光学レンズ及び感光装置を組み付けることによって、感光装置はフィルタ、レンズマウント、及び回路基板をさらに含み、フィルタはレンズマウントに固定してセットされ、光学センサは回路基板の上面及びフィルタの底面の両方で付着され、調整可能な光学部品以外の調整可能な光学レンズのすべての要素はレンズマウントの上面に固定される。組付け及び固定の工程で、上記要素の組付け公差は許容範囲内で制御される。
【０１５４】
本発明の実施形態によれば、ステップ（Ａ）では、カメラモジュールによって含まれる光学部品のパーツのための固定組付けを達成するために調整可能な光学レンズ及び感光装置を組み付けることによって、感光装置はフィルタ及び回路基板をさらに含み、フィルタは調整可能な光学レンズによって含まれる光学構造部材に固定してセットされ、レンズの底面上にあり、光学センサは回路基板の上面及びフィルタの底面の両方で付着され、光学構造部材は光学センサからの空間距離に対応して固着される。組付け及び固定の工程で、上記要素の組付け公差は許容範囲内で制御される。
【０１５５】
本発明の別の態様によれば、本発明は、
１つ以上のレンズ、
を含む、調整可能な光学レンズを提供し、
光学構造部材は、その内部空間内に順序正しく、重複して、及び間隔を置いて設置されたレンズを有し、レンズの内の少なくとも１つは調整可能なレンズとしての機能を果たし、組付け位置は調整されるために適切である。また、光学構造部材は、少なくとも１つの調整チャネル及び固着チャネルも有し、それは、それぞれ調整チャネル及び固着チャネルを通して調整可能なレンズを調整し、固着するために適している。
【０１５６】
本発明の実施形態によれば、固着チャネル及び調整チャネルは、光学構造部材上の同じ位置に配置される。調整チャネル及び固着チャネルの両方とも調整可能なレンズに対応し、光学構造部材の内部空間を外部環境に連絡し、これにより調整可能なレンズは、調整され、固着されるために調整チャネル及び固着チャネルを通して光学構造部材の外部環境に連絡できる。
【０１５７】
本発明の実施形態によれば、固着チャネル及び調整チャネルは、光学構造部材上の異なる位置に配置される。調整チャネル及び固着チャネルの両方とも調整可能なレンズに対応し、光学構造部材の内部空間を外部環境に連絡し、これにより調整可能なレンズは、調整され、固着されるために調整チャネル及び固着チャネルを通して光学構造部材の外部環境に連絡できる。
【０１５８】
本発明の実施形態によれば、調整可能なレンズは、光学構造部材の上部に配置された調整可能な光学レンズの内のレンズの最初の１個である。
【０１５９】
本発明の実施形態によれば、調整可能なレンズは、光学構造部材の中央に配置されたレンズの任意の１つ以上である場合がある。
【０１６０】
本発明の実施形態によれば、調整チャネル及び固着チャネルはともに光学構造部材の上部に配置される。
【０１６１】
本発明の実施形態によれば、調整チャネル及び固着チャネルはともに光学構造部材の側面に配置される。
【０１６２】
本発明の実施形態によれば、調整チャネルは光学構造部材の側面に配置され、固着チャネルは光学構造部材の上部に配置される。
【０１６３】
本発明の実施形態によれば、調整チャネルは光学構造部材の上部に配置され、固着チャネルは光学構造部材の側面に配置される。
【０１６４】
本発明の実施形態によれば、調整可能なレンズの組付け位置は、調整可能なレンズと接するために外部調整装置を調整チャネルの中に挿入することにより調整することができ、調整可能なレンズの組付け位置は少なくとも一方向で調整されるように適応可能であり、これにより調整可能な光学レンズの光路が較正できる。
【０１６５】
本発明の実施形態によれば、外部調整装置は、調整可能なレンズの調整方法及び較正測定を記録するように適応可能である自動化機能を有する、又は外部調整装置は、調整可能なレンズの調整方法及び較正測定を外部調整装置に入力するように適応可能である。
【０１６６】
本発明の実施形態によれば、調整された調整可能なレンズは、糊計量配分装置で調整可能なレンズの端縁の上に接着剤を注入し、次いで接着剤を凝固させることにより固着できる。
【０１６７】
本発明の実施形態によれば、接着剤は、調整可能なレンズの上面を光学構造部材の内壁と固着することにより調整可能なレンズを固着するために、調整可能なレンズの上面に注入されるように適応可能である。
【０１６８】
本発明の実施形態によれば、接着剤は、調整可能なレンズの側面を光学構造部材の内壁と固着することにより調整可能なレンズを固着するために、調整可能なレンズの側面に注入されるように適応可能である。
【０１６９】
本発明の実施形態によれば、調整可能なレンズは、調整可能なレンズの端縁に配置された少なくとも１つの調整溝を有し、調整可能なレンズは、調整チャネルを通して外部調整装置を調整溝の中に挿入して、調整可能なレンズの組付け位置を調整するように適応可能である。
【０１７０】
本発明の別の態様によれば、本発明は、
光学センサと、
調整可能な光学レンズであって、調整可能な光学レンズが光学センサの感光性経路に配置され、調整可能な光学レンズが１つ以上のレンズ及び少なくとも１つの光学構造部材を含み、レンズが、光学構造部材の内部空間内に順序正しく、重複して、且つ間隔を置いて設置され、レンズの内の少なくとも１つが調整可能なレンズとしての機能を果たし、組付け位置が調整されるために適切であり、光学構造部材は、それぞれ調整チャネル及び固着チャネルを通して調整可能なレンズを調整し、固着するために設けられ、適応された少なくとも１つの調整チャネル及び固着チャネルも有する調整可能な光学レンズと
を含む、カメラモジュールも提供する。
【０１７１】
本発明の実施形態によれば、固着チャネル及び調整チャネルは、光学構造部材上の同じ位置に配置される。調整チャネル及び固着チャネルの両方とも調整可能なレンズに対応し、光学構造部材の内部空間を外部環境に連絡し、これにより調整可能なレンズは、調整され、固着されるために調整チャネル及び固着チャネルを通して光学構造部材の外部環境に連絡できる。
【０１７２】
本発明の実施形態によれば、固着チャネル及び調整チャネルは、光学構造部材上の異なる位置に配置される。調整チャネル及び固着チャネルの両方とも調整可能なレンズに対応し、光学構造部材の内部空間を外部環境に連絡し、これにより調整可能なレンズは、調整され、固着されるために調整チャネル及び固着チャネルを通して光学構造部材の外部環境に連絡できる。
【０１７３】
本発明の実施形態によれば、調整可能なレンズは、光学構造部材の上部に配置された調整可能な光学レンズの内のレンズの最初の１個である。
【０１７４】
本発明の実施形態によれば、調整可能なレンズは、光学構造部材の中央に配置されたレンズの任意の１つ以上である場合がある。
【０１７５】
本発明の別の態様によれば、本発明は、
（Ａ）光学構造部材の内部空間内に、及び光学センサの感光性経路内に１つ以上のレンズを設置するステップであって、調整可能なレンズとしての機能を果たすレンズの内の少なくとも１つが事前に組み付けられ、その組付け位置が、調整可能な光学レンズの事前組付けを完了するために、レンズの残りが固着される間に調整可能である、１つ以上のレンズを設置するステップと、
（Ｂ）カメラモジュールの撮像に解像度要件を満たさせるために、光学構造部材に設けられた少なくとも１つの調整チャネルを通して調整可能なレンズを調整するステップと、
（Ｃ）カメラモジュールの較正を完了するために、光学構造部材に設けられた少なくとも１つの固着チャネルを通して調整可能なレンズを調整するステップと
を含む、カメラモジュールの較正方法も提供する。
【０１７６】
本発明の実施形態によれば、ステップ（Ａ）では、それは、事前に組み付けられた調整可能なレンズを感光装置と組み付ける、又は光学構造部材が感光装置で組み付けられた後にレンズを組み付けるかのどちらかでよい。
【０１７７】
本発明の実施形態によれば、ステップ（Ｂ）は、
（Ｂ１）事前に組み付けられたカメラモジュールの電源を投入し、カメラモジュールの撮像を取り込むステップと、
（Ｂ２）カメラモジュールの撮像に基づいて、調整可能なレンズのための調整方法及び較正測定を計算するステップと、
（Ｂ３）較正測定に基づいて調整可能なレンズを調整するステップと
を含む。
【０１７８】
本発明の実施形態によれば、ステップ（Ｂ３）では、外部調整装置は、調整可能なレンズと接触し、少なくとも一方向で調整可能なレンズの組付け位置を調整するために調整チャネルに挿入され、調整後、調整可能な光学レンズの中心軸線及び光学センサの中心軸線は一致する、又は逸脱の許容範囲内にある。
【０１７９】
本発明の実施形態によれば、上記製造方法では、外部調整装置は、調整可能なレンズの調整方法及び較正測定を記録するように適応可能である自動化機能を有する、又は外部調整装置は、調整可能なレンズの調整方法及び較正測定を外部調整装置に入力して調整可能なレンズを正確に調整するように適応可能である。
【０１８０】
本発明の実施形態によれば、上記の方法では、外部調整装置は、機械保持又は真空吸引により調整可能なレンズを調整する。
【０１８１】
本発明の実施形態によれば、ステップ（Ｃ）では、調整後の調整可能なレンズは、糊計量配分装置を用いて調整可能なレンズの端縁の上に接着剤を注入し、次いで接着剤を凝固させることにより固着できる。
【０１８２】
本発明の実施形態によれば、ステップ（Ｃ）では、接着剤は、調整可能なレンズの上面を光学構造部材の内壁と固着することにより調整可能なレンズを固着するために、調整可能なレンズの上面に注入される。
【０１８３】
本発明の実施形態によれば、ステップ（Ｃ）では、接着剤は、調整可能なレンズの側面を光学構造部材の内壁と固着することにより調整可能なレンズを固着するために、調整可能なレンズの側面に注入される。
【０１８４】
本発明の別の態様によれば、本発明は、
（ａ）感光装置で光学構造部材を組み付けるステップと、
（ｂ）光学構造部材の中央又は底部の内部空間内で少なくとも１つのレンズを組み付け、固着するステップと、
（ｃ）カメラモジュールの事前組付けを完了するために、光学構造部材の上部の内部空間内で調整可能なレンズを事前に組み付けるステップと、
（ｄ）調整されたカメラモジュールの撮像に解像度要件を満たさせるために事前に組み付けられたカメラモジュールを較正するステップと、
（ｅ）調整可能なレンズを固着することによってカメラモジュールの較正を完了するステップと
を含む、カメラモジュールの較正方法も提供する。
【０１８５】
本発明の実施形態によれば、ステップ（ｄ）は、
（ｄ１）事前に組み付けられたカメラモジュールの電源を投入し、カメラモジュールの撮像を取り込むステップと、
（ｄ２）カメラモジュールの撮像に基づいて、調整可能なレンズのための調整方法及び較正測定を計算するステップと、
（ｄ３）カメラモジュールを較正するために較正測定に基づいて調整可能なレンズを調整するステップと
を含む。
【０１８６】
本発明の実施形態によれば、上記製造方法では、調整可能なレンズは、光学構造部材の上部の光入射位置から外部調整装置によって接触され、これにより調整可能なレンズの組付け位置は少なくとも一方向で調整できる。
【０１８７】
本発明の実施形態によれば、上記方法では、外部調整装置は、機械保持又は真空吸引により調整可能なレンズを調整する。
【０１８８】
本発明の実施形態によれば、ステップ（ｅ）では、接着剤は光学構造部材の上部の光入射位置から注入され、調整可能なレンズは、接着剤が凝固した後に光学構造部材の内部空間で固着される。別の態様によれば、本発明は、
１つ以上の内部レンズと、
少なくとも１つの外部レンズと、
円錐水晶体構成部品であって、１つ以上の内部レンズが所定の順序に従って円錐水晶体構成部品の内部に配置される、円錐水晶体構成部品と
を含む、カメラモジュールも提供する。外部レンズは、円錐水晶体構成部品の垂直方向に沿って円錐水晶体構成部品の外部に配置される。内部レンズ及び外部レンズは、すべてカメラモジュールレンズの光路に配置される。
【０１８９】
本発明の実施形態によれば、内部レンズは接合され、円錐水晶体構成部品で固着される全体の中に組み付けられる。
【０１９０】
本発明の実施形態によれば、隣接する内部レンズは、スペーサリング又は接着剤によって埋め込まれる、又は互いと統合される。
【０１９１】
本発明の実施形態によれば、内部レンズの内の少なくとも１つは、調整可能なレンズとしての機能を果たすために円錐水晶体で事前に組み付けられ、調整可能なレンズの組付け位置は、少なくとも一方向で円錐水晶体構成部品の空間位置に対応して調整されるように適応可能である。
【０１９２】
本発明の実施形態によれば、円錐水晶体構成部品は、その外側の周辺方向に沿って設けられた少なくとも１つの調整チャネルを有する。調整チャネル（複数可）は、円錐水晶体構成部品の内部空間及び外部環境を連絡するために適応され、それぞれ調整可能なレンズ（複数可）に対応して位置決めされ、これによりそれは、調整チャネルを通して調整可能なレンズの組付け位置を調整することによって、カメラモジュールレンズの光路を調整するように適応可能である。
【０１９３】
本発明の実施形態によれば、調整可能なレンズは、糊計量配分装置によって調整チャネルを通して注入される接着剤によって円錐水晶体構成部品の内壁に固着され、これは調整チャネルも密封する。
【０１９４】
本発明の実施形態によれば、内部レンズの最初の１個が調整可能なレンズとして役立てられ、円錐水晶体構成部品の上方部分の内部空間内に配置されるとき、円錐水晶体構成部品の上部は、固着チャネルを通して接着剤を注入することによって調整可能なレンズを固着するために適応された、外部環境と調整可能なレンズの端縁を連絡するために調整可能なレンズの端縁に対応する少なくとも１つの固着チャネルを有する。
【０１９５】
本発明の実施形態によれば、外部レンズは円錐水晶体構成部品の底部に固着され、外部レンズの上面の端縁及び円錐水晶体構成部品の底面が接続される。
【０１９６】
本発明の実施形態によれば、外部レンズは、調整可能なレンズとしての機能を果たすために円錐水晶体構成部品の底部で事前に組み付けられる。外部レンズの上面の端縁及び円錐水晶体構成部品の底面が接続される。外部レンズの組付け位置は、円錐水晶体構成部品の組付け位置に対応して少なくとも一方向で調整されるように適応される。
【０１９７】
本発明の実施形態によれば、外部レンズのそれぞれのすべての外側は、外部レンズの側面全体を完全に覆うシェーディング層を有する。
【０１９８】
本発明の実施形態によれば、シェーディング層は、その上に黒い糊を塗ることにより外部レンズのそれぞれのすべての外側に形成される。
【０１９９】
本発明の別の態様によれば、本発明は、
光学センサ及びレンズマウントを含む感光装置と、
光学センサの感光性経路に配置されたカメラモジュールレンズであって、カメラモジュールレンズは１つ以上の内部レンズ、少なくとも１つの外部レンズ、及び円錐水晶体構成部品を含み、内部レンズは所定の順序で円錐水晶体構成部品の内部空間内に配置され、外部レンズは円錐水晶体構成部品とレンズマウントとの間に配置され、内部レンズ及び外部レンズはともに光学センサの感光性経路に配置される、カメラモジュールレンズと
を含む、カメラモジュールを提供する。
【０２００】
実施形態ペデスタル本発明によれば、外部レンズは円錐水晶体構成部品とレンズマウントとの間で固着され、外部レンズの上面の端縁及び底面の端縁はそれぞれ及び固着して（ａｆｆｉｘｅｄｌｙ）円錐水晶体構成部品の底面及びレンズマウントの上面と接続される。
【０２０１】
本発明の実施形態によれば、調整可能なレンズとしての機能を果たす外部レンズは、円錐水晶体構成部品とレンズマウントとの間で事前に組み付けられる。外部レンズの上面の端縁及び底面の端縁は、それぞれ円錐水晶体構成部品の底面及びレンズマウントの上面と移動できるように接続される。外部レンズ及び円錐水晶体構成部品の組付け位置は、光学センサの組付け位置と対応して、少なくとも一方向で調整されるようにともに適応可能である。調整後、カメラモジュールレンズの中心軸線及び光学センサの中心軸線は一致する、又は逸脱の許容範囲内にある。
【０２０２】
本発明の実施形態によれば、外部レンズは、円錐水晶体構成部品とレンズマウントとの間で事前に組み付けられる。外部レンズの上面の端縁は、円錐水晶体構成部品の底面と固着して接続され、一方外部レンズの底面の端縁及び円錐水晶体構成部品の底面は移動できるように事前に組み付けられ、これによりカメラモジュールレンズの組付け位置は、光学センサの組付け位置に対応して、少なくとも一方向で調整されるように適応可能である。調整後、カメラモジュールレンズの中心軸線及び光学センサの中心軸線は一致する、又は逸脱の許容範囲内にある。
【０２０３】
本発明の実施形態によれば、外部レンズは、接着剤によってレンズマウント上で事前に組み付けられ、事前組付けで使用される接着剤は、ＵＶ接着剤、及び事前組付けを達成するために紫外線曝露後に半凝固になる熱硬化性接着剤の混合接着剤であり、接着剤は、調整後外部レンズを固着するために完全に凝固する。
【０２０４】
本発明の別の態様によれば、本発明は、
（Ａ）所定の順序で円錐水晶体構成部品の内部空間内に少なくとも１つの内部レンズを配置するステップと、
（Ｂ）円錐水晶体構成部品の垂直方向で円錐水晶体構成部品の底部の拡張空間内に少なくとも１つの外部レンズを配置するステップと、
（Ｃ）カメラモジュールレンズの組付けを完了するステップと
を含む、カメラモジュールのレンズの組付け方法を提供する。
【０２０５】
本発明の実施形態によれば、方法は、
（Ｄ）外部レンズの外側にシェーディング層を配置するステップであって、シェーディング層の配置が、外部レンズの組付けの前又は後のどちらかに実施されるように適応される、配置するステップと
をさらに含む。
【０２０６】
本発明の別の態様によれば、本発明は、
（ａ）所定の順序で円錐水晶体構成部品の内部空間内に１つ以上の内部レンズを配置するステップと、
（ｂ）円錐水晶体構成部品の垂直方向で円錐水晶体構成部品の外部空間内に少なくとも１つの外部レンズを配置するステップと、
（ｃ）カメラモジュールレンズの組付けを完了するために外部レンズの外側にシェーディング層を配置するステップと、
（ｄ）光学センサの感光性経路にカメラモジュールレンズを配置するステップと、
（ｅ）カメラモジュールの事前組付けを完了するステップと、
（ｆ）カメラモジュールの組付けを完了するためにカメラモジュールレンズ及び光学センサを実装するステップと
を含む、カメラモジュールの組付け方法を提供する。
【０２０７】
本発明の実施形態によれば、ステップ（ａ）では、１つ以上の内部レンズは接合され、円錐水晶体構成部品の内部空間内に次いで固着されるユニット全体として所定の順序で組み付けられる。
【０２０８】
本発明の実施形態によれば、ステップ（ａ）では、１つ以上の内部レンズは所定の順序で次々と円錐水晶体構成部品の内部空間内に固着される。
【０２０９】
本発明の実施形態によれば、ステップ（ａ）では、調整可能なレンズとしての機能を果たす内部レンズの内の少なくとも１つは、円錐水晶体構成部品の内部空間で事前に組み付けられ、調整可能なレンズの組付け位置は、円錐水晶体構成部品の内部空間に対応して少なくとも一方向で調整されるように適応される。
【０２１０】
本発明の実施形態によれば、円錐水晶体構成部品はその中に少なくとも１つの調整チャネルを設けさせ、円錐水晶体構成部品の内部空間及び外部環境を連絡し、調整可能なレンズに対応し、外部調整装置は、調整チャネルを通して調整可能なレンズの外面に接触するために活用できる。
【０２１１】
本発明の実施形態によれば、調整可能なレンズは、糊計量配分装置によって調整チャネルを通して注入された接着剤によって円錐水晶体構成部品の内壁に固着され、これは調整チャネルも密封する。
【０２１２】
本発明の実施形態によれば、内部レンズの最初の１個が調整可能なレンズとして役立てられ、円錐水晶体構成部品の上方部分の内部空間内に配置されるとき、円錐水晶体構成部品の上方部分は、調整可能なレンズの端縁を外部環境と連絡するために調整可能なレンズの端縁に対応して位置決めされた少なくとも１つの固着チャネルを有し、これにより調整可能なレンズは、固着チャネルを通して接着剤を注入することによって固着できる。
【０２１３】
本発明の実施形態によれば、ステップ（ｂ）及びステップ（ｄ）では、外部レンズは、円錐水晶体構成部品とレンズマウントとの間で固着される。外部レンズ及び円錐水晶体構成部品は、外部レンズの上面の端縁及び円錐水晶体構成部品の底面に接着剤を塗布することによって固着して接続される。外部レンズ及びレンズマウントは、外部レンズの底面の端縁及びレンズマウントの上面に接着剤を塗布することによって固着して接続される。
【０２１４】
本発明の実施形態におれば、ステップ（ｂ）及びステップ（ｄ）では、外部レンズは、調整可能なレンズとしての機能を果たすために円錐水晶体構成部品とレンズマウントとの間で事前に組み付けられる。外部レンズ及び円錐水晶体構成部品は外部レンズの上面の端縁と円錐水晶体構成部品の底面との間に接着剤を塗布することによって事前に組み付けられる。外部レンズ及びレンズマウントは、外部レンズの底面の端縁及びレンズマウントの上面に接着剤を塗布することによって事前に組み付けられる。外部レンズ及び円錐水晶体の組付け位置は、光学センサに対応して、ともに少なくとも一方向で調整されるように適応可能である。
【０２１５】
本発明の実施形態によれば、ステップ（ｂ）及びステップ（ｄ）では、外部レンズは、調整可能なレンズとしての機能を果たすために円錐水晶体構成部品とレンズマウントとの間で事前に組み付けられる。外部レンズ及び円錐水晶体構成部品は、外部レンズの上面の端縁と円錐水晶体構成部品の底面との間に接着剤を塗布することによって固着して接続される。外部レンズ及びレンズマウントは、外部レンズの底面の端縁及びレンズマウントの上面に接着剤を塗布することによって事前に組み付けられる。外部レンズ及び円錐水晶体構成部品の組付け位置は、光学センサに対応して、ともに少なくとも一方向で調整されるように適応可能である。
【０２１６】
本発明の実施形態によれば、ステップ（ｂ）及びステップ（ｄ）では、外部レンズは、調整可能なレンズとしての機能を果たすために円錐水晶体構成部品とレンズマウントとの間で事前に組み付けられる。外部レンズ及び円錐水晶体構成部品は、外部レンズの上面の端縁と円錐水晶体構成部品の底面との間に接着剤を塗布することによって事前に組み付けられる。外部レンズ及びレンズマウントは、外部レンズの底面の端縁及びレンズマウントの上面に接着剤を塗布することによって固着して接続される。円錐水晶体構成部品の組付け位置は、光学センサに対応して、少なくとも一方向で調整されるように適応可能である。
【０２１７】
本発明の実施形態によれば、ステップ（ｅ）は、以下の
（ｅ１）事前に組み付けられたカメラモジュールの電源を投入し、カメラモジュールの撮像を取り込むステップと、
（ｅ２）カメラモジュールの撮像に基づいて、調整可能なレンズのための調整方法及び較正測定を計算するステップと、
（ｅ３）カメラモジュールの撮像に解像度要件を満たさせるために、較正測定に基づいて調整可能なレンズを調整するステップと
を含む。
【０２１８】
本発明の実施形態によれば、ステップ（ｆ）では、調整可能なレンズは、カメラモジュールの組付けを完了するために、糊計量配分装置を通して固着される。
【０２１９】
本発明の実施形態によれば、ステップ（ｃ）では、シェーディング層の配置は、外部レンズの組付けの前又は後のどちらかに実施されるように適応される。
【０２２０】
本発明の実施形態によれば、ステップ（ｃ）では、シェーディング層は、その上に黒色の糊を塗ることにより、外部レンズのそれぞれのすべての外側に形成され、シェーディング層は、外部レンズの側面全体を完全に覆う。
【０２２１】
さらに追加の目的及び優位点は、続く説明及び図面を検討することから明らかになる。
【０２２２】
本発明のこれらの及び他の目的、特徴、及び優位点は、以下の発明を実施するための形態、添付図面、及び添付の特許請求の範囲から明らかになる。
【図面の簡単な説明】
【０２２３】
【図１】本発明の第１の好適実施形態に係る調整可能な光学レンズの斜視図である。
【図２】本発明の上記の第１の好適実施形態に係る調整可能な光学レンズの断面図である。
【図３】本発明の上記の第１の好適実施形態に係るカメラモジュールの製造工程の断面図である。
【図４】本発明の上記の第１の好適実施形態に係るカメラモジュールの製造方法の流れ図である。
【図５】本発明の第２の好適実施形態に係る調整可能な光学レンズの光学構造部材の斜視図である。
【図６】本発明の上記の第２の好適実施形態に係るカメラモジュールの製造工程の第１の斜視図である。
【図７】本発明の上記の第２の好適実施形態に係るカメラモジュールの製造工程の第２の斜視図である。
【図８】本発明の上記の第２の好適実施形態に係るカメラモジュールの製造方法の流れ図である。
【図９】本発明の第３の好適実施形態に係るカメラモジュールの斜視構造図である。
【図１０】本発明の上記の第３の好適実施形態に係るカメラモジュールの断面図である。
【図１１】本発明の上記の第３の好適実施形態に係るカメラモジュールの製造方法の流れ図である。
【図１２】本発明の第４の好適実施形態に係るカメラモジュールの斜視構造図である。
【図１３】本発明の上記の第４の好適実施形態に係るカメラモジュールの断面図である。
【図１４】本発明の上記の第４の好適実施形態に係るカメラモジュールの製造方法の流れ図である。
【図１５】本発明の第５の好適実施形態に係るカメラモジュールの斜視構造図である。
【図１６】本発明の上記の第５の好適実施形態に係るカメラモジュールの断面図である。
【図１７】本発明の上記の第５の好適実施形態に係るカメラモジュールの製造方法の流れ図である。
【図１８】本発明の第６の好適実施形態に係るカメラモジュールの製造工程の断面図である。
【図１９】本発明の上記の第６の好適実施形態に係るカメラモジュールの製造工程の断面図である。
【図２０】本発明の上記の第６の好適実施形態の代替モードに係るカメラモジュールの断面図である。
【図２１】本発明の第７の好適実施形態に係るカメラモジュールの斜視構造図である。
【図２２】本発明の上記の第７の好適実施形態に係るカメラモジュールの製造工程の断面図である。
【図２３】本発明の第８の好適実施形態に係るカメラモジュールの製造工程の断面図である。
【図２４】本発明の上記の第８の好適実施形態の代替モードに係るカメラモジュールの断面図である。
【図２５】本発明の上記の第８の好適実施形態の別の代替モードに係るカメラモジュールの断面図である。
【図２６】本発明の第９の好適実施形態に係るカメラモジュールの製造工程の断面図である。
【図２７】本発明の上記の第９の好適実施形態に係るカメラモジュールの製造工程の部分的に拡大された図である。
【図２８−３０】本発明の第１０の好適実施形態に係る組付け工程でのカメラモジュールの断面図である。
【図３１】本発明の上記の第６の好適実施形態から第１０の好適実施形態に係るカメラモジュールの較正方法の流れ図である。
【図３２】本発明の上記の第１０の好適実施形態に係るカメラモジュールの較正方法の流れ図である。
【図３３】本発明の第１１の好適実施形態に係るカメラモジュールのレンズの斜視構造図である。
【図３４】本発明の上記の第１１の好適実施形態に係るカメラモジュールレンズの製造工程の断面図である。
【図３５】本発明の上記の第１１の好適実施形態に係るカメラモジュールの製造工程の断面図である。
【図３６】本発明の上記の第１の好適実施形態に係るカメラモジュールの組付け方法の斜視図である。
【図３７】本発明の上記の第１１の好適実施形態の代替モードに係るカメラモジュールの斜視図である。
【図３８】本発明の上記の第１１の好適実施形態の代替モードに係るカメラモジュールレンズの斜視図である。
【図３９】本発明の第１２の好適実施形態に係るカメラモジュールのレンズの斜視構造図である。
【図４０】本発明の上記の第１２の好適実施形態に係るカメラモジュールレンズの断面図である。
【図４１】本発明の上記の第１２の好適実施形態に係るカメラモジュールの製造工程の断面図である。
【図４２】本発明の上記の第１の好適実施形態に係るカメラモジュールの組付け方法の流れ図である。
【図４３】本発明の上記の第１２の好適実施形態に係るカメラモジュールの組付け方法の流れ図である。
【発明を実施するための形態】
【０２２４】
以下の説明は、当業者が本発明を作り、使用することができるようにするために説明される。以下での好適実施形態は例にすぎず、当業者は他の明らかな代替策を打ち出すことができる。以下の説明で定義される一般原則は、本発明の精神及び範囲を逸脱することなく、他の実施形態、代替策、変更形態、同等物、及び応用に適用されるだろう。
【０２２５】
当業者は、本発明の開示において、「長手方向の」、「側面方向の」、「上方の」、「下方の」、「前部」、「後部」、「左」、「右」、「垂直な」、「水平な」、「上部」、「底部」、「内側の」、「外側の」、及びより多くの専門用語が、方向又は位置の関係が添付図面に示される方向又は位置の関係に基づいていることを示し、これは、参照されている装置又は要素が特定の方向を適用しなければならない又は特定の方向で動作される若しくは構造化されなければならないことを示す又は暗示するよりむしろ、本発明を説明し、説明を簡略化することの容易さのためだけであることを理解するべきである。したがって、上述の専門用語は、本発明に限定されると解釈されないものとする。
【０２２６】
図面の図１及び図２を参照すると、本発明の好適実施形態に係る調整可能な光学レンズ１０１０が示されている。調整可能な光学レンズの中心軸線は、調整可能な光学レンズが生産された後に調整でき、これにより調整可能な光学レンズ１０１０は以後撮像システムに適用され、調整可能な光学レンズ１０１０の中心軸線は、撮像システムの特定のパラメータに基づいて調整できる。具体的には、調整可能な光学レンズ１０１０は、光学構造部材１０１３及び２つ以上のレンズ１０１１を含む。各レンズは、光学構造部材１０１３の軸方向に沿って光学構造部材１１０３の内部空間内に配置され、光学構造部材１０１３の内部空間内のレンズ１０１１の内の少なくとも１つの位置は調整可能な構成で配置される。したがって、調整可能な光学レンズ１０１０の中心軸線は、調整可能な光学レンズ１０１０が生産された後に、撮像システムの適用必要性に基づいて調整可能であるように適応される。
【０２２７】
さらに、調整可能な光学レンズ１０１０の光学構造部材１０１３は、それぞれ光学構造部材１０１３の内部空間を外部環境と連絡するために、少なくとも１つの調整チャネル１０１３１を設けさせ、レンズ１０１１はすべて光学構造部材１０１３の垂直方向に沿って光学構造部材１０１３の内部空間に重複して且つ間隔を置いて配置され、レンズ１０１１のそれぞれの外壁は調整チャネル１０１３１に対応する位置に配置される。したがって、光学構造部材１０１３の内部空間内のレンズ１０１１の位置は、後に、調整チャネル１０１３１を通して光学構造部材１０１３の外部環境から調整でき、つまり調整可能な光学レンズ１０１０の中心軸線の調整を達成できる。特に、本発明の本実施形態によれば、調整チャネル１０１３１は、調整されるレンズ１０１１に対応する位置の光学構造部材１０１３の側壁に設けられる。すなわち、調整されるレンズ１０１１が光学構造部材に配置されるとき、レンズ１０１１の端縁は、調整要素が、外部環境から内部空間に拡張される調整チャネルを通してレンズ１０１１の端縁に到達するために、及びレンズ１０１１の端縁と係合してレンズ１０１１の位置を調整するために調整チャネル１０１３１に向かう。確かに、本発明の他の実施形態によれば、調整チャネル１０１３１は、例えば光学構造部材１０１３の上部壁等の光学構造部材１０１３の他の位置（複数可）に設けられてもよく、したがって本発明は本実施形態に制限されないものとする。
【０２２８】
調整チャネル１０１３１の位置及び量が、必要に応じて変わる場合があることは理解できる。例えば、種々の調整チャネルは、調整されるレンズ１０１１の取付け位置に対応して設けることができ、これは、例えば１つ、２つ、３つ以上等の所定の数の調整チャネル１０１３１が、調整される同じレンズ１０１１の位置に対して設けることができることを意味するが、これに限定されるものではない。同じレンズ１０１１に対応する調整チャネルは、必要に基づいて配置できる。例えば、２つの調整チャネル１０１３１がある場合、２つの調整チャネルは同じ直径で構成できる。一方、３つの調整チャネルがある場合、３つの調整チャネルは、レンズ１０１１を対称的に調整し、調整をより正確且つ容易にするために、１２０°で互いと間隔を置いて配置されるために軸対称で配置できる。それにも関わらず、当業者は、本発明が係る配置に制限されないものとすることを理解すべきである。
【０２２９】
当業者は、調整可能な光学レンズ１０１０の上記に開示された構造は、調整可能な光学レンズ１０１０の理論が、光学構造部材１０１３の内部空間内の最も外側のレンズ１０１１の位置を調整することによって説明できる例として示されていることを承知している必要がある。具体的には、本実施形態によれば、調整可能な光学レンズ１０１０は、１つの光学構造部材１０１３、及び光学構造部材１０１３の内部空間内に重複して配置された複数のレンズ１０１１を含む。光学構造部材１０１３は、少なくとも１つの調整チャネル１０１３１を有し、最も外側のレンズ１０１１は、光学構造部材１０１３内の調整チャネル１０１３１に対応する位置に位置する。さらに、レンズ１０１１は光学構造部材１０１３の内壁に接触せず、これにより光学構造部材１０１３内のレンズ１０１１の位置は調整可能である。言い換えると、レンズ１０１１の外壁と光学構造部材１０１３の内壁との間に隙間が形成され、隙間のサイズは３マイクロメートル以上である場合がある。調整要素の端部は、光学構造部材１０１３の外部から調整チャネル１０１３１の中に挿入するために適用され、光学構造部材１０１３の内部空間内のレンズ１０１１の位置を調整するためにレンズ１０１１の外壁を押して、調整可能な光学レンズ１０１０の中心軸線を調整するために光学構造部材１０１３の内部空間に拡張される。調整可能な光学レンズ１０１０の中心軸線の調整後、レンズ１０１１及び光学構造部材１０１０の位置は再び固定される。例えば、レンズ１０１１及び調整可能な光学レンズ１０１０の位置は、使用中、調整可能な光学レンズ１０１０の信頼性を保証するために糊付け工程又は溶接工程によって固定できる。当業者は、光学構造部材１０１３の内部空間内で調整されるレンズ１０１１の距離が、レンズ１０１１の外壁と光学構造部材１０１３の内壁との間の隙間以下であることを理解してよい。
【０２３０】
図面の図１及び図２は、光学構造部材１０１３の内部空間内のレンズ１０１１が、調整チャネル１０１３１を調整可能な光学レンズ１０１０の光学構造部材１０１３に配置することによって調整できることを示しているが、当業者は、光学構造部材１０１３の内部空間内でレンズ１０１１の相対位置を調整するために使用できる他の類似した及び考えられる方法が適用可能であり、本発明の調整可能な光学レンズ１０１０に係る修正された実施態様と見なされるものとすることを理解すべきである。
【０２３１】
図３を参照すると、本発明は、調整可能な光学レンズ１０１０を含むカメラモジュールも提供し、カメラモジュールは、光学センサ１０２１も含む。調整可能な光学レンズ１０１０は光学センサ１０２１に対して配置され、被写体から反射される光は、カメラモジュールの調整可能な光学レンズ１０１０を通してカメラモジュールの内部に入射し、光電変換を続けるために光学センサ１０２１によって受光され、これにより被写体に対する画像はカメラモジュールによって生成できる。
【０２３２】
図面の図３を参照すると、本発明の上述された第１の好適実施形態によれば、カメラモジュールの製造方法が示されている。本製造方法では、最初に、調整可能な光学レンズ１０１０は光学センサ１０２１の感光性経路に配置される。カメラモジュールの製造方法には特定の偏差が存在する場合があるため、調整可能な光学レンズ１０１０の中心軸線は正確に制御できない。したがって、調整可能な光学レンズ１０１０が光学センサ１０２１の感光性経路に配置された後、調整可能な光学レンズ１０１０の中心軸線及び光学センサ１０２１の中心軸線は、光学構造部材１０１３の内部空間内でレンズ（複数可）１０１１の位置（複数可）を調整することによって一致させられる。そして次いで、調整可能な光学レンズ１０１０及び光学センサ１０２１は、カメラモジュールの製造方法を完了するために実装される。当業者は、本発明の調整可能な光学レンズ１０１０の中心軸線及び光学センサ１０２１の中心軸線が一致し、調整可能な光学レンズ１０１０の中心軸線と光学センサ１０２１の中心軸線との間の偏差が許容範囲内で制御され、これによりカメラモジュールの歩留まり率が上げられ、カメラモジュールの画質が保証される。
【０２３３】
調整可能な光学レンズ１０１０の中心軸線を調整するステップでは、調整可能な光学レンズ１０１０の中心軸線は、光学構造部材１０１３の内部空間内のレンズ１０１１の水平位置を変更することによってだけではなく、光学構造部材１０１３の内部空間内でレンズ１０１１の傾斜位置を変更することによっても調整できることに言及する価値がある。さらに、本発明の別の実施形態では、光学構造部材１０１３の内部空間内のレンズ１０１１の垂直位置は、カメラモジュールの応用の必要性に基づいて調整することもできる。したがって、カメラモジュールの構造設計はより柔軟になる。
【０２３４】
図４に示されるように、本発明は、カメラモジュールの製造方法４００も含み、製造方法４００は以下の
ステップ（４０１）：光学センサ１０２１の感光性経路に調整可能な光学レンズ１０１０を配置するステップと、
ステップ（４０２）：調整可能な光学レンズ１０１０の中心軸線及び光学センサ１０２１の中心軸線を一致させるために調整可能な光学レンズ１０１０の内の少なくとも１つのレンズ１０１１の位置を調整するステップと、
ステップ（４０３）：カメラモジュールを形成するために、調整可能な光学レンズ１０１０及び光学センサ１０２１を実装するステップと、
をさらに含む。
【０２３５】
さらに、ステップ（４０２）では、調整可能な光学レンズ１０１０の中心軸線及び光学センサ１０２１の中心軸線が、調整可能な光学レンズ１０１０の最も外側に配置されたレンズ１０１１の位置を調整することによって一致させられる。光学構造部材１０１３の内部空間内の調整可能な光学レンズ１０１０のレンズ１０１１の位置が、例えば水平方向等、少なくとも一方向で調整できることに言及する価値がある。好ましくは、光学構造部材１０１３の内部空間内の調整可能な光学レンズ１０１０のレンズ１０１１の水平方向、垂直方向、及び傾斜方向の方向のそれぞれは調整できる。したがって、調整可能な光学レンズ１０１０から生成されるカメラモジュールの画質は保証できる。加えて、本発明の別の好適実施形態では、光学構造部材１０１３の内部空間内のレンズ１０１１の内の少なくとも１つは、異なるタイプのカメラモジュールを実装する応用の必要性を満たすために回転するように調整できる。
【０２３６】
さらに、ステップ（４０２）では、光学構造部材１０１３の内部空間内のレンズ１０１１の位置が調整された後、この調整されたレンズ１０１１及び光学構造部材１０１３が実装される。したがって、調整可能な光学レンズ１１０及び光学センサ１０２１を実装するためのステップは、カメラモジュールの画質を保証するために調整されたレンズ１０１１間で生じる偏差を防ぐことができる。
【０２３７】
さらに、上述された製造方法では、光学構造部材１０１３の側面部分は、光学構造部材１０１３の内部空間内に配置された少なくとも１つのレンズ１０１１に対応している位置に、少なくとも１つの調整チャネル１０１３１を形成させ、これにより光学構造部材１０１３の内部空間内で調整されるレンズ１０１１の位置は、調整チャネル１０１３１を通して光学構造部材１０１３の外部環境から調整できる。
【０２３８】
図面の図５を参照すると、本発明の第２の好適実施形態に係る調整可能な光学レンズ１０１０Ａが示され、調整可能な光学レンズ１０１０Ａは、光学構造部材１０１３Ａ及び少なくとも２つのレンズ１０１１Ａを含む。レンズ１０１１Ａの内の少なくとも１つは、光学構造部材１０１３Ａに調整可能に設置される。従来の光学レンズと対照的に、本発明の調整可能な光学レンズ１０１０Ａの光学構造部材１０１３Ａは、レンズ１０１１Ａの内の少なくとも１つから別々に配置される。加えて、調整可能な光学レンズ１０１０Ａ、及び感光性チップ等の光学センサ１０２１Ａは、カメラモジュールを生産するために実装される。レンズ１０１１Ａは、調整可能な光学レンズ１０１０Ａの中心軸線と光学センサ１０２１Ａの中心軸線との間の対応する関係に基づいて、光学構造部材１０１３Ａに設置される。したがって、調整可能な光学レンズ１０１０Ａを含むカメラモジュールの画質は改善できる。
【０２３９】
本発明の上記の好適実施形態によれば、各レンズ１０１１Ａは、調整可能な光学レンズ１０１０Ａの中心軸線と光学センサ１０２１Ａの中心軸線との間の対応する関係に基づいて光学構造部材１０１３Ａに設置でき、次いで調整可能なレンズ１０１０Ａ及び光学センサ１０２１Ａはカメラモジュールを生産するために実装される。本発明の別の好適実施形態では、調整可能な光学レンズ１０１０Ａの最も外側のレンズ１０１１Ａは、調整可能な光学レンズ１０１０Ａの中心軸線と光学センサ１０２１Ａの中心軸線との間の対応する関係に基づいて光学構造部材１０１３Ａに設置でき、次いで調整可能な光学レンズ１０１０Ａ及び光学センサ１０２１Ａはカメラモジュールを生産するために実装される。
【０２４０】
レンズ１０１１Ａが光学構造部材１０１３Ａに設置された後、レンズ１０１１Ａ及び光学構造部材１０１３Ａは固着される。したがって、製造されたカメラモジュールの画質は改善できる。
【０２４１】
図６及び図７は、本発明の上記の第２の好適実施形態に係るカメラモジュールの製造工程を示し、カメラモジュールは固定単焦点レンズカメラモジュールである場合があるだけではなく、オートフォーカスレンズカメラモジュールである場合もある。固定単焦点レンズカメラモジュールとオートフォーカスレンズカメラモジュールの相違は、固定単焦点レンズカメラモジュールの調整可能な光学レンズ１０１０Ａが、調整可能な光学レンズ１０１０Ａ及び感光装置１０２０Ａを接続するためにレンズマウント上に直接的に実装されており、感光装置１０２０Ａは少なくとも１つの光学センサ１０２１Ａを含む点である。好ましくは、感光装置１０２０Ａは、光学センサ１０２１Ａによって付着される回路基板も含んでよい。オートフォーカスレンズカメラモジュールの調整可能な光学レンズ１０１０Ａは、ボイスコイルモータ等のドライバとともに設置され、ドライバはレンズホルダに設置され、これによりオートフォーカスレンズカメラモジュールが使用中であるとき、調整可能な光学レンズ１０１０Ａは、光学センサ１０２１Ａの感光性経路に沿って移動するためにドライバによって駆動することができ、これは光学センサ１０２１Ａの偏位移動として定義される。
【０２４２】
いずれにしても、オートフォーカスレンズカメラモジュール又は固定単焦点レンズカメラモジュールの製造工程では、光学構造部材１０１３Ａは、レンズ１０１１Ａが光学構造部材１０１３Ａに設置される前に、光学センサ１０２１Ａの感光性経路に沿って設置できる。また、光学構造部材１０１３Ａの内部空間内のレンズ１２Ａの位置が調整された後、調整可能な光学レンズ１０Ａの中心軸線及び光学センサ１０２１Ａの中心軸線は一致する。レンズ１０１１Ａが光学構造部材１０１３Ａに配置された後、調整可能な光学レンズ１０１０Ａの中心軸線及び光学センサ１０２１Ａの中心軸線が一致し、次いでレンズ１０１１Ａ及び光学構造部材１０１３Ａが固着されることに言及する価値がある。いくつかの実施形態では、例えば、レンズ１０１１Ａ及び光学構造部材１０１３Ａは、接着剤計量配分工程によって固着される。
【０２４３】
図８に示されるように、本発明の上記の第２の好適実施形態に係るカメラモジュールの別の製造方法９００が示され、製造方法９００は、以下の
ステップ（９０１）：感光性チップ等の光学センサ１０２１Ａの感光性経路に光学構造部材１０１３Ａの半製品を配置するステップと、
ステップ（９０２）：光学構造部材１０１３Ａの半製品に少なくとも１つのレンズ１０１１Ａを配置して調整可能な光学レンズ１０１０Ａを形成するステップと、
ステップ（９０３）：調整可能な光学レンズ１０１０Ａの中心軸線及び光学センサ１０２１Ａの中心軸線が一致するように、光学構造部材１０１３Ａの内部空間内でレンズ１０１１Ａの１つ以上の位置を調整するステップと
を含む。
【０２４４】
さらに、ステップ（９０３）後、カメラモジュールの製造方法９００は、さらに以下のステップを含む。
【０２４５】
ステップ（９０４）：レンズ１０１１Ａ及び光学構造部材１０１３Ａを固着すること。本発明の本好適実施形態によれば、レンズ１０１１Ａ及び光学構造部材１０１３Ａは、接着剤計量配分工程によって固着されることに言及する価値がある。
【０２４６】
さらに、本発明の上述の第２の好適実施形態によれば、ステップ（９０１）では、光学構造部材１０１３Ａは光学センサ１０２１Ａの感光性経路に配置される。また、ステップ（９０２）では、レンズは、光学構造部材１０１３Ａの軸方向に沿って光学構造部材１０１３Ａの内部空間内に重複して及び間隔を置いて配置される。本発明の別の実施形態では、光学センサ１０２１Ａの感光性経路に配置された光学構造部材１０１３Ａの半製品は、ステップ（９０１）では、光学構造部材１０１３Ａ、及び光学構造部材１０１３Ａの内部空間内で事前に組み付けられる少なくとも１つのレンズ１０１１Ａを含み、レンズ１０１１Ａの残りも、ステップ（９０２）では、調整可能な光学レンズ１０１０Ａを形成するために光学構造部材１０１３Ａの内部空間内に配置される。
【０２４７】
図９及び図１０を参照すると、本発明の第３の好適実施形態に係る調整可能な光学レンズのカメラモジュールが示されている。
【０２４８】
図９及び図１０に示されるように、カメラモジュールは、調整可能な光学レンズ１０Ｂ及び感光装置２０Ｂを含む。調整可能な光学レンズ１０１０Ｂは、感光装置１０２０Ｂの感光性経路に設置され、被写体から反射される光が光電変換される調整可能な光学レンズ１０１０Ｂから感光装置１０２０Ｂの内部に入射し、これによりカメラモジュールは、以後被写体に対する画像（複数可）を生成できる。
【０２４９】
感光装置１０２０Ｂは、フィルタ１０２２Ｂ、レンズマウント１０２４Ｂ、光学センサ１０２１Ｂ、及び回路基板１０２３Ｂを含み、フィルタ１０２２Ｂはレンズマウント１０２４Ｂの内壁の上方部分に、及び光学センサ１０２１Ｂの感光性経路の上部に配置された第１の溝１０２４１Ｂに固定される。光学センサ１０２１Ｂは、レンズマウント１０２４Ｂの内壁の下方部分に配置された第２の溝１０２４２Ｂに固定される。光学センサ１０２１Ｂは、回路基板１０２３Ｂの上面に付着される。回路基板１０２３Ｂは、レンズマウント１０２４Ｂの下部に設置される。すなわち、フィルタ１０２２Ｂ、レンズ２２Ｂ、光学センサ１０２１Ｂ、及び回路基板１０２３Ｂは、互いの間で組み付けられ、固定され、連続較正で調整することができない。被写体から反射された光は、調整可能な光学レンズ１０１０Ｂを通してカメラモジュールの内部に入射し、次いで光電変換を続けるために光学センサ１０２１Ｂによって受光されてよく、これによりカメラモジュールは後で被写体に対して画像を生成できる。
【０２５０】
調整可能な光学レンズ１０１０Ｂは、光学構造部材１０１３Ｂ及び１つ以上のレンズ１０１１Ｂを含む。レンズ１０１１Ｂは、光学構造部材１０１３Ｂの軸方向に沿って光学構造部材１０１３Ｂにそれぞれ設置される。光学構造部材１０１３Ｂは、レンズマウント１０２４Ｂの上部に接続され、レンズ１０１１Ｂは、光学センサ１０２１Ｂの感光性経路に沿って配置される。レンズ１０１１Ｂの内の少なくとも１つは、光学構造部材１０１３Ｂの内部に事前に組み付けられる。光学構造部材１０１３Ｂの内部に事前に組み付けられたレンズ１０１１Ｂは、本好適実施形態の調整可能な光学部品であり、これは、レンズ１０１１Ｂが光学構造部材１０１３Ｂの内部の空間位置で調整されるように適応可能であり、その形成されたレンズが調整可能なレンズと呼ばれることを意味する。
【０２５１】
本好適実施形態では、調整可能な光学レンズ１０１０Ｂは、光学センサ１０２１Ｂの感光性経路に沿って光学構造部材１０１３Ｂの内部に順序正しく且つ重複して設置される、第１のレンズ１０１１１Ｂ、第２のレンズ１０１１２Ｂ、第３のレンズ１０１１３Ｂ、第４のレンズ１０１１４Ｂ、及び第５のレンズ１０１１５Ｂを含む５つのレンズ１２を含み、第３のレンズ１０１１３ｂ、第４のレンズ１０１１４Ｂ、及び第５のレンズ１０１１５Ｂは光学構造部材１０１３Ｂにすでに事前に組み付けられ、固定されている。第１のレンズ１０１１１Ｂ及び第２のレンズ１０１１２Ｂは、カメラモジュールの画質を高めるために、以後の工程での較正のために調整されるように構成される調整可能な光学部品として光学構造部材１０１３Ｂの中に事前に組み付けられる。
【０２５２】
任意選択で、５つのレンズの内のいくつかはすべて固定された光学レンズである。一方、他のレンズは、調整可能なレンズと呼ばれる調整可能な光学部品である。調整可能な光学レンズ１０１０Ｂ及び感光装置１０２０Ｂを実装する前に、調整可能な光学部品の組付け位置は調整されるように適応される。
【０２５３】
具体的には、接着剤１０４０Ｂは、第２のレンズ１０１１２Ｂ及び第１のレンズ１０１１１Ｂを光学構造部材１０１３Ｂの中に順序正しく事前に組み付けるために塗布される。接着剤１０４０Ｂは、完全に凝固しないようにされる。すなわち、接着剤１０４０Ｂは、第１のレンズ１０１１１Ｂ及び第２のレンズ１０１１２Ｂの事前組付けを実施するために半凝固し、これは、第１のレンズ１０１１１Ｂ及び第２のレンズ１０１１２Ｂが過度に移動するのを防ぐだけではなく、連続調整をより容易にする。
【０２５４】
接着剤１０４０Ｂは、ＵＶ接着剤、及び上記の事前組付けを達成するために紫外線曝露後に半凝固になる熱硬化性接着剤の混合接着剤を塗布した。加熱処理後、接着剤１０４０Ｂは、カメラモジュール全体を固定するために、第１のレンズ１０１１１Ｂ及び第２のレンズ１０１１２Ｂを定位置に固定するために完全に凝固する。
【０２５５】
調整可能な光学レンズ１０１０Ｂは、アパーチャ部材１０１４Ｂをさらに含む。アパーチャ部材１０１４Ｂは、入射光ビームをもたらし、入射光ビームの体積を制限するために光学構造部材１０１３Ｂの上部に接続される。本好適実施形態では、第２のレンズ１２２Ｄ及び第１のレンズ１０１１１Ｂが、光学構造部材１０１３Ｂの中に順序正しく事前に組み付けられた後、アパーチャ部材１３は、光学構造部材１０１３Ｂの上部に、第１のレンズ１０１１１Ｂの上部に、及び光学センサ１０１２Ｂの感光性経路内に固定して設置される。アパーチャ部材１０１４Ｂの中心軸線及び光学センサ２３Ｂの中心軸線は、カメラモジュールの画質を保証するために一致させられる、又は偏差の許容範囲内に保たれる。
【０２５６】
それぞれ調整チャネル１０１３１Ｂを通して光学構造部材１０１３Ｂの内部空間内で第１のレンズ１２１Ｂ及び第２のレンズ１２２Ｂの空間位置を調整するために、光学構造部材１０１３Ｂの内部空間を外部環境と連絡し、それぞれ第１のレンズ１２１Ｂ及び第２のレンズ１２２Ｂに対応する、光学構造部材１０１３Ｂに設けられる少なくとも２つの調整チャネル１０１３１Ｂがあることに言及する価値がある。好ましくは、６つの調整チャネル１０１３１Ｂが本実施形態で提供され、調整チャネル１０１３１Ｂの内の３つは、第１のレンズ１０１１１Ｂの事前組付け位置に対して光学構造部材１０１３１Ｂの側壁に設けられ、１２０度で互いから別々に配置される。他の３つの調整チャネル１０１３１Ｂは、第２のレンズ１０１１２Ｂの事前組付け位置に対して光学構造部材１０１３１Ｂの側壁に設けられ、１２０度で互いから別々に配置される。
【０２５７】
第１のレンズ１０１１１Ｂ及び第２のレンズ１０１１２Ｂが調整される必要がある場合、針等の細長い要素が、第１のレンズ１０１１１Ｂ又は第２のレンズ１０１１２Ｂに到達するために対応する調整チャネル１０１３１Ｂの中に挿入できる。第１のレンズ１０１１１Ｂ及び第２のレンズ１０１１２Ｂを突くように針を制御することによって、対応する調整チャネル１０１３１Ｂの３つのスポットでの第１のレンズ１０１１１Ｂ及び第２のレンズ１０１１２Ｂの水平位置及び垂直位置は、水平位置、垂直位置、及び傾斜位置を含むあらゆる方向で第１のレンズ１０１１１Ｂ及び第２のレンズ１０１１２Ｂの調整をそれぞれ実施するために変更できる。
【０２５８】
本好適実施形態では、光学構造部材１０１３Ｂは、円錐水晶体として実装することができ、光学構造部材１０１３Ｂの内壁は５つの制限構造１０１３３Ｂを有する。好ましくは、制限構造１０１３３Ｂは、レンズ１０１１Ｂをそれぞれ支持するために、その空洞の方向に向かって光学構造部材１０１３Ｂの内壁を拡張することによって間隔を置いて且つ突出するように形成され、つまり第１の制限構造１０１３３１Ｂ、第２の制限構造１０１３３２Ｂ、第３の制限構造１０１３３３Ｂ、第４の制限構造１０１３３４Ｂ、及び第５の制限構造１０１３３５Ｂは、それぞれ第１のレンズ１０１１１Ｂ、第２のレンズ１０１１２Ｂ、第３のレンズ１０１１３Ｂ、第４のレンズ１０１１４Ｂ、及び第５のレンズ１０１１５Ｂを支持する。当業者は、光学構造部材１０１３Ｂがレンズ１０１１Ｂのそれぞれを支持するために他の手段を活用できることを理解できる。
【０２５９】
カメラモジュールがドライバも備える場合があり、光学構造部材１０１３Ｂがドライバの構成部品である場合があることに言及する価値がある。
【０２６０】
本好適実施形態では、カメラモジュールは固定単焦点レンズカメラモジュールであるだけではなく、オートフォーカスレンズカメラモジュールでもある。
【０２６１】
図１１は、本好適実施形態のカメラモジュールの製造方法１１００の流れ図であり、カメラモジュールの製造方法１１００は、以下の
ステップ（１１０１）：カメラモジュールの構成部品のパーツを組み付け、固定するステップと、
ステップ（１１０２）：カメラモジュールの事前組付けを完了するために、レンズの内の少なくとも１つを事前に組み付けるステップと、
ステップ（１１０３）：事前に組み付けられたカメラモジュールの撮像を取り込むステップと、
ステップ（１１０４）：ソフトウェアを使用して、事前に組み付けられたレンズのための較正測定を計算するステップと、
ステップ（１１０５）：較正測定に従って事前に組付けられたレンズの組付け位置を調整するステップと、
ステップ（１１０６）：調整された結果が解像度要件を満たす場合、ステップ（１１０７）を続ける、又は調整された結果が解像度要件を満たすことができない場合、事前に組み付けられたレンズの調整が期待される要件を達成するまで、ステップ（１１０３）〜（１１０５）を繰り返すステップと、
ステップ（１１０７）：カメラモジュール全体を固着するために、接着剤を凝固させるステップと
を含む。
【０２６２】
ステップ（１１０１）では、フィルタ１０２２Ｂ、レンズマウント１０２４Ｂ、光学センサ１０２１Ｂ、及び回路基板１０２３Ｂが組み付けられ、感光装置１０２０Ｂを形成するために固定される。また、光学構造部材１０１３Ｂが組み付けられ、レンズマウント１０２４Ｂに固定される。第３のレンズ１０１１３Ｂ、第４のレンズ１０１１４Ｂ、及び第５のレンズ１０１１５Ｂは、光学構造部材１０１３Ｂの対応する制限構造１０１３３Ｂで固定して組み付けられる。
【０２６３】
このステップでは、上記要素のそれぞれの間の組付け公差が、増加する連続調整又は過剰に高い組付け公差に起因する連続調整の失敗を回避するために可能な限り長く公差の許容範囲内に保たれるために最小に制御されるべきであることに言及する価値がある。
【０２６４】
ステップ（１１０２）では、第２のレンズ１０１１２Ｂ及び第１のレンズ１０１１１Ｂは順序正しく光学構造部材１０１３Ｂの中に事前に組み付けられる。接着剤１０４０Ｂは事前組付けで塗布される。接着剤１０４０Ｂは、第２のレンズ１０１１２Ｂ及び第１のレンズ１０１１１Ｂの事前組付けを完了するために紫外線曝露下で半凝固する。次に、アパーチャ部材１０１４Ｂは、光学構造部材１０１３Ｂの上部で固定して組み付けられる。この点で、カメラモジュールの事前組付けは、部分的に固定した組付けにより終了し、これはカメラモジュールの光学レンズが調整可能な光学レンズ１０Ｄになるようにする。
【０２６５】
ステップ（１１０３）及び（１１０４）では、事前に組み付けられたカメラモジュールは、電源を投入され、カメラモジュールの撮像は取り込まれる。次いで、第１のレンズ１０１１１Ｂ及び第２のレンズ１０１１２Ｂの組付け位置のための較正測定は、カメラモジュールの撮像に基づいてそれぞれ計算される。
【０２６６】
カメラモジュールの撮像の取込みは、カメラモジュールでＭＴＦ（変調伝達関数）試験チャートを撮影することに基づいている。ＭＴＦ値は、カメラモジュールの画質を表すために適用される。より大きいＭＴＦ値は、カメラモジュールのより高い画質を示す。カメラモジュールの撮像が取り込まれるたびに、撮像に対応するＭＴＦ値が計算される必要がある。ＭＴＦ値は、次いでＭＴＦ値が標準よりも大きいかどうかを判断するためにチェックされる。ＭＴＦ値が標準以上である場合、取込みは完了する。ＭＴＦ値が標準以下である場合、別の取込み及び調整が必要とされる。
【０２６７】
毎回撮像を取り込む工程で、試験チャートとカメラモジュールとの間の距離及び光源のパラメータを含むカメラモジュールの撮影のための環境パラメータが、調整可能な光学部品の組付け位置を調整するための撮像取込みの確度及び一貫性を保証するために厳しく制御されるべきであることに留意されたい。
【０２６８】
カメラモジュールの撮像取込みの工程で、ＭＴＦ値を計算することに加えて、着色した又は欠陥のあるピクセル、アーチファクト、及びビグネットを含むカメラモジュールの他の特徴も監視し、チェックできる。
【０２６９】
調整可能な光学部品の組付け位置のソフトウェア調整は、どのようにしてレンズシステムの光学設計の感受性の研究に基づいているのか。第１のレンズ１０１１１Ｂ及び第２のレンズ１０１１２Ｂの組付け位置の較正測定を計算するためのソフトウェアの方法は、
カメラモジュールに基づいて調整する前にＭＴＦ値、光軸の偏心度、光軸の傾き、及び像面湾曲を含むカメラモジュールの光学特性を測定するステップと、
第１のレンズ１０１１１Ｂ及び第２のレンズ１０１１２Ｂの組付け位置の光学特性の感受性に基づいて第１のレンズ１０１１１Ｂ及び第２のレンズ１０１１２Ｂの組付け位置のための較正測定を計算するステップと
を含む。
【０２７０】
ステップ（１１０５）及び（１１０６）では、ステップ（１１０４）の計算された較正測定に基づいて、第１のレンズ１０１１１Ｂ及び第２のレンズ１０１１２Ｂの事前組付け位置は、適切に回転される光学構造部材１０１３Ｂの第１のレンズ１０１１１Ｂ及び第２のレンズ１０１１２Ｂを保証するために、対応する調整チャネル１０１３１Ｂを通してそれぞれ調整される。すなわち、第１のレンズ１０１１１Ｂ及び第２のレンズ１０１１２Ｂは、その水平位置、垂直位置、又は軸に沿った位置、及び傾斜位置で適切に調整され、これにより調整後、第１のレンズ１０１１１Ｂ及び第２のレンズ１０１１２Ｂの中心軸線、並びに光学センサ１０２１Ｂの中心軸線は一致するように又は偏差の許容範囲内になるように調整される。一方、調整後のカメラモジュールの撮像は解像度要件を満たす。カメラモジュールの撮像が調整後もまだ解像度要件を満たすことができない場合、第１のレズ１０１１１Ｂ及び第２のレンズ１０１１２ｂの組付け位置は、次いでさらに調整されるべきである。
【０２７１】
それぞれの調整は、カメラモジュールの撮像の取込みを必要とし、これは、カメラモジュールの撮像が要件を満たすまでステップ（１１０３）〜（１１０５）を繰り返すことを意味する。
【０２７２】
調整可能な光学部品が計算された較正測定に従ってターゲット位置に調整され、カメラモジュールの撮像が解像度要件を満たすので、調整可能な光学レンズ１０１０Ｂの中心軸線及び光学センサ１０２１Ｂの中心軸線が一致する、又は偏差の許容範囲内にあり、これは、調整が設定された要件を満たすことを意味すると見なすことができることに言及する価値がある。
【０２７３】
ステップ（１１０７）では、加熱処理を通して接着剤１０４０Ｂを凝固させることが、第１のレンズ１０１１１Ｂ及び第２のレンズ１０１１２Ｂを光学構造部材１０１３Ｂに固定する。次いで、調整チャネル１０１３１Ｂが密封される。本実施形態は、好ましくは、接着剤若しくは糊を注入し、調整チャネル１０１３１Ｂの中に計量配分し、次いで加熱工程を実施する、又は調整チャネル１０１３１Ｂ及び接着剤１０４０Ｂを同時に密封するために接着剤を凝固させるために接着剤１０４０Ｂで加熱されるのを待機することによって、調整チャネル１０１３１Ｂを密封し、調整チャネル１１１Ｂは密閉され、調整可能な光学レンズ１０１０Ｂ及び感光装置１０２０Ｂを実装し、次いでカメラモジュール全体を固定するために、第１のレンズ１０１１１Ｂ及び第２のレンズ１０１１２Ｂは同時に定位置に固定される。
【０２７４】
加えて、ステップ（１１０７）では、本発明は、接着剤を注入して、調整された第１のレンズ１０１１１Ｂをさらに定位置に固定するために、少なくとも１つの接着剤注入チャネル１０１４１Ｂをアパーチャ部材１０１４Ｂに設けさせる場合がある。実施態様は、２つの接着剤注入チャネル１０１４１Ｂを有する場合があり、第１のレンズ１０１１１Ｂだけが調整される、又は第１のレンズ１０１１１Ｂ及び第２のレンズ１０１１２Ｂの両方が調整された後に、熱硬化性接着剤が接着剤注入チャネル１０１４１Ｂの中に注入される。カメラモジュールの加熱処理後、第１のレンズ１０１１１Ｂはさらに完全に固定される。一方、注入された接着剤は、凝固後、注入チャネル１０１４１Ｂを密封することもできる。
【０２７５】
図１２及び図１３を参照すると、本発明の第４の好適実施形態に係るカメラモジュールが示されている。図１２及び図１３に示されるように、カメラモジュールは、調整可能な光学レンズ１０１０Ｃ及び感光装置１０２０Ｃを含む。調整可能な光学レンズは、光学構造部材１０１３Ｃ、（第１のレンズ１０１１１Ｃ、第２のレンズ１２２Ｃ、及び第３のレンズ１０１１３Ｃを含む）３つのレンズ１０１１Ｃ、並びにアパーチャ部材１０１４Ｃを含み、３つのレンズ１０１１Ｃは、光学構造部材１０１３Ｃの軸方向に沿って光学構造部材１０１３Ｃの内部に設置される。アパーチャ部材１０１４Ｃは、光学構造部材１０１３Ｃとの特定の空間を保ちながら第１のレンズ１０１１１Ｃの上部にもある光学構造部材１０１３Ｃの上部で事前に組み付けられる。アパーチャ部材１０１４Ｃの組付け位置は、光学構造部材１０１３Ｃの空間位置に対して、例えばＸ方向、Ｙ方向、又はＺ方向等の内の少なくとも１つの方向で調整できる。本好適実施形態では、アパーチャ部材１０１４Ｃは、調整可能な光学部品として実施され、調整可能な光学部品を含む光学レンズが調整可能な広漠レンズになる。感光装置１０２０Ｃは、フィルタ１０２２Ｃ、光学センサ１０２１Ｃ、及び回路基板１０２３Ｃを含み、光学構造部材１０１３Ｃは感光装置１０２０Ｃのレンズマウントでもある。フィルタ１０２２Ｃは光学構造部材１０１３Ｃに固定して設置され、第３のレンズ１０１１３Ｃの底部の下に配置される。光学センサ１０２１Ｃは光学構造部材１０１３Ｃに固定して設置され、フィルタ１０２２Ｃの底部の下の回路基板１０２３Ｃの上部に付着される。１つ以上のレンズ１２Ｃ、アパーチャ部材１０１４Ｃ、及びフィルタ１０２２Ｃは、光学センサ１０２１Ｃの感光性経路に配置され、したがって被写体から反射される光は、調整可能な光学レンズ１０１０Ｃからカメラモジュールの内部に入射し、次いで光電変換を続けるために光学センサ１０２１Ｃによって受光されてよく、これによりカメラモジュールは、後で被写体に対する画像を生成できる。
【０２７６】
具体的には、光学構造部材１０１３Ｃの内壁は、光学構造部材１０１３Ｃの上部、中央、及び底部に連続して及び間隔を置いてセットされる第１の溝１０２４１Ｃ、第２の溝１０２４２Ｃ、及び第３の溝２２３Ｃを形成する。フィルタ１０２２Ｃは第２の溝１０２４２Ｃに設置される。光学センサ１０２１Ｃは第３の溝２２３Ｃに保持され、回路基板１０２３Ｃの上部の回路基板１０２３Ｃに付着される。回路基板１０２３Ｃは、光学構造部材１０１３Ｃの下の部分に設置される。
【０２７７】
第１のレンズ１０１１１Ｃは、光学構造部材１０１３Ｃの内壁に配置された第１の制限構造１０１３３１Ｃに固定して設置される。第２のレンズ１０１１２Ｃは、光学構造部材１０１３Ｃの内壁に配置された第２の制限構造１０１３３２Ｃに固定して設置される。第３のレンズは、光学構造部材１０１３Ｃの内壁に配置された第３の制限構造１０１３３３Ｃに設置される。第１の制限構造１０１３３１Ｃ、第２の制限構造１０１３３２Ｃ、及び第３の制限構造１０１３３３Ｃは、第１のレンズ１０１１１Ｃ、第２のレンズ１０１１２Ｃ、及び第３のレンズ１０１１３Ｃをそれぞれ支持するために、光学構造部材１０１３Ｃの内壁をその空洞の方向に向かって伸長することによって突出するように形成される。
【０２７８】
図１４を参照すると、上記の第４の好適実施形態に係るカメラモジュールの製造方法１４００は、
ステップ（１４０１）：カメラモジュールの構成部品のパーツを組み付け、固定するステップと、
ステップ（１４０２）：調整可能な光学レンズ１０１０Ｃの上部でアパーチャ部材１０１４Ｃを事前に組み付けるステップと、
ステップ（１４０３）：事前に組み付けられたカメラモジュールの撮像を取り込むステップと、
ステップ（１４０４）：ソフトウェアを使用して、アパーチャ部材１０１４Ｃのための較正測定を計算するステップと、
ステップ（１４０５）：較正測定に従ってアパーチャ部材１０１４Ｃの組付け位置を調整するステップと、
ステップ（１４０６）：調整された結果が解像度要件を満たす場合、ステップ（１４０７）を続ける、又は調整された結果が解像度要件を満たすことができない場合、アパーチャ部材の調整が期待される要件を達成するまでステップ（１４０３）〜（１４０５）を繰り返すステップと、
ステップ（１４０７）：カメラモジュール全体を固定するために、接着剤を凝固させるステップと
を含む。
【０２７９】
ステップ（１４０１）では、カメラモジュールのモジュール構成部品のパーツが組み付けられ、固定される。すなわち、フィルタ１０２２Ｃ、光学センサ１０２１Ｃ、及び回路基板１０２３Ｃは、光学構造部材１０１３Ｃの所定の位置で設置され、固定される。また、第３のレンズ１０１１３Ｃ、第２のレンズ１０１１２Ｃ、及び第１のレンズ１０１１１Ｃは順序正しく設置され、光学構造部材１０１３Ｃの所定の位置に固定され、これによって３つのレンズ１２Ｃ（第３のレンズ１０１１３Ｃ、第２のレンズ１０１１２Ｃ、及び第１のレンズ１０１１１Ｃ）は、光学センサ１０２１Ｃの感光性経路に整列し、３つのレンズ１０１１Ｃの中心軸線及び光学センサ１０２１Ｃの中心軸線が一致する又は偏差の許容範囲内にあるように配置されるように光学構造部材１０１３Ｃの所定の位置で固定される。加えて、上記構成部品のそれぞれの間の組付け公差は、カメラモジュールの画質を保証するために、及び将来の調整の作業負荷を削減するために厳しく制御される。
【０２８０】
ステップ（１４０２）では、アパーチャ部材１０１４Ｃが、アパーチャ部材１０１４Ｃを光学センサ１０２１Ｃの感光性経路に配置させ、アパーチャ部材１０１３Ｃを、光学センサ１０２１Ｃ又は光学構造部材１０１３Ｃの空間位置に対して少なくとも１つの方向で調整できるようにするために、半凝固した接着剤１０４０Ｃによって光学構造部材１０１３Ｃの上部で事前に組み付けられる。接着剤１０４０Ｃは、好ましくは事前組付けのための紫外線曝露の下で半凝固できる熱硬化性接着剤である。
【０２８１】
ステップ（１４０３）〜（１４０６）では、事前に組み付けられたカメラモジュールの電源が投入され、カメラモジュールの撮像が取り込まれる。次いで、アパーチャ部材１０１４Ｃのための較正測定が、カメラモジュールの撮像に基づいて計算される。アパーチャ部材１０１４Ｃの組付け位置の適切な調整は、その中心軸線及び光学センサ１０２１の中心軸線を一致させる又は偏差の許容の範囲内にするために、計算された較正測定に従って計算され、これは、調整可能な光学レンズ１０１０Ｃの中心軸線及び光学センサ１０２１Ｃの中心軸線も一致させる又は偏差の許容範囲内にする。この点で、カメラモジュールの撮像は解像度要件を満たす。カメラモジュールの撮像が、アパーチャ部材１０１４Ｃが調整された後も解像度要件を満たすことができない場合、カメラモジュールの撮像の追加の取込み及びアパーチャ部材１０１４Ｃの新しい調整は、それが適格な位置に調整され、次いで固定されるまで必要とされる。
【０２８２】
ステップ（１４０７）では、アパーチャ部材１０１４Ｃの調整がカメラモジュールの撮像に解像度要件を満たさせるとき、カメラモジュールは、アパーチャ部材１０１４Ｃを光学構造部材１０１３Ｃに強固に付着し、次いでカメラモジュール全体を固定するために、接着剤１０４０Ｃを完全に凝固させるために加熱される。
【０２８３】
本発明の代替モードによれば、レンズ及びアパーチャ部材は、その位置が決定された後直接的に完全に凝固してよく、これは半凝固工程を省略することが理解できる。
【０２８４】
図１５及び図１６を参照すると、本発明の第５の実施形態が示されている。図１５及び図１６に示されるように、カメラモジュールは調整可能な光学レンズ１０１０Ｄ及び感光装置１０２０Ｄを含む。調整可能な光学レンズ１０１０Ｄは、感光装置１０２０Ｄの感光性経路に設置され、被写体から反射される光が、光電変換される調整可能な光学レンズ１０１０Ｄから感光装置１０２０Ｄに入射し、これによりカメラモジュールは被写体に対する画像を生成できる。
【０２８５】
感光装置１０２０Ｄは、フィルタ１０２２Ｄ、レンズマウント１０２４Ｄ、光学センサ１０２１Ｄ、及び回路基板１０２３Ｄを含み、フィルタ１０２２Ｄは、レンズマウント１０２４Ｄの内壁の上方部分に配置された第１の溝１０２４１Ｄで固定され、光学センサ１０２１Ｄの感光性経路の上部位置で整列する。光学センサ１０２１Ｄは、レンズマウント１０２４Ｄの内壁の下方部分に配置された第２の溝１０２４２Ｄに固定される。光学センサ１０２１Ｄは、回路基板１０２３Ｄの上面に付着される。回路基板１０２３Ｄは、レンズマウント１０２４Ｄの下部に固定される。すなわち、フィルタ１０２２Ｄ、レンズマウント１０２４Ｄ、光学センサ１０２１Ｄ、及び回路基板１０２３Ｄが、上述されたように、互いの間で組み付けられ、固定された後、それらは連続較正で調整することができない。被写体から反射される光は、調整可能な光学レンズ１０１０Ｄからカメラモジュールの内部に入射し、次いで光電変換を続けるために光学センサ１０２１Ｄによって受光され、これによりカメラモジュールは、後で被写体に対する画像を生成できる。
【０２８６】
調整可能な光学レンズ１０１０Ｄは、光学構造部材１０１３Ｄ及び１つ以上のレンズ１０１１Ｄを含む。レンズ１０１１Ｄは、光学構造部材１０１３Ｄの軸方向に沿って光学構造部材１０１３Ｄの内部に重複して且つ間隔を置いて設置される。光学構造部材１０１３Ｄは、レンズマウント１０２４Ｄの上部に設置され、レンズ１０１１Ｄは光学センサ１０２１Ｄの感光性経路に沿って整列する。レンズ１０１１Ｄの内の少なくとも１つは、光学構造部材１０１３Ｄの内部で事前に組み付けられる。光学構造部材１０１３Ｄの内部で事前に組み付けられたレンズ１０１１１Ｄの内の１つは調整可能な光学部品として配置され、つまり、それは光学構造部材１０１３Ｄの内の少なくとも一方向で調整されるように適応可能であり、形成されたレンズ、つまり調整可能な光学部品は、調整可能なレンズとして実施される。
【０２８７】
第５の好適実施形態では、光学センサ１０２１Ｄの感光性経路に沿って光学構造部材１０１３Ｄの内部に順序正しく、重複して、及び間隔を置いて設置される、第１のレンズ１０１１１Ｄ、第２のレンズ１０１１２Ｄ、第３のレンズ１０１１３Ｄ、第４のレンズ１０１１４Ｄ、及び第５のレンズ１０１１５Ｄを含む５つのレンズ１２があり、第２のレンズ１０１１２Ｄ、第３のレンズ１０１１３Ｄ、及び第４のレンズ１０１１４Ｄは、光学構造部材１０１３Ｄに事前に組み付けられ、固定され、その位置は調整可能ではない。第１のレンズ１０１１１Ｄ及び第５のレンズ１０１１５Ｄは、カメラモジュールの画質を高めるために、以後の工程での較正のために調整される調整可能な光学部品として光学構造部材１０１３Ｄに事前に組み付けられる。
【０２８８】
任意選択で、５つのレンズの内のいくつかのレンズはすべて固定レンズである。一方、他のレンズは調整可能な光学部品である。１つ以上の調整可能な光学部品を含む光学レンズは、本発明によれば調整可能な光学レンズと呼ばれる。調整可能な光学レンズ１０１０Ｄ及び感光装置１０２０Ｄを実装する前に、調整可能な光学部品の組付け位置は調整されるように配置される。
【０２８９】
具体的には、接着剤１０４０Ｄは、光学構造部材１０１３Ｄに第１のレンズ１０１１１Ｄ及び第５のレンズ１０１１５Ｄを順序正しく事前に組み付けるために塗布される。接着剤１０４０Ｄは、完全に凝固しない。すなわち、接着剤１０４０は、第１のレンズ１０１１１Ｄ及び第５のレンズ１０１１５Ｄの事前組付けのために半凝固し、これは、第１のレンズ１０１１１Ｄ及び第５のレンズ１０１１５Ｄが過度に移動するのを防ぐだけではなく、連続調整をより容易にする。
【０２９０】
調整可能な光学レンズ１０１０Ｄは、アパーチャ部材１０１４Ｄをさらに含む。接着剤１０４０Ｄは、入射光ビームをもたらし、入射光ビームの量を制限するために光学構造部材１０１３Ｄの上部でアパーチャ部材１０１４Ｄを事前に組み付けるために塗布され、アパーチャ部材１０１４Ｄの組付け位置は、垂直方向及び傾斜方向で調整することも可能であるが、おもに水平方向での調整である、光学センサ１０２１Ｄに対して少なくとも一方向で調整可能であるように配置される。
【０２９１】
第５の好適実施形態では、連続して、第５のレンズ１０１１５Ｄが事前に組み付けられ、次いで第４のレンズ１０１１４Ｄ、第３のレンズ１０１１３Ｄ、及び第２のレンズ１０１１２Ｄが固定して組み付けられる。次いで、第１のレンズ１０１１１Ｄは、光学構造部材１０１３Ｄで事前に組み付けられ、次いでアパーチャ部材１０１４Ｄは、光学構造部材１０１３Ｄの上部で事前に組み付けられる。アパーチャ部材１０１４Ｄは第１のレンズ１０１１１Ｄの上部に設置され、光学センサ１０２１Ｄの感光性経路にも配置される。上記の中で、第１のレンズ１０１１１Ｄ、第５のレンズ１０１１５Ｄ、及びアパーチャ部材１３Ｄは調整可能な光学部品であり、その組付け位置は較正又は調整の連続工程で少なくとも一方向で調整されるように適応可能であり、調整可能な方向は、水平方向、垂直方向、傾斜方向、及び周辺方向を含む。調整後、調整可能な光学レンズの中心軸線及び光学センサ１０２１Ｄの中心軸線は、解像度要件を達成するカメラモジュールの撮像を有し、カメラモジュールの画質を保証するために、一致させられる又は偏差の許容範囲内にされる。
【０２９２】
塗布される接着剤１０４０Ｄは、ＵＶ接着剤、及び事前組付けを達成するために紫外線曝露後に半凝固になる熱硬化性接着剤の混合接着剤である。加熱処理後、接着剤１０４０Ｄは、カメラモジュール全体を固定するために完全に凝固する。
【０２９３】
光学構造部材１０１３Ｄ内に設けられ、光学構造部材１０１３Ｄの内部空間を外部環境と連絡し、それぞれ調整可能な光学部品に対応する、光学構造部材１０１３Ｄに設けられる少なくとも２つの調整チャネル１０１３１Ｄがあることに言及する価値がある。第５の好適実施形態では、調整チャネル１０１３１Ｄは、光学構造部材１０１３Ｄの側壁にそれぞれ配置され、調整チャネル１０１３１Ｄを通る光学構造部材１０１３Ｄの内部空間内で第１のレンズ１０１１１Ｄ及び第５のレンズ１０１１５Ｄの空間位置を調整するために適応された、第１のレンズ１０１１１Ｄ及び第５のレンズ１０１１５Ｄに対応して位置決めされる。好ましくは、第５の好適実施形態によれば、６つの調整チャネル１０１３１Ｄが設けられ、調整チャネル１０１３１Ｄの内の３つは、第１のレンズ１０１１１Ｄの事前組付け位置に沿って光学構造部材１０１３１Ｄの側壁に配置され、１２０度で互いから別々に配置される。他の３つの調整チャネル１０１３１Ｄは、第２のレンズ１０１１２Ｄの事前組付け位置に沿って光学構造部材１０１３１Ｄの側壁に配置され、１２０度で互いから別々に配置される。
【０２９４】
第１のレンズ１０１１１Ｄ及び第５のレンズ１０１１２Ｄを調整する必要がある場合、針等の細長い要素が対応する調整チャネル１０１３１Ｄに挿入できる。第１のレンズ１０１１１Ｄ及び第５のレンズ１０１１５Ｄに接触し、突くように針を制御することによって、対応する調整チャネル１０１３１Ｄの３つのスポットでの第１のレンズ１０１１１Ｄ及び第５のレンズ１０１１５Ｄの水平位置及び垂直位置は、水平位置、垂直位置、及び傾斜位置を含む方向で第１のレンズ１０１１１Ｄ及び第５のレンズ１０１１５Ｄの調整をそれぞれ実施するために変更できる。
【０２９５】
アパーチャ部材１０１４Ｄは、調整可能な花王額レンズ１０１０Ｄの上部で事前に組付けられるため、アパーチャ部材１３Ｄの組付け位置はあらゆる実行可能な方法により調整できる。
【０２９６】
第５の好適実施形態では、光学構造部材１０１３Ｄは円錐水晶体として実装でき、光学構造部材１０１３Ｄの内壁は５つの制限構造１０１３３Ｄを有する。好ましくは、制限構造１０１３３Ｄは、それぞれレンズ１０１１Ｄの内の５つをそれぞれ支持するために、光学構造部材１０１３Ｄの内壁をその空洞の方向に向かって拡張することによって間隔を置いて且つ突出するように形成される。言い換えると、第１の制限構造１０１３３１Ｄ、第２の制限構造１０１３３２Ｄ、第３の制限構造１０１３３３Ｄ、第４の制限構造１０１３３４Ｄ、及び第５の制限構造１０１３３５Ｄは、それぞれ第１のレンズ１０１１１Ｄ、第２のレンズ１０１１２Ｄ、第３のレンズ１０１１３Ｄ、第４のレンズ１０１１４Ｄ、及び第５のレンズ１０１１５Ｄを支持する。当業者は、光学構造部材１０１３Ｄは、レンズ１０１１Ｄのそれぞれを支持するために他の手段も活用できることを理解できる。
【０２９７】
カメラモジュールがドライバを含む場合もあり、光学構造部材１０１３Ｄがドライバの構成部品である場合があることに言及する価値がある。
【０２９８】
本好適実施形態では、カメラモジュールは固定単焦点レンズカメラモジュールであるだけではなく、オートフォーカスレンズカメラモジュールである場合もある。
【０２９９】
図１７は、上記第５の好適実施形態のカメラモジュールの製造方法１７００の流れ図であり、カメラモジュールの製造方法１７００は、以下の
ステップ（１７０１）：感光装置１０２０Ｂによって含まれる光学センサ１０２１Ｄの感光性経路に沿って調整可能な光学レンズ１０１０Ｄを配置するステップと、
ステップ（１７０２）：カメラモジュールの事前組付けを完了するために、調整可能な光学レンズ１０１０Ｄで調整可能な光学部品を事前に組み付けるステップと、
ステップ（１７０３）：調整されたカメラモジュールの撮像に解像度要件を満たさせるために、調整可能な光学部品の組付け位置を調整するステップと、
ステップ（１７０４）：カメラモジュールを固定するために、調整可能な光学レンズ１０１０Ｄ及び感光装置１０２０Ｄを実装するステップと
を含む。
【０３００】
ステップ（１７０１）では、フィルタ１０２２Ｄ、レンズマウント１０２４Ｄ、光学センサ１０２１Ｄ、及び回路基板１０２３Ｄは、感光装置１０２０Ｄを形成するために固定して組み付けられる。また、光学構造部材１０１３Ｄは、レンズマウント１０２４Ｄで固定して組み付けられる。第２のレンズ１０１１２Ｄ、第３のレンズ１０１１３Ｄ、及び第４のレンズ１０１１４Ｄは、光学構造部材１０１３Ｄの対応する制限構造１０１３３Ｄで固定して組み付けられる。次いで、調整可能な光学レンズ１０１０Ｄは、カメラモジュールの構成部品のパーツの固定組付けを完了するために、光学センサ１０２１Ｄの感光性経路でセットされる。本実施形態のこれらの要素は無調整式光学部品である。
【０３０１】
このステップでは、上記要素のそれぞれの間の組付け公差が、連続調整の増加、又は上記要素のそれぞれの間の過剰に高い組付け公差に起因する連続調整の失敗を回避するために、最小に、及び可能な限り長く公差の許容範囲内に保たれるために制御されるべきであることに言及する価値がある。
【０３０２】
ステップ（１７０２）では第１のレンズ１０１１１Ｄ及び第５のレンズ１０１１５Ｄは、光学構造部材１０１３Ｄに事前に組み付けられ、アパーチャ部材１０１４Ｄは光学構造部材１０１３Ｄの上部に事前に組み付けられる。接着剤１０４０Ｄは、第１のレンズ１０１１１Ｄ、第５のレンズ１０１１５Ｄ、及びアパーチャ部材１０１４Ｄの事前組付けを実施するために使用される。接着剤１０４０Ｄは、次いで第１のレンズ１０１１１Ｄ、第５のレンズ１０１１５Ｄ、及びアパーチャ部材１０１４Ｄの事前組付けを終了するために、紫外線曝露によって半凝固する。この点で、カメラモジュールの事前組付けが生じる。本好適実施形態での第１のレンズ１０１１１Ｄ、第５のレンズ１０１１５Ｄ、及びアパーチャ部材１０１４Ｄは、調整可能な光学部品を含むカメラモジュールの光学レンズが調整可能な光学レンズ１０１０Ｄになるようにする調整可能な光学部品である。
【０３０３】
ステップ（１７０３）は、
（１７３０１）事前に組み付けられたカメラモジュールの撮像を取り込むステップと、
（１７０３２）カメラモジュールの撮像に基づいて、ソフトウェアを用いて調整可能な光学部品のための較正測定を計算するステップと、
（１７０３３）較正測定に従って調整可能な光学部品の組付け位置を調整するステップと
を含む。
【０３０４】
ステップ（１７０３）では、カメラモジュールの解像度要件が、調整可能な光学部品が調整された後に要求を満たすことができない場合、ステップ（１７０３１）〜（１７０３３）が、調整されたカメラモジュールの解像度が要件を満たすまで繰り返される必要がある。
【０３０５】
ステップ（１７０３２）及びステップ（１７０３３）では、第１のレンズ１０１１１Ｄ、第５のレンズ１０１１２Ｄ、及びアパーチャ部材１０１４Ｄの組付け位置のための較正測定は、それぞれカメラモジュールの撮像に基づいて計算される。次いで、較正測定のそれぞれに従って、第１のレンズ１０１１１Ｄ、第５のレンズ１０１１５Ｄ、及びアパーチャ部材１０１４Ｄの組付け位置はそれぞれ及びそれに応じて調整される。
【０３０６】
上記ステップでは、カメラモジュールの撮像の取込みは、カメラモジュールでＭＴＦ（変調伝達関数）試験チャートを撮影することに基づいている。ＭＴＦ値は、カメラモジュールの画質を表すために適用される。より大きいＭＴＦ値は、カメラモジュールのより高い画質を示す。カメラモジュールの撮像が取り込まれるたびに、撮像に対応するＭＴＦ値が計算される必要がある。ＭＴＦ値は、次いでＭＴＦ値が標準よりも大きいかどうかを判断するためにチェックされる。ＭＴＦ値が標準以上である場合、取込みは完了する。ＭＴＦ値が標準以下である場合、別の取込み及び調整が必要とされる。
【０３０７】
毎回撮像を取り込む工程で、試験チャートとカメラモジュールとの間の距離及び光源のパラメータを含むカメラモジュールの撮影のための環境パラメータが、調整可能な光学部品の組付け位置を調整するための撮像取込みの確度及び一貫性を保証するために厳しく制御されるべきであることに留意されたい。
【０３０８】
カメラモジュールの撮像取込みの工程で、ＭＴＦ値を計算することに加えて、着色した又は欠陥のあるピクセル、アーチファクト、及びビグネットを含むカメラモジュールの他の特徴も監視し、チェックできる。
【０３０９】
調整可能な光学部品の組付け位置のソフトウェア調整は、どのようにしてレンズシステムの光学設計の感受性の研究に基づいているのか。第１のレンズ１２１Ｄ、第５のレンズ１２５Ｄ、及びアパーチャ部材１０１４Ｄの組付け位置の較正測定を計算するためのソフトウェアの方法は、
カメラモジュールに基づいて調整する前にＭＴＦ値、光軸の偏心度、光軸の傾き、及び像面湾曲を含むカメラモジュールの光学特性を測定するステップと、
第１のレンズ１０１１１Ｄ、第５のレンズ１０１１５Ｄ、及びアパーチャ部材１０１４Ｄの組付け位置の光学特性の感受性に基づいて第１のレンズ１０１１１Ｄ、第５のレンズ１０１１５Ｄ、及びアパーチャ部材１０１４Ｄの組付け位置のための較正測定を計算するステップと
を含む。
【０３１０】
さらに、ステップ（１７０３）では、計算された較正測定に基づいて、第１のレンズ１０１１１Ｄ、第５のレンズ１０１１５Ｄ、及びアパーチャ部材１０１４Ｄの事前組付け位置は、適切に回転される光学構造部材１０１３Ｄの第１のレンズ１０１１１Ｄ及び第５のレンズ１０１１５Ｄを保証するためにそれぞれ調整される。すなわち、第１のレンズ１０１１１Ｄ及び第５のレンズ１０１１５Ｄは、その水平位置、垂直位置、又は軸方向位置、又は傾斜位置で適切に調整される。また、アパーチャ部材１０１４Ｄの水平位置、垂直位置、又は軸方向位置、又は傾斜位置は、それに応じて適切に調整できる。調整後、調整可能な光学レンズ１０１０Ｄの中心軸線及び光学センサ１０２１Ｄの中心軸線は一致する又は偏差の許容範囲内になる。また、調整後のカメラモジュールの撮像は、解像度要件も満たす。カメラモジュールの撮像が調整後も解像度要件を満たすことができない場合、調整可能な光学部品の組付け位置は次いでさらに調整される必要がある。
【０３１１】
調整可能な光学部品が計算された較正測定に従ってターゲット位置に調整されるので、調整可能な光学レンズ１０１０Ｄの中心軸線及び光学センサ１０２１Ｄの中心軸線が一致する、又は偏差の許容範囲内にあり、これが、調整されたカメラモジュールの撮像が解像度要件を満たすというターゲット要件を満たすことに言及する価値がある。
【０３１２】
ステップ（１７０４）では、加熱処理により接着剤１０４０Ｄを凝固させることが、第１のレンズ１０１１１Ｄ、第５のレンズ１０１１５Ｄ、及びアパーチャ部材１０１４Ｄを光学構造部材１０１３Ｄに固定して付着する。次いで、調整チャネル１０１３１Ｄが密封される。第５の実施形態によれば、密封は、好ましくは、調整可能な光学レンズ１０１０Ｄ及び感光装置１０２０Ｄを実装するために、密封し、第１のレンズ１０１１１Ｄ及び第２のレンズ１０１１２Ｄをさらに定位置に固定する接着剤を調整チャネル１０１３１Ｄに注入することによって実施される。
【０３１３】
加えて、ステップ（１７０４）では、本発明は、接着剤（例えば、熱硬化性接着剤）を注入して、調整後、第１のレンズ１０１１１Ｄ及び第５のレンズ１０１１５Ｄをさらに固定するために、少なくとも１つの接着剤注入チャネル１０１４１Ｄをアパーチャ部材１０１４Ｄに設けさせる場合がある。別の実施態様は、、２つの接着剤注入チャネル１０１４１Ｄを有する場合があり、第１のレンズ１０１１１Ｄ及び第５のレンズ１０１１５Ｄが調整された後、熱硬化性接着剤が接着剤注入チャネル１０１４１Ｄに注入される。カメラモジュールの加熱処理後、第１のレンズ１０１１１Ｄ及び第５のレンズ１０１１５Ｄは完全に固定される。一方、接着剤注入チャネル１０１４１Ｄは密封できる。
【０３１４】
図１８〜図１９を参照すると、本発明によってカメラモジュールの第６の実施形態が示されている。図１８〜図１９を参照すると、カメラモジュールは、調整可能な光学レンズ２１０及び感光装置２０２０を含み、感光装置２０２０は光学センサ２０２１を含む。調整可能な光学レンズ２０１０は、光学センサ２０２１の感光性経路に沿って配置され、被写体から反射される光が調整可能な光学レンズ２０１０を通してカメラモジュールの内部に入射し、光電変換を続けるために光学センサ２０２１によって受光され、これにより被写体に対する画像はカメラモジュールによって後で取り込むことができる。
【０３１５】
感光性装置２０２０は、フィルタ２０２２、回路基板２０２３、及びレンズマウント２０２４をさらに含む。フィルタ２０２２は、レンズマウント２０２４に取り付けられ、光学センサ２０２１の上方に配置される。光学センサ２０２１は回路基板２０２３に付着される。回路基板２０２３は、光学センサ２０２１をレンズマウント２０２４の内部に画定される空洞内に位置させるために、レンズマウント２０２４の底部に取り付けられる。加えて、光学センサ２０２１はレンズマウント２０２４からの距離を保つ。感光装置２０２０は、チップオンボード（ＣＯＢ）技術で製造される。加えて、本発明によれば、感光装置２０２０は、実際の状況に従ってフリップチップ技術又は他の製造方法で作ることもできる。
【０３１６】
調整可能な光学レンズ２０１０は、１つ以上のレンズ２０１１及び光学構造部材２０１３を含み、レンズ２０１１は、光学構造部材２０１３の垂直方向に沿って光学構造部材２０１３の内部空間内に配置され、レンズ２０１１の内の少なくとも１つは調整可能なレンズとして活用され、光学構造部材２０１３でのその組付け位置は調整されるように適応され、これにより調整可能な光学レンズ２０１０の光路は調整できる。したがって、調整可能な光学レンズ２０１０の中心軸線及び光学センサ２０２１の中心軸線は、調整後、一致する又は逸脱の許容範囲内にある場合があり、これによりカメラモジュールの画質は保証できる。
【０３１７】
光学構造部材２０１３は、標準的な円錐水晶体構成部品、又は円錐水晶体構成部品及びレンズマウントの一体モジュールである場合があり、カメラモジュールはオートフォーカス装置を有する製品、又はオートフォーカスキャリアを有する円錐水晶体構成部品の一体構造である場合があることに言及する価値がある。
【０３１８】
第６の好適実施形態では、光学構造部材２０１３の内部空間内に順序正しく及び重複して配置される第１の光学レンズ２０１１１、第２の光学レンズ２０１１２、第３の光学レンズ２０１１３、及び第４の光学レンズ２０１１４を含む４つのレンズ２０１１があり、第１のレンズ２０１１１は、光学構造部材２０１３の上部に配置され、調整可能なレンズとなるために選択される。（本実施形態の第１のレンズ２０１１１を意味する）調整可能なレンズは、水平方向、垂直方向、傾斜方向、及び周辺方向の内の１つ以上の方向等、１つ以上の方向で調整されるように適応可能な組付け位置に光学構造部材２０１３で事前に組み付けられる。
【０３１９】
さらに、光学構造部材２０１３は、調整可能なレンズを光学構造部材２０１３の外部から意図的に調整できるようにするために、光学構造部材２０１３の内部空間を外部環境と連絡するために配置され、調整可能な光学レンズ２０１１に対応して位置決めされる、少なくとも１つの調整チャネル２０１３１を光学構造部材２０１３の上部に設けさせる。
【０３２０】
具体的には、外部装置２０３０は、調整チャネル２０１３１に挿入するために活用できる。調整可能なレンズの側面と光学構造部材２０１３の内部との間に隙間があるため、外部調整装置２０３０は、調整可能なレンズの側面に接触することにより調整可能なレンズの組付け位置を調整できる。例えば、外部調整装置２０３０は、第６の好適実施形態に係るプローブとして実施できる。プローブは、第１のレンズ２０１１１の側面に接触するために調整チャネル２０１３１に挿入され、第１のレンズ２０１１１を移動させ、その組付け位置を調整するために制御されるように適応される。また、プローブは、調整が正確であるかどうかを定量的に判断する、又は調整可能なレンズの調整方法及び較正測定をプローブに入力することによって調整可能なレンズを正確に調整するために、電子部品及び自動化機能に調整可能なレンズの調整方法及び較正測定を自動的に記録させるために実施されてもよい。
【０３２１】
調整可能なレンズの調整方法及び較正測定は、事前に組み付けられたカメラモジュールの電源を投入するときに取り込まれるカメラモジュールの撮像に基づいて、ソフトウェアを用いて計算されることに言及する価値がある。調整方法及び較正測定は、調整可能なレンズを意図的に調整するのに役立つ。カメラモジュールは、少なくとも１つの調整後、予想される要件を満たしてよい。すなわち、較正はより速くなり、これが調整の時間を節約し、生産の効率及び歩留まり率を上げる。
【０３２２】
調整可能なレンズが調整された後、調整可能なレンズは、カメラモジュールの較正及び組付けを完了するために固着される必要がある。第６の好適実施形態によれば、それは調整可能なレンズを固着するために外部固着装置を活用できる。例えば、糊計量配分装置は、糊の計量配分により第１の光学レンズ２０１１１を固着するために好ましい実施形態で利用される。言い換えると、糊計量配分装置は、接着剤２０４０を調整チャネル２０１３１の中に注入し、接着剤が凝固した後、第１のレンズ２０１１１は定位置で固着され、接着剤２０４０は選択的に熱硬化性糊である場合がある。
【０３２３】
図１９が示したように、接着剤２０４０は、第１のレンズ２０１１１の側面に注入することができ、つまり、第１のレンズ２０１１１を光学構造部材２０１３の内壁と固着することにより第１のレンズ２０１１１を固着するために、第１のレンズ２０１１１の側面と光学構造部材２０１３の対応する内壁との間に接着剤２０４０が注入されることに言及する価値がある。
【０３２４】
また、接着剤２０４０の注入工程で接着剤２０４０を調整チャネル２０１３１の中に充填することも適切であり、これにより調整可能なレンズが固着されるとき、調整チャネル２０１３１を密封できる。しかしながら、それは、調整可能なレンズが定位置に固着された後、接着剤注入により調整チャネル２０１３１を確実に密封し得る。
【０３２５】
さらに、接着剤２０４０は、調整可能なレンズの側面が光学構造部材２０１３の内壁に広げられるとき、調整可能なレンズの上面に注入されてもよく、これにより調整可能なレンズは、調整可能なレンズの上面を光学構造部材２０１３の内壁に固着することにより固着できる。
【０３２６】
具体的には、上記の第６の調整可能な光学レンズ２０１０の代替モードに係る調整可能な光学レンズ２０１０Ａが、図２０に示されている。調整可能な光学レンズ２０１０Ａは、１つ以上のレンズ２０１１Ａ及び光学構造部材２０１３Ａを含む。それぞれ光学構造部材２０１３Ａの垂直方向に沿って光学構造部材２０１３の内部空間内に順序正しく且つ重複して配置される、第１のレンズ２０１１１Ａ、第２のレンズ２０１１２Ａ、第３のレンズ２０１１３Ａ、及び第４のレンズ２０１１４Ａを含む、４つの光学レンズ２０１１Ａがある。事前に組み付けられている（調整可能なレンズとして機能される）第１のレンズ２０１１Ａは、光学構造部材２０１３の上部に設けられた少なくとも１つの調整チャネル２０１３１Ａを通して調整できる。外部調整装置２０３０は、第１のレンズ２０１１１Ａの上面に到達して第１のレンズ２０１１１Ａも調整するためにも活用できる。調整後、調整チャネル２０１３１Ａは、固着チャネルとしての機能も果たしうる。言い換えると、調整チャネル２０１３１Ａは、第１のレンズ２０１１１Ａを固着するために接着剤２０４０Ａの注入のためにも活用される。接着剤２０４０Ａは、第１の光学レンズ２０１１１Ａの上面を接着剤２０４０Ａによって光学構造部材２０１３Ａの内壁と固着して接続するために、第１の光学レンズ２０１１１Ａの上面の上に、及び調整チャネル２０１３１Ａに注入される。接着剤２０４０Ａの注入工程で調整チャネル２０１３１Ａに接着剤２０４０Ａを充填することは適切であり、これにより調整チャネル２０１３１Ａは、調整可能なレンズが固着されるとき密封することができ、これが埃が進入するのを防ぎ、作業手順を削減し、時間を節約し、効率を上げるのに役立つ。
【０３２７】
図２１〜図２２を参照すると、本発明によって提供されるカメラモジュールの第７の実施形態が示されている。図２１〜図２２を参照すると、カメラモジュールは調整可能な光学レンズ２０１０Ｂ及び感光装置２０２０を含み、調整可能な光学レンズ２０１０Ｂは、撮像の必要性に基づいて感光装置２０２０の上部に配置され、固着され、カメラモジュールの光路で整列し、感光装置２０２０は上記の好適実施形態と同じく実施され、これは本第７の好適実施形態では繰り返して説明されない。
【０３２８】
調整可能な光学レンズ２０１０Ｂは、１つ以上のレンズ２０１１Ｂ及び光学構造部材２０１３Ｂを含む。レンズ２０１１Ｂは、光学構造部材２０１３Ｂの垂直方向に沿って、及び光学センサ２０２１の感光性経路に沿って連続して光学構造部材２０１３Ｂの内部空間に配置される、第１のレンズ２０１１１Ｂ、第２のレンズ２０１１２Ｂ、第３のレンズ２０１１３Ｂ、及び第４のレンズ２０１１４Ｂを含む。第１のレンズ２０１１１Ｂは、本好適実施形態で調整可能なレンズとしての機能を果たし、その組付け位置は少なくとも一方向で調整されるように適応可能である。
【０３２９】
光学構造部材２０１３Ｂは、その側面に設けられた少なくとも１つの調整チャネル２０１３Ｂを含む。調整チャネル２０１３１Ｂは、調整可能なレンズに対応して、及び光学構造部材２０１３Ｂの内部空間を外部環境に連絡し、位置決めされ、調整可能なレンズを調整するために適応される。
【０３３０】
本好適実施形態では、第１のレンズ２０１１Ｂに対応する光学構造部材２０１３Ｂ上の種々の位置に沿って配置された３つの調整チャネル２０１３１Ｂがある場合があり、それらは、調整確度を保証するために、複数の方向及び角度から第１のレンズ２０１１１Ｂを調整するために適応された、周辺方向に沿って１２０度で互いから別々に配置される。具体的には、外部調整装置２０３０Ｂは、調整チャネル２０１３１Ｂのそれぞれに挿入するために活用できる。第１のレンズ２０１１１Ｂの端縁は調整チャネル２０１３１Ｂを通して外部と直接的に連絡するため、外部調整装置は、第１の光学レンズ２０１１１Ｂの端縁に接触することにより第１のレンズ２０１１１Ｂの組付け位置を調整するために活用できる。
【０３３１】
光学部材２０１３Ｂは、光学構造部材２０１３Ｂの内部空間を外部環境と連絡するために、光学構造部材２０１３Ｂの上部で周辺方向に沿って３つの固着チャネル１２２Ｂを配置させ、これにより調整可能なレンズは、接着剤が調整可能なレンズ及び光学構造部材２０１３Ｂに接触するまで調整チャネル２０１３１Ｂを通して接着剤を注入することによって固着できる。本好適実施形態によれば、調整可能なレンズは、調整可能なレンズの表面で接着剤２０４０Ｂを注入し、それを凝固させることによって光学構造部材２０１３Ｂに固着される。固着チャネル１２２Ｂは、１２０度で互いから分離され、調整チャネル２０１３１Ｂと間隔を空けて置かれ、これにより調整可能なレンズは、調整がより効率的になるように、カメラモジュールの固着及び機能の信頼性を保証するために複数の場所から固着できる。
【０３３２】
図２３を参照すると、本発明に係るカメラモジュールの第８の実施形態が示されている。図２３を参照すると、カメラモジュールは調整可能な光学レンズ２０１０Ｃ及び感光装置２０２０を含み、感光装置２０２０は、上述の好適実施形態と同じく実施され、本第８の実施形態では繰り返し説明されない。
【０３３３】
調整可能な光学レンズ２０１Ｃは、１つ以上のレンズ２０１１Ｃ及び光学構造部材２０１３Ｃを含む。レンズ２０１１Ｃは、構造部材２０１３Ｃの垂直方向に沿って連続して光学構造部材２０１３Ｃの内部空間内に配置され、光学センサ２０２１の光路に沿って整列される、第１のレンズ２０１１１Ｃ、第２のレンズ２０１１２Ｃ、第３のレンズ２０１１３Ｃ、及び第４のレンズ２０１１４Ｃを含む。第１のレンズ２０１１１Ｃは、第８の好適実施形態で調整可能なレンズとしての機能を果たすために光学構造部材２０１３Ｃの上部に配置され、事前に組み付けられ、その組付け位置は少なくとも一方向で調整されるように適応可能である。
【０３３４】
光学構造部材２０１３Ｃは、その側面に設けられた少なくとも１つの調整チャネル２０１３１Ｃを含む。調整チャネル２０１３１Ｃは、調整可能なレンズに対応して位置決めされ、調整可能なレンズを調整するために光学構造部材２０１３Ｃの内部空間を外部環境に連絡するために適応される。
【０３３５】
第８の好適実施形態では、光学構造部材の外側で周辺方向に沿って配置され、第１のレンズ２０１１１Ｃに対応して位置決めされた３つの調整チャネル２０１３１Ｃがあり、それらは１２０度で互いから別々に配置され、調整確度を保証するために、複数の方向及び確度から第１のレンズ２０１１１Ｃを調整するために適応される。具体的には、外部調整装置２０３０Ｃは、調整チャネル２０１３１Ｃのそれぞれの中に挿入するために活用できる。第１のレンズ２０１１１Ｃの内の少なくとも１つの側面は調整チャネル２０１３１Ｃを通して外部に直接的に連絡するため、外部調整装置２０３０Ｃは、第１の光学レンズ２０１１１Ｃの側面に接触することにより第１のレンズ２０１１１Ｃの組付け位置を調整するために活用できる。
【０３３６】
調整チャネル２０１３１Ｃがその中に配置された光学構造部材２０１３Ｃのパーツは、レンズマウント２０２４よりも高い。すなわち、側面上の調整チャネル２０１３１Ｃは、レンズマウント２０２４から突出する光学構造部材２０１３Ｃのパーツに配置され、これは光学構造部材２０１３Ｃの外側からの調整可能なレンズの調整を助け、レンズマウント２０２４が調整を遮るのを回避する。
【０３３７】
調整後、接着剤は、接着剤が第１のレンズ２０１１１Ｃに接触して第１のレンズ２０１１１Ｃを光学構造部材２０１３Ｃに固着するまで、計量配分装置を通して調整チャネル２０１３１Ｃの中に注入される。
【０３３８】
好ましくは、調整チャネル２０１３１Ｃは、第１のレンズ２０１１１Ｃを固着し、同時に調整チャネル２０１３１Ｃを密封するために充填されるまで、より多くの接着剤を注入できる。
【０３３９】
図２４は、上記の第８の好適実施形態の代替モードである。本代替モードによれば、第１の光学レンズ２０１１１Ｃは、光学構造部材２０１３Ｃの上部に設けられた固着チャネル１２２Ｃを通して固着され、接着剤２０４０Ｃは固着チャネル１２２Ｃを通して注入される。凝固後、第１のレンズ２０１１１Ｃの上面は、光学構造部材２０１３Ｃの外部環境と連絡するように配置され、接着剤２０４０Ｃを外部から固着チャネル１２２Ｃに注入するために適応される。次いで、第１のレンズ２０１１１Ｃは、接着剤２０４０Ｃが第１のレンズ２０１１１Ｃの表面で凝固するとき、固着できる。一方、固着チャネル１２２Ｃで注入された凝固した接着剤２０４０Ｃは、固着チャネル１２２Ｃを密封することもできる。
【０３４０】
本代替モードでは、第１のレンズ２０１１１Ｃは、調整チャネル２０１３１Ｃ及び固着チャネル１２２Ｃの両方を通して固着できる。
【０３４１】
図２５は、上記第８の好適実施形態の別の代替モードである。図２５を参照すると、カメラモジュールは調整可能な光学レンズ２０１０Ｄ及び感光性装置２０２０を含み、光学装置２０２０は、上述された好適実施形態と同じく実施され、本代替モードでは繰り返して説明されない。調整可能な光学レンズ２０１０Ｄは、感光装置２０２０の感光性経路に配置される。
【０３４２】
調整可能な光学レンズ２０１０Ｄは、１つ以上のレンズ２０１１Ｄ及び光学構造部材２０１３Ｄを含む。レンズは、光学構造部材２０１３Ｄの垂直方向に沿って光学構造部材２０１３Ｄの内部空間内に配置される。本代替モードによれば、第１のレンズ２０１１１Ｄ、第２のレンズ２０１１２Ｄ、第３のレンズ２０１１３Ｄ、及び光学レンズ２０１１４Ｄを含む４つの光学レンズ２０１１Ｄがあり、第１のレンズ２０１１１Ｄ及び光学レンズ２０１１４Ｄは光学構造部材２０１３Ｄに固着される。一方、第２のレンズ２０１１２Ｄ及び第３のレンズ２０１１３Ｄは、光学構造部材２０１３Ｄの中央部分に配置される調整可能なレンズとしての機能を果たすために光学構造部材２０１３Ｄに事前に組み付けられ、その組付け位置は少なくとも一方向で調整されるために適切である。ここで言及される中央部分は、第１のレンズ２０１１１Ｄ及び第４のレンズ２０１１４Ｄが配置される位置以外の場所を意味し、これは光学構造部材２０１３Ｄの上部及び底部以外に任意の位置を含む。
【０３４３】
少なくとも１つの調整チャネル２０１３１Ｄは光学構造部材２０２３Ｄに設けられ、それらは、第２のレンズ２０１１２Ｄ及び第３のレンズ２０１１３Ｄに対応する光学構造部材２０１３Ｄ内の位置でそれぞれ配置される。調整チャネル２０１３１Ｄは、第２のレンズ２０１１２Ｄ及び第３のレンズ２０１１３Ｄの端縁に接触して、それぞれ第２のレンズ２０１１２Ｄ及び第３のレンズ２０１１３Ｄの組付け位置を調整するために、外部調整装置２０３０Ｄが調整チャネル２０１３１Ｄのそれぞれに挿入されるために適応された、光学構造部材２０１３Ｄの内部空間を外部環境と連絡する。
【０３４４】
外部調整装置２０３０Ｄは、調整がより効率的になり得るように、調整可能なレンズの調整が正確であるかどうかを定量的に判断するために、又は調整可能なレンズの調整方法及び較正測定を入力することによって調整可能なレンズを正確に調整するために、調整可能なレンズの調整方法及び較正測定を自動的に記録するための電子構成部品及び自動化機能を有するプローブとして実施できる。
【０３４５】
本好適実施形態では、外部調整装置２０３０Ｄは任意選択で、複数の調整チャネル２０１３１Ｄを光学構造部材２０１３Ｄの外側に沿って配置させてよい。光学構造部材２０１３Ｄの回りを取り囲む調整チャネル２０１３１Ｄは、調整の確度を保証するために種々の方向から調整可能なレンズを調整するために適応された調整可能なレンズに対応して位置決めされる。例えば、第２のレンズ２０１１２Ｄの周辺方向に沿って配置された３つの調整チャネル２０１３１Ｄ、及び第３のレンズ２０１１３Ｄの周辺方向に沿って配置された別の３つの調整チャネル２０１３１Ｄを有してよい。
【０３４６】
第２のレンズ２０１１２Ｄ及び第３のレンズ２０１１３Ｄが調整された後、それらは調整チャネル２０１３１Ｄを通して固着される。例えば、糊計量配分装置は、第２のレンズ２０１１２Ｄの端縁及び第３のレンズ２０１１３Ｄの端縁を接続する接着剤を有するために、調整チャネル２０１３１Ｄを通して糊又は接着剤を計量配分するために活用され、これにより第２のレンズ２０１１２Ｄ及び第３のレンズ２０１１３Ｄは、光学構造部材２０１３Ｄの内壁にそれぞれ固着できる。一方、接着剤は、調整チャネル２０１３１Ｄを充填して調整チャネル２０１３１Ｄを密封するために注入できる。接着剤は、好ましくは、第２のレンズ２０１１２Ｄ及び第３のレンズ２０１１３Ｄを固着し、加熱処理後に調整チャネル２０１３１Ｄを密封するために凝固する熱硬化性糊である。
【０３４７】
調整可能なレンズが接着剤を半凝固させることにより事前に組み付けられる場合、事前組付けで使用される半凝固する接着剤が、以後の固着工程で完全に固着できることに言及する価値がある。凝固後、調整可能なレンズは定位置に固着される。次いで、それは、調整チャネル２０１３１Ｄで外部糊計量配分により調整チャネル２０１３１Ｄをさらに密封する、又は固着の信頼性を保証するために別の糊計量配分により調整可能なレンズをさらに固着する。
【０３４８】
第８の好適実施形態によれば、調整可能なレンズを調整するための位置及び調整可能なレンズを固着するための位置は、同じ位置である場合もあれば、異なる位置である場合もあることに言及する価値がある。例えば、それは、複数の固着チャネルを調整可能なレンズの位置に対応する光学構造部材２０１３Ｄの外側に配置させてよく、固着チャネル及び調整チャネル２０１３１Ｅは、光学構造部材の側面に間隔を置いて配置され、これにより調整可能なレンズは種々の方向から調整するだけではなく、固着することもできる。確かに、調整チャネル２０１３１Ｄを光学構造部材２０１３Ｄのパーツに配置させることを選んでもよい。一方、固着チャネルは、調整チャネル２０１３１Ｄ及び固着チャネルが間隔を置いて配置されない他のパーツに配置される。
【０３４９】
図２６〜図２７を参照すると、本発明に係るカメラモジュールの第９の好適実施形態が示されている。図２６〜図２７を参照すると、カメラモジュールは調整可能な光学レンズ２０１０Ｅ及び感光装置２０２０を含み、感光装置２０２０は、上述された好適実施形態と同様に実施され、本第９の好適実施形態では繰り返し説明されない。調整可能な光学レンズ２０１０Ｅは、撮影及び撮像のために感光装置２０２０の感光性経路に配置される。
【０３５０】
調整可能な光学レンズ２０１０Ｅは、少なくとも１つのレンズ２０１１Ｅ及び光学構造部材２０１３Ｅを含み、各レンズ２０１１Ｅは、光学構造部材２０１３Ｅの垂直方向に沿って光学構造部材２０１３Ｅの内部空間内にセットされ、固着され、光学センサ２０２１の感光性経路に位置決めされる。
【０３５１】
第９の好適実施形態では、上部から底部へ連続して光学構造部材２０１３Ｅの内部空間内に配置される、第１のレンズ２０１１１Ｅ、第２のレンズ２０１１２Ｅ、第３のレンズ２０１１３Ｅ、及び第４のレンズ２０１１４Ｅを含む４つのレンズ２０１１Ｅがある。すなわち、第１のレンズ２０１１１Ｅは、光学構造部材２０１３Ｅの上部に配置され、事前に組み付けられる。第９の好適実施形態の調整可能なレンズとして役立てられる第１のレンズ２０１１１Ｅの組付け位置は、少なくとも一方向で調整されるように適応可能であり、調整可能な光学レンズ２０１０Ｅの光路を調整するために適応される。調整後、調整可能な光学レンズ２０１０Ｅの中心軸線及び光学センサ２０２１の中心軸線は一致する、又は逸脱の許容範囲内にある。
【０３５２】
光学構造部材２０１３Ｅは、少なくとも１つの調整チャネル２０１３１Ｅを光学構造部材２０１３Ｅの上部に配置させる。第９の好適実施形態によれば、光学構造部材２０１３Ｅの内部空間を外部環境と連絡する２つの調整チャネル２０１３１Ｅがあり、これにより第１のレンズ２０１１１Ｅの表面は調整チャネル２０１３１Ｅを通って外部と連絡することができ、したがってその組付け位置は調整できる。
【０３５３】
第１のレンズ２０１１１Ｅは、少なくとも２つの調整溝２０１１１１Ｅをその上面に配置させる。調整溝２０１１１１Ｅの上部開口部は、調整チャネル２０１３１Ｅを通して光学構造部材２０１３Ｅの外部環境と連絡している調整チャネル２０１３１Ｅに対応してそれぞれ位置決めされる。さらに、調整溝２０１１１１Ｅは、好ましくは第１のレンズ２０１１１Ｅの端縁のすぐ近くの位置に配置され、これによりそれらは、カメラモジュールの撮像を保証するために第１のレンズ２０１１１Ｅの光路に影響を及ぼさない。
【０３５４】
第１のレンズ２０１１１Ｅの組付け位置を調整するために、外部調整装置２０３０Ｅは、第のレンズ２０１１１Ｅに接触するために調整チャネル２０１３１Ｅに挿入される。外部調整装置２０３０Ｅは、調整溝２０１１１１Ｅに到達して、調整溝２０１１１１Ｅを通して第１のレンズ２０１１１Ｅを掴むために、及び第１のレンズ２０１１１Ｅの水平位置、垂直位置、傾斜位置、及び周辺位置を調整するために挿入され、これにより調整可能な光学レンズ２０１０Ｅの光路は、カメラモジュールに解像度要件を満たさせるために調整できる。
【０３５５】
第１のレンズ２０１１１Ｅが光学的に調整された後、第１のレンズ２０１１１Ｅは調整可能な光学レンズ２０１０Ｅの組付けを完了するために恒久的に固着されなければならない。第９の好適実施形態では、固着位置及び調整位置は、調整チャネル２０１３１Ｅに隣接する同じ位置である。具体的には、接着剤は、計量配分装置により調整チャネル２０１３１Ｅに注入される。調整チャネル２０１３１Ｅを通して第１のレンズ２０１１１Ｅの側面又は上面に流れる場合がある液体状態又は半凝固状態の接着剤。次いで、第１のレンズ２０１１１Ｅは、接着剤が加熱処理により凝固した後、光学構造部材２０１３Ｅに恒久的に固着できる。任意選択で、より多くの接着剤が、第１のレンズ２０１１１Ｅを固着し、同時に調整チャネル２０１３１Ｅを密封するために調整チャネル２０１３１Ｅを充填するために注入できる。
【０３５６】
調整チャネル２０１３１Ｅ及び調整溝２０１１１１Ｅの数が変わる場合があり、これが本発明の範囲を制限するものではないことに言及する価値がある。また、余分な固着チャネルは、調整可能なレンズを固着するために光学構造部材に配置されてよく、固着チャネルの位置は、調整チャネル２０１３１Ｅの位置と異なってもよい。
【０３５７】
図３１を参照すると、本発明の上記の好適実施形態に係るカメラモジュールの較正方法が示され、カメラモジュールの較正方法１４００は、以下の
ステップ（１４０１）：光学構造部材内でレンズを組み付けるステップであって、レンズの内の少なくとも１つが事前に組み付けられ、その組付け位置は調整可能であるように配置され、一方レンズの残りは定位置に固着される、組み付けるステップと、
ステップ（１４０２）：事前に組み付けられたカメラモジュールの電源を投入し、カメラモジュールの撮像を取り込むステップと、
ステップ（１４０３）：カメラモジュールの撮像に基づいて、調整可能なレンズのための調整方法及び構成測定を計算するステップと、
ステップ（１４０４）：較正測定に従って調整チャネルを通して調整可能なレンズを調整するステップと、
ステップ（１４０５）：調整／固着チャネルを通して調整可能なレンズを固着することによってカメラモジュールの較正を完了するステップと
を含む。
【０３５８】
ステップ（１４０１）では、１つ以上のレンズは調整可能なレンズとしての機能を果たすように配置され、調整可能なレンズは、以後の工程で調整されるために固着されない。
【０３５９】
ステップ（１４０４）では、調整可能なレンズは、光学構造部材の調整チャネルを通して外部調整装置を活用することによって調整され、調整チャネルは光学構造部材の上部又は側面部分に配置されてよく、これは特定の情報について上記好適実施形態及びその代替モードを参照してよい。
【０３６０】
ステップ（１４０５）では、調整可能なレンズは、光学構造部材又は調整チャネルに配置された固着チャネルを通して固着されてもよい。言い換えると、調整可能なレンズを固着し、調整するための位置は同じである場合もあれば、異なる場合もある。固着のための接着剤は、調整可能なレンズの側面又は上面に接触することにより機能してよく、これは特定の情報について上記好適実施形態及びその代替モードを参照してよい。
【０３６１】
図２８〜図３０、図３２を参照すると、本発明に係るカメラモジュール及びその較正方法の第１０の好適実施形態が示されている。図２８〜図３０を参照すると、カメラモジュールは調整可能な光学レンズ２０１０Ｆ及び感光装置２０２０を含み、感光装置２０２０は、上述の好適実施形態と同様に実施され、本第１０の好適実施形態では繰り返し説明されない。調整可能な光学レンズ２０１０Ｆは、撮影及び撮像のために適応された感光装置２０２０の感光性経路に配置される。
【０３６２】
調整可能な光学レンズ２０１０Ｆは少なくとも１つのレンズ２０１１Ｆ及び光学構造部材２０１３Ｆを含み、各レンズ２０１１Ｆは、光学構造部材２０１３Ｆの垂直方向に沿って光学構造部材２０１３Ｆの内部空間内にセットされ、固着され、光学センサ２０２１の感光性経路に配置される。
【０３６３】
第１０の好適実施形態では、上部から底部に連続して光学構造部材２０１３Ｆの内部空間内に配置される、第１のレンズ２０１１１Ｆ、第２のレンズ２０１２２Ｆ、第３のレンズ２０１１３Ｆ、及び第４のレンズ２０１１４Ｆを含む４つのレンズ２０１１Ｆがある。そこで、第１のレンズ２０１１１Ｆは、光学構造部材２０１３Ｆの上部に配置され、事前に組み付けられる。第１０の好適実施形態の調整可能なレンズとしての機能を果たす第１のレンズ２０１１１Ｆの組付け位置は、少なくとも一方向で調整されるように適応可能であり、調整可能な光学レンズ２０１０Ｆの光路を調整するために適応される。調整後、調整可能な光学レンズ２０１０Ｆの中心軸線及び光学センサ２０２１の中心軸線は一致する、又は逸脱の許容範囲内にある。
【０３６４】
調整後、調整可能な光学レンズ２０１０Ｆの組付けは、第１光学レンズ２０１１１Ｆが恒久的に固着されるとき完了する。
【０３６５】
図３２を参照すると、カメラモジュールの較正方法１５００は、以下の
ステップ（１５０１）：光学構造部材２０１３Ｆ及び感光装置２０２０を、その光路に基づいて組み付けるステップと、
ステップ（１５０２）：第２のレンズ２０１１２Ｆ、第３のレンズ２０１１３Ｆ、及び第４のレンズ２０１１４Ｆを光学構図部材２０１３Ｆの内部空間内で組み付け、固着するステップと、
ステップ（１５０３）：カメラモジュールの事前組付けが完了するように、調整可能なレンズとしての機能を果たすために、光学構造部材２０１３Ｆの内部空間内で第１のレンズ２０１１１Ｆを事前に組み付けるステップと、
ステップ（１５０４）：事前に組み付けられたカメラモジュールの電源を投入し、カメラモジュールの撮像を取り込むステップと、
ステップ（１５０５）：カメラモジュールの撮像に基づいて、ソフトウェアを用いて調整可能なレンズの調整方法及び較正測定を計算するステップと、
ステップ（１５０６）：カメラモジュールの撮像に解像度要件を満たさせるために、較正測定に従って調整可能なレンズを調整するステップと、
ステップ（１５０７）：調整可能なレンズを固着することによってカメラモジュールの組付け及び較正を完了するステップと
を含む。
【０３６６】
ステップ（１５０２）では、第２のレンズ２０１１２Ｆ、第３のレンズ２０１１３Ｆ、及び第４のレンズ２０１１４Ｆは、１つずつ光学構造部材２０１３Ｆに組み付けられる、又は光学構造部材２０１３Ｆに組み付けられる全体のユニットに統合されるかのどちらかの場合がある。
【０３６７】
ステップ（１５０３）では、第１のレンズ２０１１１Ｆは、光学構造部材２０１３Ｆの上部の内部空間内に配置され、第２のレンズ２０１１２Ｆの上方に位置決めされ、調整可能なレンズとして事前に組み付けられ、これによりその組付け位置は以後の工程で調整できる。調整可能なレンズの調整は、光学構造部材２０１３Ｆの上部から実施されるように適応可能であり、これは、特に配置される調整チャネルを必要としない。したがって、作業手順はより簡略である。
【０３６８】
ステップ（１５０６）では、調整可能なレンズは光学構造部材２０１３Ｆの上部で形成された内部空間内に位置するため、調整可能なレンズは、光学構造部材２０１３Ｆの上部に設けられた光入射チャネル２０１５Ｆの位置を介して直接的に接続し、調整できる。それは、光学構造部材２０１３Ｆの上部から入射して、調整中に調整可能なレンズと接触するために装置を活用するように適応可能である。次いで、調整可能なレンズは、工具固締又は真空吸引によって調整できる。
【０３６９】
ステップ（１５０７）では、接着剤２０４０Ｆ、つまり任意選択では熱硬化性糊が、接着剤２０４０Ｆが凝固した後に第１の光学レンズ２０１１１Ｆを固着するために、調整後に光学構造部材２０１３Ｆの上部に設けられた光入射チャネル２０１５Ｆを通して注入される。それは、特に配置された固着チャネルを有することを必要とせず、これにより構造はより簡略になる場合がある。例えば、調整可能なレンズは、接着剤を調整可能なレンズの端縁に計量配分し、熱処理によって接着剤を凝固させることにより光学構造部材２０１３Ｆの内壁に固着できる。
【０３７０】
調整可能なレンズは、光学構造部材２０１４Ｆに配置された装填部分に設置されることにより、又は半凝固した接着剤により光学構造部材２０１３Ｆで直接的に事前に組み付けることができ、これが調整可能なレンズがかなり偏位するのを妨げ、調整可能なレンズを以後の工程で調整できるようにし、これにより調整範囲を削減し、調整頻度を減らし、較正効率を上げることができることに言及する価値がある。
【０３７１】
図３３〜図３４を参照すると、本発明に係るカメラモジュールレンズの第１１の好適実施形態が示されている。図３３〜図３４を参照すると、カメラモジュールレンズ３０１０は１つ以上の内部レンズ３０１１、１つ以上の外部レンズ３０１２、及び円錐水晶体構成部品３０１３を含む。内部レンズ３０１１は、円錐水晶体構成部品３０１３の垂直方向に沿って円錐水晶体構成部品３０１３の内部に配置される。外部レンズ３０１２は、円錐水晶体構成部品の垂直方向に沿って、円錐水晶体構成部品３０１３の上部又は底部の外部空間等、円錐水晶体構成部品３０１３の外部に配置される。外部レンズ（複数可）３０１２及び内部レンズ（複数可）３０１１は、カメラモジュールレンズ３０１０の同じ光路に配置され、一方、外部レンズ３０１２は円錐水晶体構成部品３０１３の内部に含まれていない。
【０３７２】
第１１の好適実施形態によれば、円錐水晶体構成部品３０１３の収容空洞３０１３１に次いで固着される、埋め込まれ、互いと統合された３つの内部レンズ３０１１があり、隣接する内部レンズ３０１１はスペーサリングによって互いと接続される。内部レンズ３０１１の端縁は、スペーサリング等の構造要素を使用せずに、塗布された糊により内部レンズ３０１１を順序正しく、結合し、統合するために、例えば糊を塗布される等、処理できる。レンズユニットは、内部レンズ３０１１を組み付けることによって形成される。次いで、内部レンズ３０１１は、円錐水晶体構成部品３０１３に設置され、固着されるために全体として処理される。係る状況では、円錐水晶体構成部品３０１３の機械加工精度並びに内部レンズ３０１１及び円錐水晶体構成部品３０１３の間の組付け確度の要件は低くなり、これが生産コストを削減するのに役立つ。加えて、それは、組付け手順を削減し、組付け公差チェーンを短縮し、組付け時間を省き、製品の歩留まり及び効率を上げる。
【０３７３】
第１１の好適実施形態では、ただ１個の外部レンズ３０１２しかなく、外部レンズ３０１２は円錐水晶体構成部品３０１３の底部に設置され、外部レンズ３０１２の端縁及び円錐水晶体構成部品３０１３の底部は接続される。第１１の好適実施形態によれば、接着剤は、外部レンズ３０１２の上面の端縁及び円錐水晶体構成部品３０１３の底面にそれらを互いに固着して接続するために塗布される。一方、外部レンズ３０１２は、カメラモジュールレンズ３０１０の光路で内部レンズ３０１１に対応して位置決めされる。
【０３７４】
円錐水晶体構成部品３０１３は従来の黒いレンズ鏡胴であるが、それは外部光がカメラモジュールレンズ３０１０の内部に光入射チャネル以外の位置から入射するのを遮るだけではなく、光入射チャネルを介して入射した光がカメラモジュールレンズ３０１０の内部から漏れるのも回避することができる。加えて、外部レンズ３０１２は、円錐水晶体構成部品０１３に配置されない。したがって、本発明は、外部レンズ３０１２の外側に配置されるシェーディング層３０１２１をさらに提供する。シェーディング層３０１２１は、カメラモジュールレンズ３０１０の光の漏れを回避し、外部の迷光がカメラモジュールレンズ３０１０に入射するのを防ぐために、外部レンズ３０１２の側面全体を完全に覆わなければならず、これによりカメラモジュールレンズ３０１０の画質は保証できる。
【０３７５】
本発明の他の実施形態によれば、カメラモジュールレンズ３０１０に関して、外部光学園図３０１２の外側に配置されたシェーディング層３０１２１を有さない場合がある。言い換えると、カメラモジュールレンズ３０１０は、シェーディング層がない外部レンズ３０１２を含んでよい。それにも関わらず、シェーディング層３０１２１は依然として以後の工程で配置されることがあるため、シェーディング層３０１２１はカメラモジュールレンズ３０１０にとって必要ではない場合がある。
【０３７６】
カメラモジュールレンズ３０１０がカメラモジュールに取り付けられた後、カメラモジュールの画質を保証するために、シェーディング層３０１２１はカメラモジュールで組み付けられた外部レンズ３０１２に配置される。それは、カメラモジュールの組付け中にカメラモジュールレンズ３０１０の外部レンズ３０１２の外側にシェーディング層３０１２１を配置し、シェーディング層３０１２１が配置されたカメラモジュールレンズ３０１０を、カメラモジュールを作るために感光装置を用いて組み立させてもよい。
【０３７７】
要約すると、カメラモジュールレンズ３０１０は、シェーディング層３０１２１を含む場合もあれば、含まない場合もある。
【０３７８】
カメラモジュール３０１０がシェーディング層３０１２１を含む場合、シェーディング層３０１１の配置モーメントのオプションは、以下の３つの
（１）事前に外部光学レンズ３０１２の外側にシェーディング層３０１２１を配置し、カメラモジュールレンズ３０１０で外部光学レンズ３０１２を組み付けるステップと、
（２）外部光学レンズ３０１２がカメラモジュールレンズ３０１０で組み付けられた後、シェーディング層３０１２１を配置するステップと、
（３）感光装置及びカメラモジュールレンズ３０１０が、シェーディング層３０１２１なしに、カメラモジュールに組み込まれた後、外部光学レンズ３０１２の外側にシェーディング層３０１２１を配置するステップと
を含んでよい。
【０３７９】
好ましくは、シェーディング層３０１２１は、外部光学レンズ３０１２の外側に黒い糊を塗布することによって配置され、黒い糊は、凝固後シェーディング層３０１２１になる熱硬化性糊である場合がある。
【０３８０】
図３５を参照すると、上述されたカメラモジュールレンズ３０１０を含むカメラモジュールが示されている。図３５を参照すると、カメラモジュールは、カメラモジュールレンズ３０１０及び感光装置３０２０を含み、感光装置３０２０は光学センサ３０２１を含む。カメラモジュールレンズ３０１０は、光学センサ３０２１の感光性経路に沿って配置され、被写体から反射される光はカメラモジュールレンズ３０１０を通ってカメラモジュールの内部に入射し、光電変換を続けるために光学センサ３０２１によって受光され、これにより被写体に対する画像はカメラモジュールによって後で取り込むことができる。
【０３８１】
感光装置３０２０は、フィルタ３０２２、回路基板３０２３、及びレンズマウント３０２４をさらに含む。フィルタ３０２２はレンズマウント３０２４に取り付けられ、光学センサ３０２１の上方に配置される。光学センサ３０２１は回路基板３０２３に付着される。回路基板３０２３は、光学センサ３０２１を、レンズマウント３０２４の内部に画定される空洞に位置させるために、レンズマウント３０２４の底部に取り付けられる。加えて、光学センサ３０２１はレンズマウント３０２４から距離を保つ。言い換えると、それらは互いと接触しない。光学装置３０２０は、チップオンボード（ＣＯＢ）技術で製造される。
【０３８２】
外部レンズ３０１２は、円錐水晶体構成部品３０１３とレンズマウント３０２４との間に配置される。すなわち、が部レンズ３０１２の上面の端縁は円錐水晶体構成部品３０１３の底面と接続され、外部レンズ３０１２の底面の端縁はレンズマウント３０２４の上面と接続され、レンズマウント３０２４に寄りかかり、レンズマウント３０２４によって支持される。一方、内部レンズ３０１１及び外部レンズ３０１２はすべて光学センサ３０２１の感光性経路に配置される。
【０３８３】
外部レンズ３０１２は円錐水晶体構成部品３０１３の外側に配置され、レンズマウント３０２４に寄りかかり、これによりカメラモジュールレンズ３０１０と光学センサ３０２１との間の距離を減らすことができ、カメラレンズのより短い背面焦点距離を達成できる。係るカメラモジュールレンズで作られるカメラモジュールは、より優れた画質及び著しく低いコストを有する。
【０３８４】
図３６及び図４２を参照すると、カメラモジュールの組付け方法が示されている。カメラモジュールの組付け方法１０００は、以下の
ステップ（１００１）：円錐水晶体構成部品３０１３の内部空間に内部レンズ３０１１を配置し、固着するステップと、
ステップ（１００２）：円錐水晶体構成部品３０１３の底部の外部空間に外部レンズ３０１２を配置するステップと、
ステップ（１００３）：カメラモジュールレンズ３０１０の組付けを完了するために、外部レンズ３０１２の外面にシェーディング層３０１２１を配置するステップと、
ステップ（１００４）：カメラモジュールの組付けを完了するために、感光性装置３０２０にカメラモジュールレンズ３０１０を事前に組み付けるステップと、
ステップ（１００５）：調整されたカメラモジュールの撮像に解像度要件を満たさせるために、カメラモジュールレンズ３０１０の組付け位置を調整するステップと、
ステップ（１００６）：カメラモジュールの組付けを完了するために、カメラモジュールレンズ３０１０及び感光装置３０２０を実装するステップと
を含む。
【０３８５】
ステップ（１００１）〜ステップ（１００３）は、カメラモジュールレンズ３０１０の組付けステップである。
【０３８６】
ステップ（１００１）では、内部レンズ３０１１は、円錐水晶体構成部品３０１３の内部空間内で１つずつ固着できる、又は円錐水晶体構成部品３０１３の内部空間内で固着されるレンズユニット全体の中に埋め込み、統合できる。
【０３８７】
ステップ（１００２）及びステップ（１００３）では、黒い糊は、それがシェーディング層３０１２１を作るために外部レンズ３０１２の外側に塗布されるとき、円錐水晶体構成部品３０１３及び外部レンズ３０１２の接合点にも塗布され、これによりそれはシェーディング層３０１２１を形成するだけではなく、外部レンズ３０１２及び円錐水晶体構成部品３０１３を接続することもでき、これは組付けステップを削減し、製品歩留まり効率を上げ、コストを下げる。確かに、シェーディング層３０１２１は、外部レンズ３０１２及び円錐水晶体構成部品３０１３が接続された後、外部光学レンズ３０１２の外側に黒い糊を塗布することによって配置することもできる。実際の状況に応じて、シェーディング層３０１２１は、それが組み付けられる前又は後に外部レンズ３０１２に選択的に配置できる。
【０３８８】
さらに、それは外部レンズ３０１２の上面の端縁又は円錐水晶体構成部品３０１３の底面に、それらを接続するために接着剤を塗布してもよい。加えて、外部レンズ３０１２及び円錐水晶体構成部品３０１３は、それらが事前に組付けられるとき、固着して接続できるか、接続できないかのどちらかであり、これにより円錐水晶体構成部品３１３及び外部レンズ３０１２の組付け位置は、以後の工程で少なくとも一方向で調整された場所となるように適応可能である。
【０３８９】
ステップ（１００４）では、接着剤は、外部レンズ３０１２及びレンズマウント３０２４を接着剤３０４０で固着して接続するために、外部レンズ３０１２の底面の端縁又はレンズマウント３０２４の上面に塗布される。接着剤３０４０は、好ましくは熱硬化性糊である。外部レンズ３０１２及び光学センサ３０２１は、事前に組み付けることもでき、これによりその組付け位置は少なくとも一方向で調整されるように適応可能である。
【０３９０】
上記ステップでは、事前組付けのための接着剤は、適切にＵＶ糊及び熱硬化性糊の混合接着剤である。接着剤は、事前組付けを実施するために紫外線曝露後半凝固状態を形成する。さらに半凝固した接着剤は、加熱処理により完全に凝固し、これにより外部レンズ３０１２はレンズマウント３０２４及び円錐水晶体構成部品３０１３で固着できる。
【０３９１】
ステップ（１００５）では、カメラモジュールレンズ３０１の調整は、外部レンズ３０１２及び／又は円錐水晶体格子部品３０１３を調整することにより実施することができ、つまり、カメラモジュールレンズ３０１０の中心軸線及び光学センサ３０２１の中心軸線を一致させる又は逸脱の許容範囲内にするために、カメラモジュール３０１０の光路を調整することができ、これによりカメラモジュールの撮像が期待される解像度要件を満たすことができる。
【０３９２】
カメラモジュールは、上記の組付け方法の外部レンズ３０１２の事前組付けによる以下の３つの方法に従って構成できる。
【０３９３】
（１）円錐水晶体構成部品３０１３の組付け位置を調整することによってカメラモジュールを較正する。つまり、円錐水晶体構成部品３０１３を調整することにより円錐水晶体構成部品３０１３の内部空間内で固着された内部レンズ３０１１を調整する。言い換えると、外部レンズ３０１２は、レンズマウント３０２４と固着して接続されるが、円錐水晶体構成部品３０１３がこの条件下にある状態で事前に組み付けられる。
【０３９４】
（２）それぞれ円錐水晶体構成部品３０１３及び外部レンズ３０１２を調整することによりカメラモジュールを較正する。外部レンズ３０１２及び円錐水晶体構成部品３０１３はともにこの条件下のレンズマウント３０２４で事前に組み付けられる。
【０３９５】
（３）円錐水晶体構成部品３０１３及び外部レンズ３０１２を同時に調整することによりカメラモジュールを較正する。つまり、カメラモジュールレンズ３０１０を調整することによりカメラモジュールを較正する。すなわち、外部レンズ３０１２は、円錐水晶体構成部品３０１３と固着して接続されるが、この条件下でレンズマウント３０２４と事前に組み付けられる。
【０３９６】
ステップ（１００５）は、以下の
ステップ（１００５１）：事前に組み付けられたカメラモジュールの電源を投入し、カメラモジュールの撮像を取り込むステップと、
ステップ（１００５２）：カメラモジュールの撮像に基づいて、ソフトウェア及び光学によって、外部光学レンズ３０１２のための調整方法及び較正測定、及び／又は円錐水晶体構成部品３０１３のための調整方法及び較正測定を含む、カメラモジュールレンズ３０１０の調整方法及び較正測定を計算するステップと、
ステップ（１００５３）：較正測定に従ってカメラモジュールレンズ３０１０の組付け位置を正確に調整するステップと
を含む。
【０３９７】
ステップ（１００６）では、事前に組み付けられたカメラモジュールが調整された後、熱硬化性糊等の接着剤は、外部レンズ３０１２と円錐水晶体構成部品３０１３との間で、及び外部レンズ３０１２とレンズマウント３０２４との間で計量配分され、事前に組み付けられた外部レンズ３０１２を固定し、カメラモジュールの組付けを完成するために凝固する。
【０３９８】
加えて、外部レンズ３０１２は、円錐水晶体構成部品３０１３とレンズマウント３０２４との間で直接的に固着されてよい。すなわち、カメラモジュールレンズ３０１０は感光装置３０２０に固着される。カメラモジュールレンズ３０１０が固着された後、カメラモジュールレンズの組付けは完了し、それは追加の調整を可能にしない。それにも関わらず、この組付け方法では固定単焦点レンズの光学背面焦点距離に対する公差があり、これがモジュールで不安定な品質を生じさせる。結果として、光学背面焦点距離は再びモジュールごとに調整されなければならない。
【０３９９】
図３７を参照すると、上述のカメラモジュールレンズ３０１０を含む別のカメラモジュールが示されている。図３７を参照すると、カメラモジュールはカメラモジュールレンズ３０１０及び感光装置３０２０Ａを含み、感光装置３０２０Ａは光学センサ３０２１Ａを含む。カメラモジュールレンズ３０１０は、光学センサ３０２１Ａの感光性経路に沿って配置され、被写体から反射される光はカメラモジュールレンズ３０１０を通ってカメラモジュールの内部に入射し、光電変換を続けるために光学センサ３０２１Ａによって受光される場合があり、これにより被写体に対する画像はカメラモジュールによって後で取り込むことができる。
【０４００】
感光装置３０２０Ａは、フィルタ３０２２Ａ、回路基板３０２３Ａ、及びレンズマウント３０２４Ａをさらに含む。感光装置３０２０Ａは、フリップチップ技術で作られ、レンズマウント３０２４Ａと直接的に接続されるためにレンズマウント３０２４Ａの底部に位置する。光学センサ３０２１Ａ及びフィルタ３０２２Ａは、突出したプラットフォームを有するレンズマウント３０２４Ａの内壁の上部及び底部にそれぞれ位置する。光学センサ２３Ａは、回路基板３０２３Ａから間隔を置いて配置される。レンズマウント３０２４Ａは、カメラモジュールの撮像を保証するために電子的な機能を有する。
【０４０１】
感光装置３０２０Ａの高さは、本代替モードに従ってより短く、これは短い背面焦点距離モジュールの組付け要件を満たすだけではなく、さらに組付け公差チェーンも短くし、これにより光学センサ３０２１Ａ及びカメラモジュールレンズ３０１０の相対的な組付け位置の公差は最小限に抑えることができ、したがって組付け確度を上げることができる。また、それは、カメラモジュールの背面焦点距離に対する制限を削減するのにも役立ち、モジュールの高さをさらに減少させることを可能にし、これはコンパクトなカメラモジュールを開発するために役立つ。さらに、光学センサ３０２１Ａは回路基板３０２３Ａに付着することなく、レンズマウント３０２４Ａに直接的に配置されるため、それは、カメラモジュールの画質をさらに保証するために光学センサ３０２１Ａに対する不均一な回路基板の影響を排除できる。
【０４０２】
図３８を参照すると、本発明に係るカメラモジュールレンズの代替モードが示されている。図３８を参照すると、カメラモジュールレンズ３０１８Ｂは、４つの内部レンズ３０１１Ｂ、１つの外部レンズ３０１２Ｂ、及び円錐水晶体構成部品３０１３Ｂを含む。内部レンズ３０１１Ｂは、円錐水晶体構成部品３０１３Ｂの垂直方向に沿って円錐水晶体構成部品３０１３Ｂの収容空洞３０１３１Ｂに配置される。外部レンズ３０１２Ｂは、円錐水晶体構成部品３０１３Ｂの底部に固着される。内部レンズ３０１１Ｂ及び外部レンズ３０１２Ｂは、カメラモジュールレンズ３０１０Ｂの光路で整列する。
【０４０３】
内部レンズ３０１１Ｂは、円錐水晶体構成部品３０１３Ｂの内部空間内に順序正しく且つ連続して固着され、それは内部レンズ３０１１Ｂ及び円錐水晶体構成部品３０１３Ｂを接続し、内部レンズ３０１１Ｂ及び円錐水晶体構成部品３０１３Ｂとの間で固締するためにスペーサリングを活用する。
【０４０４】
外部レンズ３０１２Ｂは、その端縁に配置されたシェーディング層３０１２１Ｂを有する。シェーディング層３０１２１Ｂは、外部レンズ３０１２Ｂの外側に黒い糊を塗布することによって形成される。黒い糊は、好ましくは熱硬化性糊である。シェーディング層３０１２１Ｂは、カメラモジュールレンズ３０１０Ｂの光の漏れを回避するために外部レンズ３０１２Ｂの側面全体を完全に覆う。
【０４０５】
図３９〜図４０を参照すると、本発明に係るカメラモジュールレンズの第１２の好適実施形態が示されている。図３９〜図４０を参照すると、カメラモジュールレンズ３０１０Ｃは、少なくとも１つの内部レンズ３０１１Ｃ、少なくとも１つの外部レンズ３０１２Ｃ、少なくとも１つの円錐水晶体構成部品３０１３Ｃを含む。内部レンズ３０１１Ｃは、円錐水晶体構成部品３０１３Ｃの収容空洞３０１３１Ｃに配置される。外部レンズ３０１２Ｃは、円錐水晶体構成部品３０１３Ｃの底部に、及び円錐水晶体構成部品３０１３Ｃの外部に配置される。内部レンズ３０１１Ｃ及び外部レンズ３０１２Ｃは、カメラモジュールレンズ３０１０Ｃの光路で整列する。
【０４０６】
第１２の好適実施形態では、第１の内部レンズ３０１１１Ｃ、第２の内部レンズ３０１１２Ｃ、及び第３の内部レンズ３０１１３Ｃを含む３つの内部レンズ３０１１Ｃがあり、第１の内部レンズ３０１１１Ｃは、調整可能なレンズとしての機能を果たすために円錐水晶体構成部品３０１３Ｃの上部の内部空間内で事前に組み付けられ、その組付け位置は、円錐水晶体格子部品３０１３Ｃの空間位置に対応して少なくとも一方向で調整されるように適応可能である。調整可能な方法は、水平方向、垂直方向、及び周辺方向の１つ以上を含む。
【０４０７】
好ましくは、第１の内部レンズ３０１１１Ｃは、接着剤で事前に組み付けられ、接着剤は、好ましくはＵＶ糊及び熱硬化性糊の混合接着剤であり、これにより第１の内部レンズ３０１１１Ｃは、接着剤が紫外線曝露を通して半凝固した後に、円錐水晶体構成部品３０１３Ｃで事前に組み付けることができる。調整後、第１の内部レンズ３０１１１Ｃは、次いで加熱処理により完全に凝固する接着剤によって完全に固着できる。また、当業者は、調整可能なレンズを事前に組み付けるために他の手段を選んでもよい。
【０４０８】
第２の内部レンズ３０１１２Ｃ及び第３の内部レンズ３０１１３Ｃは、全体的なレンズユニットに埋め込まれ、統合される。該２つの埋め込み及び統合は、スペーサリング又は糊接続を利用することによって選択的にできる。レンズユニットは、次いで、溶接又は糊接続により選択的に円錐水晶体構成部品３０１３Ｃの中央及び底部の内部空間内で固着される。また、第２の内部レンズ３０１１２Ｃ及び第３の内部レンズ３０１１３Ｃは、１つずつ円錐水晶体構成部品３０１３Ｃに固着できる。
【０４０９】
それは任意選択で、調整可能なレンズ（複数可）としての機能を果たすために内部レンズ３０１１Ｃの１つ以上を作ってよく、それは、外部レンズ３０１２Ｃを調整可能なレンズにし、それを以後の工程で調整するために、円錐水晶体構成部品３０１３Ｃの底部に外部レンズ３０１２Ｃを事前に組み付けることによって調整可能な外部レンズ３０１２Ｃの組付け位置を有してもよいことに言及する価値がある。次いで、カメラモジュールレンズ３０１０Ｃの光心は、調整可能な光学レンズの組付け位置を調整することにより較正できる。調整可能な光学レンズは、カメラモジュールレンズの歩留まり率を上げるために、較正後に固着される。
【０４１０】
円錐水晶体構成部品３０１３Ｃは、調整可能なレンズが円錐水晶体構成部品３０１３Ｃに設置される位置に、少なくとも１つの調整チャネル３０１３１Ｃを配置させる。好適実施形態によれば、調整チャネル３０１３１Ｃの配置位置は、第１の内部レンズ３０１１１Ｃの組付け位置に対応している。調整チャネル３０１３１Ｃは、円錐水晶体構成部品３０１３の内部空間を外部環境と連絡するために適応され、外部調整装置は、第１の内部レンズ３０１１１Ｃの組付け位置を調整するために、円錐水晶体構成部品３０１３Ｃの外部から調整チャネル３０１３１Ｃを通して第１の内部レンズ３０１１１Ｃに到達し、接触することができる。
【０４１１】
好ましくは、第１２の好適実施形態によれば、円錐水晶体構成部品３０１３Ｃの外側で周辺方向に沿って配置された４つの調整チャネル３０１３１Ｃがあり、調整チャネル３０１３１Ｃは円錐水晶体構成部品３０１３Ｃの上部で均一に分散され、第１の内部レンズ３０１１１Ｃに対応して位置決めされる。調整チャネル３０１３１Ｃは、第１の内部レンズ３０１１１Ｃを種々の方向から調整できるようにするために９０度で互いと間隔を置いて配置され、これにより調整確度は保証できる。
【０４１２】
円錐水晶体構成部品３０１３Ｃは、少なくとも１つの固着チャネル３０１３２Ｃを円錐水晶体構成部品３０１３Ｃの上部に配置させ、第１のレンズ３０１１１Ｃに対応して位置決めさせる。第１の内部レンズ３０１１１Ｃが調整された後、第１の内部レンズ３０１１１Ｃは、固着チャネル３０１３２Ｃを通して接着剤を計量配分するために計量配分装置を活用することによって固着される。好ましくは、第１２の好適実施形態によれば、９０度で互いから分離され、第１の内部レンズ３０１１１Ｃの端縁に対応して位置決めされた４つの固着チャネル３０１３２Ｃがあり、これによりそれは、信頼できる固着を保証するために複数の場所から固着できる。接着剤が第１の内部レンズ３０１１１Ｃを固着するために計量配分しているとき、追加の接着剤は、埃が進入するのを回避し、カメラレンズの光の漏れを防ぐために同時に固着チャネル３０１３２Ｃに充填できる。
【０４１３】
第１の内部レンズ３０１１１Ｃは、特に円錐水晶体３０１３Ｃの中央又は底部の内部空間内に配置された内部レンズ３０１１１Ｃが調整可能なレンズとしての機能を果たすときに、調整チャネル３０１３１Ｃを通して接着剤を注入することによって固着することもできることに言及する価値がある。それは、通常、調整可能なレンズを固着するために調整可能なレンズに対応する調整チャネル３０１３１Ｃを活用する。加えて、追加の接着剤は同時に調整チャネル３０１３１Ｃを密封するために調整チャネル３０１３１Ｃに注入できる。
【０４１４】
外部レンズ３０１２Ｃが調整可能なレンズとしての機能を果たすとき、外部レンズ３０１２Ｃは、他の装置を通して調整し、計量配分する又は接着剤を完全に凝固させることにより固着できる。
【０４１５】
さらに、シェーディング層３０１２１Ｃは、外部レンズ３０１２Ｃの端縁に配置される。シェーディング層３０１２１Ｃは、カメラモジュールレンズ３０１０Ｃの光の漏れを回避し、外部迷光がカメラモジュール３０１１Ｃに入射することを防ぐために外部レンズ３０１２Ｃの側面全体を完全に覆わなければならず、これによりカメラモジュールレンズ３０１０Ｃの画質は保証できる。好ましくは、シェーディング層３１２１は、外部レンズ３０１２の外側に黒い糊を塗布することによって配置され、黒い糊は、凝固後シェーディング層３０１２１Ｃになる熱硬化性糊である場合がある。
【０４１６】
図４１を参照すると、上述のカメラモジュールレンズ３０１０Ｃを含むカメラモジュールが示されている。図４１を参照すると、カメラモジュールは、カメラモジュールレンズ３０１０Ｃ及び感光装置３０２０Ｃを含み、感光性装置３０２０Ｃは光学センサ３０２１Ｃを含む。カメラモジュールレンズ３０１０Ｃは、光学センサ３０２１Ｃの感光性経路に沿って配置され、被写体から反射される光は、カメラモジュールレンズ３０１０Ｃを通ってカメラモジュールの内部に入射し、光電変換を続けるために光学センサ３０２１Ｃによって受光される場合があり、被写体に対する画像はカメラモジュールによって後で取り込むことができる。
【０４１７】
感光装置は、フィルタ３０２２Ｃ、回路基板３０２３Ｃ、及びレンズマウント３０２４Ｃをさらに含む。フィルタ３０２２Ｃは、レンズマウント３０２４Ｃに取り付けられ、光学センサ２０２１Ｃの上方に配置される。光学センサ３０２１Ｃは回路基板３０２３Ｃに付着される。回路基板３０２３Ｃは、光学センサ３０２１をレンズマウント３０２４Ｃの内部に画定された空洞内に位置させるために、レンズマウント３０２４Ｃの底部に取り付けられる。加えて、光学センサ３０２１Ｃは、レンズマウント３０２４Ｃから距離を保つ。言い換えると、それらは互いに接触しない。感光装置３０２０Ｃは、チップオンボード（ＣＯＢ）技術で製造される。
【０４１８】
外部レンズ３０１２Ｃは、円錐水晶体構成部品３０１３Ｃとレンズマウント３０２４Ｃとの間に配置される。すなわち、外部レンズ３０１２Ｃの上部は、円錐水晶体構成部品３０１３Ｃの底部と接続される。外部レンズ３０１２Ｃの底部は、レンズマウント３０２４Ｃの上部と接続され、レンズマウント３０２４Ｃに寄りかかってレンズマウント３０２４Ｃによって支持される。内部レンズ３０１１Ｃ及び外部レンズ３０１２Ｃはすべて光学センサ３０２１Ｃの感光性経路に沿って配置される。カメラモジュールの調整可能なレンズとしての機能を果たす第１の内部レンズ３０１１１Ｃの組付け位置は、光学センサ３０２１Ｃの組付け位置と相対的に調整可能である。調整後、カメラモジュールレンズ３０１０Ｃの中心軸線及び光学センサ３０２１Ｃの中心軸線は、カメラモジュールの画質を保証するために一致する又は逸脱の許容範囲内にある。
【０４１９】
カメラモジュールの残りの内部レンズ３０１１Ｃ及び外部レンズ３０１２Ｃが、カメラモジュールレンズ３０１０Ｃの中心軸線を調整するために調整可能なレンズとしての機能を果たすために選ばれてもよいことに言及する価値がある。外部レンズ３０１２Ｃは調整可能なレンズとしての機能を果たすので、それは外部レンズ３０１２Ｃ及びレンズマウント３０２４Ｃを事前に組み付ける必要があり、つまり、外部レンズ３０１２Ｃがレンズマウント３０２４Ｃに固着されない場合があり、外部レンズ３０１２Ｃの組付け位置がレンズマウント３０２４Ｃに対応して調整可能である必要がある。
【０４２０】
図４３を参照すると、カメラモジュールの久美多恵方法が示されている。カメラモジュールの調整方法１１００は、以下の
ステップ（１１０１）：円錐水晶体構成部品３０１３Ｃの内部空間に内部レンズ３０１１Ｃを設置するステップであって、調整可能なレンズとしての機能を果たす内部レンズ３０１１Ｃの内の少なくとも１つは事前に組み付けられ、その組付け位置は調整可能であり、一方内部レンズ３０１１Ｃの残りは固着される、設置するステップと、
ステップ（１１０２）：円錐水晶体構成部品３０１３Ｃの底部の外部空間内に外部レンズ３０１２Ｃを配置するステップと、
ステップ（１１０３）：カメラモジュールレンズ３０１０Ｃの組付けを完了するために、外部レンズ３０１２Ｃの外側にシェーディング層３０１２１Ｃを配置するステップと、
ステップ（１１０４）：カメラモジュールの組付けを完了するために、感光装置３０２０Ｃにカメラモジュールレンズ３０１０Ｃを事前に組み付けるステップと、
ステップ（１１０５）：調整カメラモジュールの撮像に解像度要件を満たさせるために、カメラモジュールレンズ３０１０Ｃの組付け位置を調整するステップと、
ステップ（１１０６）：カメラモジュールの組付けを完了するために、カメラモジュールレンズ３０１０Ｃ及び感光装置３０２０Ｃを実装するステップと
を含む。
【０４２１】
ステップ（１１０１）〜ステップ（１１０３）は、カメラモジュールレンズ３０１０Ｃの組付けステップである。
【０４２２】
ステップ（１１０１）では、調整可能なレンズ以外の内部レンズ３０１１Ｃは、円錐水晶体構成部品３０１３Ｃの内部空間に１つずつ固着されてもよい、又は円錐水晶体構成部品３０１３Ｃの内部空間内に固着されるレンズユニット全体を形成するために埋め込まれ、統合されてもよく、第１の内部レンズ３０１１１Ｃは調整可能なレンズとしての機能を果たし、接着剤で事前に組み込まれ、これによりその組付け位置は以後のステップで調整できる。
【０４２３】
ステップ（１１０２）及びステップ（１１０３）では、黒い糊は、それがシェーディング層３０１２１Ｃを作るために外部レンズ３０１２Ｃの外側に塗布されるとき、円錐水晶体構成部品３１０３Ｃ及び外部レンズ３０１２Ｃの接合点にも塗布され、これによりそれはシェーディング層３０１２１Ｃを形成できるだけではなく、外部レンズ３０１２Ｃ及び円錐水晶体構成部品３０１３Ｃを接続することもでき、これは組付けステップを削減し、時間を省き、製品歩留まり効率を上げ、コストを下げる。確かに、シェーディング層３０１２１Ｃは、外部レンズ３０１２Ｃ及び円錐水晶体構成部品３０１３Ｃが接続された後、外部レンズ３０１２Ｃの外側に黒い糊を塗布することによって配置することもできる。実際の状況に応じて、シェーディング層３０１２１Ｃは、それが組み付けられる前又は後に外部レンズ３０１２Ｃに選択的に配置できる。
【０４２４】
さらに、それは、外部レンズ３０１２Ｃの上面の端縁又は円錐水晶体構成部品３０１３Ｃの底面に、それらを接続するために接着剤を塗布してもよい。加えて、外部レンズ３０１２Ｃ及び円錐水晶体構成部品３０１３Ｃは、それらが事前に組付けられるとき、固着して接続される場合もあれば、接続されない場合もあり、外部レンズ３０１２Ｃは調整可能なレンズとしての機能を果たし、これにより円錐水晶体構成部品３０１３Ｃ及び外部レンズ３０１２Ｃの組付け位置は、以後の工程で少なくとも一方向で調整された場所となるように適応可能である。
【０４２５】
ステップ（１１０４）では、接着剤は、外部レンズ３０１２Ｃ及びレンズマウント３０２４Ｃを接着剤で固着して接続するために、外部レンズ３０１２Ｃの底面の端縁又はレンズマウント３０２４Ｃの上面に塗布される。接着剤は、好ましくは熱硬化性糊である。外部レンズ３０１２Ｃ及び光学センサ３０２１Ｃは、事前に組み付けることもでき、これによりその相対組付け位置は少なくとも一方向で調整されるように適応可能である。
【０４２６】
上記のステップでは、事前組付けのための接着剤は、適切に、ＵＶ糊及び熱硬化性糊の混合接着剤である。接着剤は、事前組付けを実施するために紫外線曝露後に半凝固状態になる。次いで、接着剤は加熱処理により完全に凝固し、これにより外部レンズ３０１２Ｃはレンズマウント３０２４Ｃ及び円錐水晶体構成部品３０１３Ｃに固着できる。
【０４２７】
ステップ（１１０５）では、カメラモジュールレンズ３０１０Ｃの調整は、外部レンズ３０１２Ｃ、調整可能なレンズとしての機能を果たす内部レンズ、及び／又は円錐水晶体構成部品３０１３Ｃを調整することにより実施することができ、つまり、カメラモジュールレンズ３０１０Ｃの光路が、カメラモジュールレンズ３０１０Ｃの中心軸線及び光学センサ３０２１Ｃの中心軸線を一致させる又は逸脱の許容範囲内にするために調整でき、これによりカメラモジュールの撮像が期待される解像度要件を満たすことができる。
【０４２８】
具体的には、カメラモジュールレンズは、上記の組付け方法で調整可能なレンズの事前組付けにより以下の方法に従って調整できる。
【０４２９】
（１）円錐水晶体構成部品３０１３Ｃの組付け位置を調整することによってカメラモジュールを較正する。つまり、円錐水晶体構成部品３０１３Ｃを調整することにより円錐水晶体構成部品３０１３Ｃの内部空間内で固着された事前に組み付けられた調整可能なレンズ及び内部レンズ３０１１Ｃを調整する。言い換えると、外部レンズ３０１２Ｃは、レンズマウント３０２４Ｃと固着して接続されるが、円錐水晶体構成部品３０１３Ｃがこの条件下にある状態で事前に組み付けられる。
【０４３０】
（２）それぞれ円錐水晶体構成部品３０１３Ｃ及び外部レンズ３０１２Ｃを調整することによりカメラモジュールを較正する。外部レンズ３０１２Ｃ及び円錐水晶体構成部品３０１３Ｃはともにこの条件下のレンズマウント３０２４Ｃで事前に組み付けられる。
【０４３１】
（３）円錐水晶体構成部品３０１３Ｃ及び外部レンズ３０１２Ｃを同時に調整することによりカメラモジュールを較正する。つまり、カメラモジュールレンズ３０１０Ｃを調整することによりカメラモジュールを較正する。すなわち、外部レンズ３０１２Ｃは、円錐水晶体構成部品３０１３と固着して接続され、固着して接続されるが、この条件下でレンズマウント３０２４Ｃと事前に組み付けられる。
【０４３２】
（４）調整可能なレンズの組付け位置を調整することによりカメラモジュールレンズ３０１０Ｃの中心軸線を調整する。
【０４３３】
（５）調整可能なレンズの調整を、上記（１）〜（３）で言及された円錐水晶体構成部品３０１３Ｃ及び外部レンズ３０１２Ｃの調整と結合することによりカメラモジュールを較正する。
【０４３４】
ステップ（１１０５）は、以下の
ステップ（１１０５１）：事前に組み付けられたカメラモジュールの電源を投入し、カメラモジュールの撮像を取り込むステップと、
ステップ（１１０５２）：カメラモジュールの撮像に基づいて、ソフトウェア及び光学によってカメラモジュールレンズ３０１０Ｃの調整方法及び較正測定を計算するステップと、
ステップ（１１０５３）：較正測定に従ってカメラモジュールレンズ３０１０Ｃの組付け位置を正確に調整するステップと
を含む。
【０４３５】
ステップ（１１０６）では、事前に組み付けられたカメラモジュール１０Ｃが調整された後、熱硬化性糊等の接着剤が外部レンズ３０１２Ｃと円錐水晶体構成部品３０１３Ｃとの間及び外部レンズ３０１２Ｃとレンズマウント３０２４Ｃとの間で計量配分され、事前に組み付けられた外部レンズ３０１２Ｃを固定するために凝固する。加えて、調整可能なレンズとしての機能を果たす内部レンズ３０１１Ｃは、カメラモジュールの組付けを完了するために、調整チャネル３０１３１Ｃ及び／又は固着チャネル３０１３２Ｃを通して固着される。
【０４３６】
さらに、外部レンズ３０１２Ｃは、その後調整なしに円錐水晶体構成部品３０１３Ｃとレンズマウント３０２４Ｃとの間で直接的に固着されてもよい。むしろ、カメラモジュールの撮像は、調整可能なレンズとしての機能を果たす内部レンズ３０１１Ｃの組付け位置を調整し、固着することにより較正される。次いで、カメラモジュールの組付けは完了できる。
【０４３７】
当業者は、明細書及び図の中の本発明の上述された実施形態が、本発明を制限するためを除き、例を示すためであることを理解するものとする。本発明の目的は、完全に且つ効果的に実施される。本発明の実施態様は本発明の機能及び構造の概念に逆らうことなく、あらゆる方法で修正又は変更を有してよいのに対し、本発明の機能及び構造の該概念は実施形態に示され、説明されている。
【０４３８】
当業者は、図面に示され、上記に説明された本発明の実施形態が例示的にすぎず、制限的であることを意図していないことを理解する。
【０４３９】
したがって、本発明の目的は完全に且つ効果的に達成されていることが分かる。実施形態は、本発明の機能上及び構造上の原理を示すために図示され、説明されており、係る原則から逸脱することなく変化を受ける。したがって、本発明は、以下の特許請求の範囲の精神及び範囲内に包含されるすべての修正を含む。
【図１】
2018533074.tif 000003
【図２】
2018533074.tif 000004
【図３】
2018533074.tif 000005
【図４】
2018533074.tif 000006
【図５】
2018533074.tif 000007
【図６】
2018533074.tif 000008
【図７】
2018533074.tif 000009
【図８】
2018533074.tif 000010
【図９】
2018533074.tif 000011
【図１０】
2018533074.tif 000012
【図１１】
2018533074.tif 000013
【図１２】
2018533074.tif 000014
【図１３】
2018533074.tif 000015
【図１４】
2018533074.tif 000016
【図１５】
2018533074.tif 000017
【図１６】
2018533074.tif 000018
【図１７】
2018533074.tif 000019
【図１８】
2018533074.tif 000020
【図１９】
2018533074.tif 000021
【図２０】
2018533074.tif 000022
【図２１】
2018533074.tif 000023
【図２２】
2018533074.tif 000024
【図２３】
2018533074.tif 000025
【図２４】
2018533074.tif 000026
【図２５】
2018533074.tif 000027
【図２６】
2018533074.tif 000028
【図２７】
2018533074.tif 000029
【図２８】
2018533074.tif 000030
【図２９】
2018533074.tif 000031
【図３０】
2018533074.tif 000032
【図３１】
2018533074.tif 000033
【図３２】
2018533074.tif 000034
【図３３】
2018533074.tif 000035
【図３４】
2018533074.tif 000036
【図３５】
2018533074.tif 000037
【図３６】
2018533074.tif 000038
【図３７】
2018533074.tif 000039
【図３８】
2018533074.tif 000040
【図３９】
2018533074.tif 000041
【図４０】
2018533074.tif 000042
【図４１】
2018533074.tif 000043
【図４２】
2018533074.tif 000044
【図４３】
2018533074.tif 000045
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
カメラモジュールであって、
光学センサと、
前記光学センサの感光性経路内に配置された調整可能な光学レンズであって、前記調整可能な光学レンズが、光学構造部材及び少なくとも２つのレンズを備え、前記レンズのそれぞれが、前記光学構成部材の垂直方向に沿って前記光学構造部材の内部空間内に配置され、前記カメラレンズの中心軸線及び前記光学センサの中心軸線が、前記光学構造部材の内部空間内で前記レンズの内の少なくとも１つの位置を調整することを通して一致し、次いで、前記レンズが調整された後に定位置に固着され、前記調整可能な光学レンズ及び前記光学センサが、前記カメラモジュールを形成するように実装される、光学レンズと、
を備える、カメラモジュール。
【請求項２】
前記光学構造部材が、前記光学構造部材の内部空間を外部環境と連絡するように設けられた少なくとも１つの調整チャネルを有し、前記光学構造部材の内部空間内で事前に組み付けられて配置されたレンズに対応して位置決めされ、これにより、前記光学構造部材の内部空間内に事前に組み付けられているレンズを、前記調整チャネルを通して調整することができる、請求項１に記載のカメラモジュール。
【請求項３】
カメラモジュールであって、
光学センサを含む感光装置と、
前記光学センサの感光性経路内に配置され、且つ、光学構造部材、１つ以上のレンズ、及びアパーチャ部材を備える調整可能な光学レンズであって、前記レンズのそれぞれが、前記光学構造部材の垂直方向に沿って前記光学構造部材の内部空間内に配置され、前記レンズの内の少なくとも１つが、調整可能なレンズとしての機能を果たす前記光学構造部材の内部空間内に事前に組み付けられ、前記アパーチャ部材が、前記光学構造部材の上部上に、及び事前に組み付けられた調整可能なレンズの上面上に配置され、前記カメラモジュールを形成するように前記調整可能な光学レンズ及び前記感光装置を実装する前に、前記光学構造部材の内部にある調整可能なレンズの組付け位置が調整されるように配置される、光学レンズと、
を備える、カメラモジュール。
【請求項４】
前記光学構造部材が、前記光学構造部材の内部空間を外部環境と連絡するように設けられ、且つ、前記光学構造部材の内部空間に事前に組み付けられて配置された調整可能なレンズに対応して位置決めされた少なくとも１つの調整チャネルを有し、前記光学構造部材の内部空間内に事前に組み付けられている調整可能なレンズを、前記調整チャネルを通して調整することができる、請求項３に記載のカメラモジュール。
【請求項５】
前記光学構造部材の内部空間内にある調整可能な光学レンズの調整可能なレンズを、少なくとも１つの方向において調整することができ、前記調整可能な光学レンズの中心軸線及び前記光学センサの中心軸線が、前記調整可能なレンズの調整の後に、一致するか又はそれらの間の偏差の許容範囲内にある、請求項３に記載のカメラモジュール。
【請求項６】
前記光学構造部材の内部空間内にある調整可能な光学レンズの調整可能なレンズを、少なくとも１つの方向において調整することができ、前記調整可能な光学レンズの中心軸線及び前記光学センサの中心軸線が、前記調整可能なレンズの調整の後に、一致するか又はそれらの間の偏差の許容範囲内にある、請求項４に記載のカメラモジュール。
【請求項７】
前記光学装置が、フィルタ、レンズマウント、及び回路基板を備え、前記フィルタが前記レンズマウント上に固着され、前記光学センサが前記回路基板上に付着され、且つ前記フィルタの下方に位置決めされ、前記光学構造部材が前記レンズマウントの上面上に固着される、請求項３に記載のカメラモジュール。
【請求項８】
前記光学装置が、フィルタ、レンズマウント、及び回路基板を備え、前記フィルタが前記レンズマウント上に固着され、前記光学センサが前記回路基板上に付着され、且つ前記フィルタの下方に位置決めされ、前記光学構造部材が前記レンズマウントの上面上に固着される、請求項４に記載のカメラモジュール。
【請求項９】
前記光学装置が、フィルタ、レンズマウント、及び回路基板を備え、前記フィルタが前記レンズマウント上に固着され、前記光学センサが前記回路基板上に付着され、且つ前記フィルタの下方に位置決めされ、前記光学構造部材が前記レンズマウントの上面上に固着される、請求項５に記載のカメラモジュール。
【請求項１０】
前記光学装置が、フィルタ、レンズマウント、及び回路基板を備え、前記フィルタが前記レンズマウント上に固着され、前記光学センサが前記回路基板上に付着され、且つ前記フィルタの下方に位置決めされ、前記光学構造部材が前記レンズマウントの上面上に固着される、請求項６に記載のカメラモジュール。
【請求項１１】
前記光学装置が、フィルタ及び回路基板を備え、前記フィルタが前記光学構造部材内に設置され、且つ前記レンズの下方に位置決めされ、前記光学センサが前記回路基板上に付着され、且つ前記フィルタの下方に位置決めされ、前記光学構造部材と前記光学センサとの間の空間距離が固定されている、請求項３に記載のカメラモジュール。
【請求項１２】
前記光学装置が、フィルタ及び回路基板を備え、前記フィルタが前記光学構造部材内に設置され、且つ前記レンズの下方に位置決めされ、前記光学センサが前記回路基板上に付着され、且つ前記フィルタの下方に位置決めされ、前記光学構造部材と前記光学センサとの間の空間距離が固定されている、請求項４に記載のカメラモジュール。
【請求項１３】
前記光学装置が、フィルタ及び回路基板を備え、前記フィルタが前記光学構造部材内に設置され、且つ前記レンズの下方に位置決めされ、前記光学センサが前記回路基板上に付着され、且つ前記フィルタの下方に位置決めされ、前記光学構造部材と前記光学センサとの間の空間距離が固定されている、請求項５に記載のカメラモジュール。
【請求項１４】
前記光学装置が、フィルタ及び回路基板を備え、前記フィルタが前記光学構造部材内に設置され、且つ前記レンズの下方に位置決めされ、前記光学センサが前記回路基板上に付着され、且つ前記フィルタの下方に位置決めされ、前記光学構造部材と前記光学センサとの間の空間距離が固定されている、請求項６に記載のカメラモジュール。
【請求項１５】
カメラモジュールの製造方法であって、
光学装置の光学センサの感光性経路に沿って調整可能な光学レンズを配置するステップ（Ａ）と、
前記カメラモジュールの事前組付けを完了するために、前記調整可能な光学レンズ内に調整可能な光学部品を事前に組み付けるステップ（Ｂ）と、
前記カメラモジュールの撮像に解像度要件を満たさせるために、前記調整可能な光学部品の組付け位置を調整するステップ（Ｃ）と、
前記カメラモジュールを形成するように、前記調整可能な光学レンズ及び前記光学装置を実装するステップ（Ｄ）と、
を含む、方法。
【請求項１６】
前記ステップ（Ｃ）が、
事前に組み付けられたカメラモジュールの撮像を取り込むステップ（Ｃ１）と、
前記事前に組み付けられたカメラモジュールの撮像に基づいて、ソフトウェアを用いて前記調整可能な光学部品のための較正測定を計算するステップ（Ｃ２）と、
前記較正測定に従って前記調整可能な光学部品の組付け位置を調整するステップ（Ｃ３）と、
をさらに含む、請求項１５に記載の方法。
【国際調査報告】
2018533074.tif 000046
2018533074.tif 000047
2018533074.tif 000048
2018533074.tif 000049
2018533074.tif 000050
2018533074.tif 000051